(57)【要約】  本願は、無線通信方法を提供する。当該方法は、端末装置により、第１係数を決定するステップであって、前記第１係数は第１送信時間間隔ＴＴＩに対応する第１係数セットに属し、前記第１係数セットはＮ個の係数を含み、Ｎ≧２であり、前記Ｎ個の係数は前記第１ＴＴＩにおけるアップリンク送信のために使用される少なくとも２つの係数、又は前記第１ＴＴＩにおけるダウンリンク送信のために使用される少なくとも２つの係数を含む、ステップと、前記端末装置により、前記第１係数に基づき第１トランスポートブロックサイズＴＢＳを決定するステップと、前記端末装置により、前記第１ＴＴＩにおける前記第１ＴＢＳに基づき、無線通信を実行するステップと、を含む。無線通信の信頼性及び精度が向上可能である。
2020500475.tif 000002
【特許請求の範囲】
【請求項１】
無線通信方法であって、前記方法は、
端末装置により、第１係数を決定するステップであって、前記第１係数は第１送信時間間隔ＴＴＩに対応する第１係数セットに属し、前記第１係数セットはＮ個の係数を含み、Ｎ≧２であり、前記Ｎ個の係数は前記第１ＴＴＩにおけるアップリンク送信のために使用される少なくとも２つの係数、又は前記第１ＴＴＩにおけるダウンリンク送信のために使用される少なくとも２つの係数を含む、ステップと、
前記端末装置により、前記第１係数に基づき第１トランスポートブロックサイズＴＢＳを決定するステップと、
前記端末装置により、前記第１ＴＴＩにおける前記第１ＴＢＳに基づき、無線通信を実行するステップと、
を含む方法。
【請求項２】
前記Ｎ個の係数はＫ個のオーバヘッド範囲に対応し、Ｋ≧１であり、各オーバヘッド範囲は少なくとも１つの係数に対応し、任意の２つのオーバヘッド範囲に対応する係数の中に少なくとも１つの異なる係数があり、
前記第１係数は、第１オーバヘッド範囲に対応する係数であり、前記第１オーバヘッド範囲は、第１時間周波数リソースのオーバヘッドが属するオーバヘッド範囲であり、前記第１時間周波数リソースは前記第１ＴＴＩにおいて前記端末装置により使用される時間周波数リソースである、請求項１に記載の方法。
【請求項３】
前記第１時間周波数リソースの前記オーバヘッドは、以下のパラメータ：
前記第１時間周波数リソースの中の、制御情報により占有されるリソースエレメントＲＥの数、前記第１時間周波数リソースの中の、前記制御情報により占有されるリソースブロックＲＢの数、前記第１時間周波数リソースの中の、前記制御情報により占有される制御チャネルエレメントＣＣＥの数、前記第１時間周波数リソースの中の、参照信号により占有されるＲＥの数、及び前記第１時間周波数リソースの中の、前記参照信号により占有されるシンボルの数、のうちの少なくとも１つを含む、請求項２に記載の方法。
【請求項４】
前記Ｎ個の係数はＭ個の変調及び符号化方式ＭＣＳセットに対応し、Ｍ≧１であり、各ＭＣＳセットは少なくとも１つのＭＣＳを含み、各ＭＣＳセットは少なくとも１つの係数に対応し、任意の２つのＭＣＳセットに対応する係数の中に少なくとも１つの異なる係数があり、
前記第１係数は第１ＭＣＳセットに対応する係数であり、前記第１ＭＣＳセットは、前記第１ＴＴＩにおいて前記端末装置により使用されるＭＣＳが属するＭＣＳセットである、請求項１乃至３のいずれか一項に記載の方法。
【請求項５】
前記Ｎ個の係数はＰ個の周波数ドメインリソース数範囲に対応し、Ｐ≧１であり、各周波数ドメインリソース数範囲は少なくとも１つの係数に対応し、任意の２つの周波数ドメインリソース数範囲に対応する係数の中に少なくとも１つの異なる係数があり、
前記第１係数は、第１周波数ドメインリソース数範囲に対応する係数であり、前記第１周波数ドメインリソース数範囲は、前記第１時間周波数リソースに対応する周波数ドメインリソース数が属する周波数ドメインリソース数範囲であり、前記第１時間周波数リソースは前記第１ＴＴＩにおいて前記端末装置により使用される時間周波数リソースである、請求項１乃至４のいずれか一項に記載の方法。
【請求項６】
端末装置により、第１係数を決定する前記ステップは、
前記端末装置により、ネットワーク装置により送信された第１指示情報を受信するステップであって、前記第１指示情報は前記第１係数を示す、ステップを含む、請求項１乃至５のいずれか一項に記載の方法。
【請求項７】
端末装置により、第１係数を決定する前記ステップは、
前記端末装置により、前記第１ＴＴＩに基づき前記第１係数セットから前記第１係数を決定するステップを含む、請求項１乃至６のいずれか一項に記載の方法。
【請求項８】
前記方法は、
前記端末装置により、前記ネットワーク装置により送信された第２指示情報を受信するステップであって、前記第２指示情報は前記第１係数セットを示す、ステップ、
を更に含む請求項１乃至７のいずれか一項に記載の方法。
【請求項９】
前記第１係数セットに含まれる前記Ｎ個の係数は、前記第１ＴＴＩに含まれるシンボルの数又は前記第１ＴＴＩの属するサブフレームのＴＴＩ構造に基づき決定される、請求項１乃至８のいずれか一項に記載の方法。
【請求項１０】
前記第１係数セットは、前記第１ＴＴＩを含む複数のＴＴＩにより共有される係数セットであり、前記複数のＴＴＩは異なる数のシンボルを含み、又は前記複数のＴＴＩの属するサブフレームは異なるＴＴＩ構造を有する、請求項１乃至９のいずれか一項に記載の方法。
【請求項１１】
無線通信方法であって、前記方法は、
ネットワーク装置により、第１係数を決定するステップであって、前記第１係数は第１送信時間間隔ＴＴＩに対応する第１係数セットに属し、前記第１係数セットはＮ個の係数を含み、Ｎ≧２であり、前記Ｎ個の係数は前記第１ＴＴＩにおけるアップリンク送信のために使用される少なくとも２つの係数、又は前記第１ＴＴＩにおけるダウンリンク送信のために使用される少なくとも２つの係数を含む、ステップと、
前記ネットワーク装置により、前記第１係数に基づき第１トランスポートブロックサイズＴＢＳを決定するステップと、
前記ネットワーク装置により、前記第１ＴＴＩにおける前記第１ＴＢＳに基づき、無線通信を実行するステップと、
を含む方法。
【請求項１２】
前記Ｎ個の係数はＫ個のオーバヘッド範囲に対応し、Ｋ≧１であり、各オーバヘッド範囲は少なくとも１つの係数に対応し、任意の２つのオーバヘッド範囲に対応する係数の中に少なくとも１つの異なる係数があり、
前記第１係数は、第１オーバヘッド範囲に対応する係数であり、前記第１オーバヘッド範囲は、第１時間周波数リソースのオーバヘッドが属するオーバヘッド範囲であり、前記第１時間周波数リソースは前記第１ＴＴＩにおいて前記端末装置により使用される時間周波数リソースである、請求項１１に記載の方法。
【請求項１３】
前記第１時間周波数リソースの前記オーバヘッドは、以下のパラメータ：
前記第１時間周波数リソースの中の、制御情報により占有されるリソースエレメントＲＥの数、前記第１時間周波数リソースの中の、前記制御情報により占有されるリソースブロックＲＢの数、前記第１時間周波数リソースの中の、前記制御情報により占有される制御チャネルエレメントＣＣＥの数、前記第１時間周波数リソースの中の、参照信号により占有されるＲＥの数、及び前記第１時間周波数リソースの中の、前記参照信号により占有されるシンボルの数、のうちの少なくとも１つを含む、請求項１２に記載の方法。
【請求項１４】
前記Ｎ個の係数はＭ個の変調及び符号化方式ＭＣＳセットに対応し、Ｍ≧１であり、各ＭＣＳセットは少なくとも１つのＭＣＳを含み、各ＭＣＳセットは少なくとも１つの係数に対応し、任意の２つのＭＣＳセットに対応する係数の中に少なくとも１つの異なる係数があり、前記第１係数は第１ＭＣＳセットに対応する係数であり、前記第１ＭＣＳセットは、前記第１ＴＴＩにおいて前記端末装置により使用されるＭＣＳが属するＭＣＳセットである、請求項１１乃至１３のいずれか一項に記載の方法。
【請求項１５】
前記Ｎ個の係数はＰ個の周波数ドメインリソース数範囲に対応し、Ｐ≧１であり、各周波数ドメインリソース数範囲は少なくとも１つの係数に対応し、任意の２つの周波数ドメインリソース数範囲に対応する係数の中に少なくとも１つの異なる係数があり、
前記第１係数は、第１周波数ドメインリソース数範囲に対応する係数であり、前記第１周波数ドメインリソース数範囲は、前記第１時間周波数リソースに対応する周波数ドメインリソース数が属する周波数ドメインリソース数範囲であり、前記第１時間周波数リソースは前記第１ＴＴＩにおいて前記端末装置により使用される時間周波数リソースである、請求項１１乃至１４のいずれか一項に記載の方法。
【請求項１６】
ネットワーク装置により、第１係数を決定する前記ステップは、
前記ネットワーク装置により、前記第１係数セットを決定するステップと、
前記ネットワーク装置により、前記第１ＴＴＩに基づき前記第１係数セットから前記第１係数を決定するステップと、
を含む、請求項１１乃至１５のいずれか一項に記載の方法。Ｓ
【請求項１７】
前記方法は、
前記ネットワーク装置により、第１指示情報を前記端末装置へ送信するステップであって、前記第１指示情報は前記第１係数を示す、ステップ、
を更に含む請求項１１乃至１６のいずれか一項に記載の方法。
【請求項１８】
前記方法は、
前記ネットワーク装置により、第２指示情報を前記端末装置へ送信するステップであって、前記第２指示情報は前記第１係数セットを示す、ステップ、
を更に含む請求項１１乃至１７のいずれか一項に記載の方法。
【請求項１９】
前記第１係数セットに含まれる前記Ｎ個の係数は、前記第１ＴＴＩに含まれるシンボルの数又は前記第１ＴＴＩの属するサブフレームのＴＴＩ構造に基づき決定される、請求項１１乃至１８のいずれか一項に記載の方法。
【請求項２０】
前記第１係数セットは、前記第１ＴＴＩを含む複数のＴＴＩにより共有される係数セットであり、前記複数のＴＴＩは異なる数のシンボルを含み、又は前記複数のＴＴＩの属するサブフレームは異なるＴＴＩ構造を有する、請求項１１乃至１９のいずれか一項に記載の方法。
【請求項２１】
無線通信機器であって、前記機器は、
第１係数を決定し、前記第１係数に基づき第１トランスポートブロックサイズＴＢＳを決定するよう構成される決定ユニットであって、前記第１係数は第１送信時間間隔ＴＴＩに対応する第１係数セットに属し、前記第１係数セットはＮ個の係数を含み、Ｎ≧２であり、前記Ｎ個の係数は前記第１ＴＴＩにおけるアップリンク送信のために使用される少なくとも２つの係数、又は前記第１ＴＴＩにおけるダウンリンク送信のために使用される少なくとも２つの係数を含む、決定ユニットと、
前記第１ＴＴＩにおける前記第１ＴＢＳに基づき、無線通信を実行するよう構成される通信ユニットと、
を含む機器。
【請求項２２】
前記Ｎ個の係数はＫ個のオーバヘッド範囲に対応し、Ｋ≧１であり、各オーバヘッド範囲は少なくとも１つの係数に対応し、任意の２つのオーバヘッド範囲に対応する係数の中に少なくとも１つの異なる係数があり、
前記第１係数は、第１オーバヘッド範囲に対応する係数であり、前記第１オーバヘッド範囲は、第１時間周波数リソースのオーバヘッドが属するオーバヘッド範囲であり、前記第１時間周波数リソースは前記第１ＴＴＩにおいて前記機器により使用される時間周波数リソースである、請求項２１に記載の機器。
【請求項２３】
前記第１時間周波数リソースの前記オーバヘッドは、以下のパラメータ：
前記第１時間周波数リソースの中の、制御情報により占有されるリソースエレメントＲＥの数、前記第１時間周波数リソースの中の、前記制御情報により占有されるリソースブロックＲＢの数、前記第１時間周波数リソースの中の、前記制御情報により占有される制御チャネルエレメントＣＣＥの数、前記第１時間周波数リソースの中の、参照信号により占有されるＲＥの数、及び前記第１時間周波数リソースの中の、前記参照信号により占有されるシンボルの数、のうちの少なくとも１つを含む、請求項２２に記載の機器。
【請求項２４】
前記Ｎ個の係数はＭ個の変調及び符号化方式ＭＣＳセットに対応し、Ｍ≧１であり、各ＭＣＳセットは少なくとも１つのＭＣＳを含み、各ＭＣＳセットは少なくとも１つの係数に対応し、任意の２つのＭＣＳセットに対応する係数の中に少なくとも１つの異なる係数があり、前記第１係数は第１ＭＣＳセットに対応する係数であり、前記第１ＭＣＳセットは、前記第１ＴＴＩにおいて前記端末装置により使用されるＭＣＳが属するＭＣＳセットである、請求項２１乃至２３のいずれか一項に記載の機器。
【請求項２５】
前記Ｎ個の係数はＰ個の周波数ドメインリソース数範囲に対応し、Ｐ≧１であり、各周波数ドメインリソース数範囲は少なくとも１つの係数に対応し、任意の２つの周波数ドメインリソース数範囲に対応する係数の中に少なくとも１つの異なる係数があり、
前記第１係数は、第１周波数ドメインリソース数範囲に対応する係数であり、前記第１周波数ドメインリソース数範囲は、前記第１時間周波数リソースに対応する周波数ドメインリソース数が属する周波数ドメインリソース数範囲であり、前記第１時間周波数リソースは前記第１ＴＴＩにおいて前記機器により使用される時間周波数リソースである、請求項２１乃至２４のいずれか一項に記載の機器。
【請求項２６】
前記通信ユニットは、ネットワーク装置により送信された第１指示情報を受信するよう更に構成され、前記第１指示情報は前記第１係数を示す、請求項２１乃至２５のいずれか一項に記載の機器。
【請求項２７】
前記決定ユニットは、具体的に、前記第１ＴＴＩに基づき前記第１係数セットから前記第１係数を決定するよう構成される、請求項２１乃至２６のいずれか一項に記載の機器。
【請求項２８】
前記通信ユニットは、前記ネットワーク装置により送信された第２指示情報を受信するよう更に構成され、前記第２指示情報は前記第１係数セットを示す、請求項２１乃至２７のいずれか一項に記載の機器。
【請求項２９】
前記第１係数セットに含まれる前記Ｎ個の係数は、前記第１ＴＴＩに含まれるシンボルの数又は前記第１ＴＴＩの属するサブフレームのＴＴＩ構造に基づき決定される、請求項２１乃至２８のいずれか一項に記載の機器。
【請求項３０】
前記第１係数セットは、前記第１ＴＴＩを含む複数のＴＴＩにより共有される係数セットであり、前記複数のＴＴＩは異なる数のシンボルを含み、又は前記複数のＴＴＩの属するサブフレームは異なるＴＴＩ構造を有する、請求項２１乃至２９のいずれか一項に記載の機器。
【請求項３１】
無線通信機器であって、前記機器は、
第１係数を決定し、前記第１係数に基づき第１トランスポートブロックサイズＴＢＳを決定するよう構成される決定ユニットであって、前記第１係数は第１送信時間間隔ＴＴＩに対応する第１係数セットに属し、前記第１係数セットはＮ個の係数を含み、Ｎ≧２であり、前記Ｎ個の係数は前記第１ＴＴＩにおけるアップリンク送信のために使用される少なくとも２つの係数、又は前記第１ＴＴＩにおけるダウンリンク送信のために使用される少なくとも２つの係数を含む、決定ユニットと、
前記第１ＴＴＩにおける前記第１ＴＢＳに基づき、端末装置との無線通信を実行するよう構成される通信ユニットと、
を含む機器。
【請求項３２】
前記Ｎ個の係数はＫ個のオーバヘッド範囲に対応し、Ｋ≧１であり、各オーバヘッド範囲は少なくとも１つの係数に対応し、任意の２つのオーバヘッド範囲に対応する係数の中に少なくとも１つの異なる係数があり、
前記第１係数は、第１オーバヘッド範囲に対応する係数であり、前記第１オーバヘッド範囲は、第１時間周波数リソースのオーバヘッドが属するオーバヘッド範囲であり、前記第１時間周波数リソースは前記第１ＴＴＩにおいて前記端末装置により使用される時間周波数リソースである、請求項３１に記載の機器。
【請求項３３】
前記第１時間周波数リソースの前記オーバヘッドは、以下のパラメータ：
前記第１時間周波数リソースの中の、制御情報により占有されるリソースエレメントＲＥの数、前記第１時間周波数リソースの中の、前記制御情報により占有されるリソースブロックＲＢの数、前記第１時間周波数リソースの中の、前記制御情報により占有される制御チャネルエレメントＣＣＥの数、前記第１時間周波数リソースの中の、参照信号により占有されるＲＥの数、及び前記第１時間周波数リソースの中の、前記参照信号により占有されるシンボルの数、のうちの少なくとも１つを含む、請求項３２に記載の機器。
【請求項３４】
前記Ｎ個の係数はＭ個の変調及び符号化方式ＭＣＳセットに対応し、Ｍ≧１であり、各ＭＣＳセットは少なくとも１つのＭＣＳを含み、各ＭＣＳセットは少なくとも１つの係数に対応し、任意の２つのＭＣＳセットに対応する係数の中に少なくとも１つの異なる係数があり、前記第１係数は第１ＭＣＳセットに対応する係数であり、前記第１ＭＣＳセットは、前記第１ＴＴＩにおいて前記端末装置により使用されるＭＣＳが属するＭＣＳセットである、請求項３１乃至３３のいずれか一項に記載の機器。
【請求項３５】
前記Ｎ個の係数はＰ個の周波数ドメインリソース数範囲に対応し、Ｐ≧１であり、各周波数ドメインリソース数範囲は少なくとも１つの係数に対応し、任意の２つの周波数ドメインリソース数範囲に対応する係数の中に少なくとも１つの異なる係数があり、
前記第１係数は、第１周波数ドメインリソース数範囲に対応する係数であり、前記第１周波数ドメインリソース数範囲は、前記第１時間周波数リソースに対応する周波数ドメインリソース数が属する周波数ドメインリソース数範囲であり、前記第１時間周波数リソースは前記第１ＴＴＩにおいて前記端末装置により使用される時間周波数リソースである、請求項３１乃至３４のいずれか一項に記載の機器。
【請求項３６】
前記決定ユニットは、具体的に、前記第１係数セットを決定し、前記第１ＴＴＩに基づき前記第１係数セットから前記第１係数を決定するよう構成される、請求項３１乃至３５のいずれか一項に記載の機器。
【請求項３７】
前記通信ユニットは、第１指示情報を前記端末装置へ送信するよう更に構成され、前記第１指示情報は前記第１係数を示す、請求項３１乃至３６のいずれか一項に記載の機器。
【請求項３８】
前記通信ユニットは、第２指示情報を前記端末装置へ送信するよう更に構成され、前記第２指示情報は前記第１係数セットを示す、請求項３１乃至３７のいずれか一項に記載の機器。
【請求項３９】
前記第１係数セットに含まれる前記Ｎ個の係数は、前記第１ＴＴＩに含まれるシンボルの数又は前記第１ＴＴＩの属するサブフレームのＴＴＩ構造に基づき決定される、請求項３１乃至３８のいずれか一項に記載の機器。
【請求項４０】
前記第１係数セットは、前記第１ＴＴＩを含む複数のＴＴＩにより共有される係数セットであり、前記複数のＴＴＩは異なる数のシンボルを含み、又は前記複数のＴＴＩの属するサブフレームは異なるＴＴＩ構造を有する、請求項３１乃至３９のいずれか一項に記載の機器。
【発明の詳細な説明】
【技術分野】
【０００１】
［関連出願］
本願は、中国特許出願番号第２０１６１０９５９１０６．３号、２０１６年１１月３日中国特許庁に出願、名称「WIRELESS  COMMUNICATIONS  METHOD  AND  APPARATUS」の優先権を主張する。該中国特許出願は、参照によりその全体がここに組み込まれる。
【０００２】
［技術分野］
本願は、通信分野に関し、より具体的に、無線通信方法及び機器に関する。
【背景技術】
【０００３】
現在、知られている無線通信技術では、データパケットが１ｍｓのＴＴＩで送信される場合、１つ以上のリソースブロック（Resource  Block、ＲＢ）のようなネットワーク装置がデータを送信するために使用される時間周波数リソース（又は端末装置に対してネットワーク装置によりスケジューリングされた若しくはネットワーク装置により割り当てられた時間周波数リソース）を決定した後に、ネットワーク装置は、通常、端末装置のチャネル状態に基づき、トランスポートブロックサイズ（Transport  Block  Size、ＴＢＳ）テーブルに含まれ得且つ時間周波数リソースに対応する複数のＴＢＳ値から、端末装置の送信要件に適合するＴＢＳを選択し、端末装置に該ＴＢＳに対応する変調及び符号化方式（Modulation  and  Coding  Scheme、ＭＣＳ）インデックス及び該時間周波数リソースに関する情報を通知する。端末装置は、ＭＣＳインデックス及び時間周波数リソースに関する情報に基づき、ＴＴＩ内で送信されるデータパケットのＴＢＳを決定する。
【０００４】
データパケットが１ｍｓ未満のＴＴＩ内で送信される場合、既存のＴＢＳテーブルは、特定オーバヘッドの前提に基づく１ｍｓのＴＴＩ長と整合するので、ネットワーク装置がデータを送信するために使用される時間周波数リソースを決定した後に、ネットワーク装置は、通常、プリセット量子化係数（例えば、０乃至１の間の任意の値）に基づき時間周波数リソースを量子化する。ネットワーク装置は、端末装置のチャネル状態に基づき、ＴＢＳテーブルに含まれ且つ量子化時間周波数リソースに対応する複数のＴＢＳ値から、端末装置の送信要件に適合するＴＢＳを選択し、端末装置に該ＴＢＳに対応するＭＣＳインデックス及び時間周波数リソースに関する情報を通知する。端末装置は、同じ量子化係数及び同じ量子化ルールを用いて時間周波数リソースを量子化して、量子化時間周波数リソースを取得し、ＭＣＳインデックス及び量子化時間周波数リソースに基づき、１ｍｓ未満のＴＴＩ内で送信されるデータパケットのＴＢＳを決定する。さらに、従来、１つのＴＴＩ長は、１つの固定量子化係数にのみ対応する。
【０００５】
従来、１ｍｓ未満のＴＴＩ内のＴＢＳを決定する前述の方法は、通常、ＴＤＤシステムにおける特別サブフレームに適用される。参照信号又は制御信号送信のような通信により必要とされるオーバヘッドはこのＴＢＳ決定方法の使用される通信の信頼性及び精度を低下させることがあるが、特別サブフレームはＴＤＤシステムにおいてのみ現れ、１０ｍｓ無線フレーム内で最大２回現れるので、システム性能は有意に提供を受けない。
【０００６】
通信技術の発展に伴い、短送信時間間隔（short  Transmission  Time  Interval、ｓＴＴＩ）、具体的に言うと、長さが１サブフレーム（又は１ｍｓ）未満の送信時間間隔（Transmission  Time  Interval、ＴＴＩ）がシステムに導入され、スケジューリング間隔を短縮し、低遅延サービス要件を満たし、及びユーザの使用経験を向上する。しかしながら、ｓＴＴＩ送信では、参照信号又は制御チャネル送信のような通信により必要とされるオーバヘッドは、ＴＢＳ決定に対して無視できない影響を与え、１ｍｓ未満のＴＴＩ内のＴＢＳを決定する前述の方法の使用は、通信信頼性、精度、及び柔軟性に影響し、それによりユーザの使用経験及びシステム性能に影響する。
【発明の概要】
【０００７】
本発明の実施形態は、無線通信の信頼性及び精度を向上するために、無線通信方法及び機器を提供する。
【０００８】
第１の態様によると、無線通信方法が提供される。当該方法は、端末装置により、第１係数を決定するステップであって、前記第１係数は第１送信時間間隔ＴＴＩに対応する第１係数セットに属し、前記第１係数セットはＮ個の係数を含み、Ｎ≧２であり、前記Ｎ個の係数は前記第１ＴＴＩにおけるアップリンク送信のために使用される少なくとも２つの係数、又は前記第１ＴＴＩにおけるダウンリンク送信のために使用される少なくとも２つの係数を含む、ステップと、前記端末装置により、前記第１係数に基づき第１トランスポートブロックサイズＴＢＳを決定するステップと、前記端末装置により、前記第１ＴＴＩにおける前記第１ＴＢＳに基づき、無線通信を実行するステップと、を含む。
【０００９】
ＴＢＳを決定するために使用される２つ以上の係数は、１つのＴＴＩについて構成され、その結果、ＴＢＳを決定するために、ＴＴＩの現在の使用に基づき適正な係数が選択可能であり、決定されたＴＢＳは現在の通信状態に対応でき、それにより無線通信の信頼性及び精度を向上する。
【００１０】
第１の態様を参照し、第１の態様の第１の実装では、前記Ｎ個の係数はＫ個のオーバヘッド範囲に対応し、Ｋ≧１であり、各オーバヘッド範囲は少なくとも１つの係数に対応し、任意の２つのオーバヘッド範囲に対応する係数の中に少なくとも１つの異なる係数があり、前記第１係数は、第１オーバヘッド範囲に対応する係数であり、前記第１オーバヘッド範囲は、第１時間周波数リソースのオーバヘッドが属するオーバヘッド範囲であり、前記第１時間周波数リソースは前記第１ＴＴＩにおいて前記端末装置により使用される時間周波数リソースである。
【００１１】
第１の態様及び第１の態様の前述の実装を参照して、第１の態様の第２の実装では、Ｎ個のオーバヘッド範囲があり（言い換えると、Ｋ＝Ｎ）、Ｎ個の係数はＮ個のオーバヘッド範囲と１対１対応にある。
【００１２】
第１の態様及び第１の態様の前述の実装を参照して、第１の態様の第３の実装では、前記第１時間周波数リソースのオーバヘッドは、以下のパラメータ：前記第１時間周波数リソースの中で制御情報により占有されるリソースエレメントＲＥの数、前記第１時間周波数リソースの中で前記制御情報により占有されるリソースブロックＲＢの数、前記第１時間周波数リソースの中で前記制御情報により占有される制御チャネルエレメントＣＣＥの数、前記第１時間周波数リソースの中で参照信号により占有されるリソースエレメントＲＥの数、前記第１時間周波数リソースの中で前記参照信号により占有されるシンボルの数、のうちの少なくとも１つを含む。
【００１３】
第１の態様及び第１の態様の前述の実装を参照して、第１の態様の第４の実装では、前記第１ＴＴＩがダウンリンク送信のために使用されるとき、前記第１時間周波数リソースの前記オーバヘッドは、以下の場合のうちの少なくとも１つを含む：前記第１時間周波数リソースの前記オーバヘッドは、前記第１時間周波数リソースの中でセル固有参照信号ＣＲＳにより占有されるリソースの数又は比率を含む；前記第１時間周波数リソースの前記オーバヘッドは、前記第１時間周波数リソースの中で端末装置固有参照信号ＤＭＲＳにより占有されるリソースの数又は比率を含む；又は、前記第１時間周波数リソースの前記オーバヘッドは、前記第１時間周波数リソースの中でダウンリンク制御チャネルにより占有されるリソースの数又は比率を含む。
【００１４】
ＴＢＳを決定するために使用される係数は、異なるオーバヘッド範囲について別個に構成され、その結果、係数は、異なるオーバヘッドのケースに適応でき、決定されたＴＢＳは、ＴＴＩの現在のオーバヘッドのケースに適合し、それにより無線通信の信頼性及び精度を更に向上する。
【００１５】
第１の態様及び第１の態様の前述の実装を参照して、第１の態様の第５の実装では、前記第１ＴＴＩがアップリンク送信のために使用されるとき、前記第１時間周波数リソースのオーバヘッドは、以下のケースのうちの少なくとも１つを含む：前記第１時間周波数リソースの前記オーバヘッドは、前記第１時間周波数リソースの中でアップリンク制御情報により占有されるリソースの数又は比率を含み；又は、前記第１時間周波数リソースの前記オーバヘッドは、前記第１時間周波数リソースの中でアップリンク参照信号により占有されるリソースの数又は比率を含む。
【００１６】
ＴＢＳを決定するために使用される係数は、異なるオーバヘッド範囲について別個に構成され、その結果、係数は、異なるオーバヘッドのケースに適応でき、決定されたＴＢＳは、ＴＴＩの現在のオーバヘッドのケースに適応でき、それにより無線通信の信頼性及び精度を更に向上する。
【００１７】
第１の態様及び第１の態様の前述の実装を参照して、第１の態様の第６の実装では、前記Ｎ個の係数はＭ個の変調及び符号化方式ＭＣＳセットに対応し、Ｍ≧１であり、各ＭＣＳセットは少なくとも１つのＭＣＳを含み、各ＭＣＳセットは少なくとも１つの係数に対応し、任意の２つのＭＣＳセットに対応する係数の中に少なくとも１つの異なる係数があり、前記第１係数は第１ＭＣＳセットに対応する係数であり、前記第１ＭＣＳセットは、前記第１ＴＴＩにおいて前記端末装置により使用されるＭＣＳが属するＭＣＳセットである。
【００１８】
第１の態様及び第１の態様の前述の実装を参照して、第１の態様の第７の実装では、Ｎ個のＭＣＳセットがあり（言い換えると、Ｍ＝Ｎ）、Ｎ個のＭＣＳセットはＮ個のオーバヘッド範囲と１対１対応にある。
【００１９】
ＴＢＳを決定するために使用される係数は、異なるＭＣＳセットについて別個に構成され、その結果、係数は異なるＭＣＳの使用に適応でき、それによりシステムカバレッジを保証し、システムピークレートを増大し、及び／又は無線通信の信頼性及び精度を向上する。
【００２０】
第１の態様及び第１の態様の前述の実装によると、第１の態様の第８の実装では、前記Ｎ個の係数はＰ個の周波数ドメインリソース数範囲に対応し、Ｐ≧１であり、各周波数ドメインリソース数範囲は少なくとも１つの係数に対応し、任意の２つの周波数ドメインリソース数範囲に対応する係数の中に少なくとも１つの異なる係数があり、前記第１係数は第１周波数ドメインリソース数範囲に対応する係数であり、前記第１周波数ドメインリソース数範囲は、前記第１時間周波数リソースに対応する周波数ドメインリソース数の属する周波数ドメインリソース数範囲であり、前記第１周波数ドメインリソースは、前記第１ＴＴＩにおいて前記端末装置により使用される時間周波数リソースである。
【００２１】
第１の態様及び第１の態様の前述の実装を参照して、第１の態様の第９の実装では、Ｎ個の周波数ドメインリソース数範囲があり（言い換えると、Ｐ＝Ｎ）、前記Ｎ個の周波数ドメインリソース数範囲はＮ個のオーバヘッド範囲と１対１対応にある。
【００２２】
第１の態様及び第１の態様の前述の実装を参照して、第１の態様の第１０の実装では、前記周波数ドメインリソース数範囲は、ＲＢ数範囲を含み、前記周波数ドメインリソース数はＲＢ数を含む。
【００２３】
ＴＢＳを決定するために使用される係数は、異なる周波数ドメインリソース数範囲について別個に構成され、その結果、係数は、異なる周波数ドメインリソース数の使用に適応でき、決定されたＴＢＳは、ＴＴＩの現在の周波数ドメインリソース数の使用要件を満たし、それにより無線通信の信頼性及び精度を更に向上する。
【００２４】
第１の態様及び第１の態様の前述の実装を参照して、第１の態様の第１１の実装では、前記Ｎ個の係数はＱ個のＴＢＳセットに対応し、Ｑ≧１であり、各ＴＢＳセットは少なくとも１つのＴＢＳを含み、各ＴＢＳセットは少なくとも１つの係数に対応し、任意の２つのＴＢＳセットに対応する係数の中に少なくとも１つの異なる係数があり、前記第１係数は第１ＴＢＳセットに対応する係数であり、前記第１ＴＢＳセットは、前記第１ＴＴＩにおいて前記端末装置により使用されるＴＢＳが属するＴＢＳセットである。
【００２５】
第１の態様及び第１の態様の前述の実装を参照して、第１の態様の第１２の実装では、Ｎ個のＴＢＳセットがあり（言い換えると、Ｑ＝Ｎ）、Ｎ個のＴＢＳセットはＮ個のオーバヘッド範囲と１対１対応にある。
【００２６】
異なる係数が異なるＴＢＳセットについて別個に構成され、その結果、より信頼性の高い小さいＴＢＳが、異なる係数に基づく量子化を通じて取得でき、決定されたＴＢＳは異なるサービスの送信要件を満たす。
【００２７】
第１の態様及び第１の態様の前述の実装を参照して、第１の態様の第１３の実装では、端末装置により、第１係数を決定する前記ステップは、前記端末装置により、ネットワーク装置により送信された第１指示情報を受信するステップであって、前記第１指示情報は前記第１係数を含む、ステップを含む。
【００２８】
端末装置は、ネットワーク装置の指示に基づき第１係数を決定し、その結果、端末装置の負荷が低減できる。
【００２９】
第１の態様及び第１の態様の前述の実装を参照して、第１の態様の第１４の実装では、端末装置により、第１係数を決定する前記ステップは、前記端末装置により、前記第１ＴＴＩに基づき設定された前記第１係数セットから前記第１係数を決定するステップを含む。
【００３０】
端末装置は、第１係数を独立に決定し、その結果、ネットワーク装置と端末装置との間で、第１係数を示すシグナリングを送信するために使用されるオーバヘッドが削減できる。
【００３１】
第１の態様及び第１の態様の前述の実装を参照して、第１の態様の第１５の実装では、前記方法は、前記端末装置により、前記ネットワーク装置により送信された第２指示情報を受信するステップであって、前記第２指示情報は前記第１係数セットを示す、ステップを更に含む。
【００３２】
端末装置は、ネットワーク装置の指示に基づき第１係数セットを決定し、その結果、端末装置の負荷が低減できる。
【００３３】
第１の態様及び第１の態様の前述の実装を参照して、第１の態様の第１６の実装では、前記第１係数セットに含まれる前記Ｎ個の係数は、前記第１ＴＴＩに含まれるシンボルの数又は前記第１ＴＴＩの属するサブフレームのＴＴＩ構造に基づき決定される。
【００３４】
第１の態様及び第１の態様の前述の実装を参照して、第１の態様の第１７の実装では、前記第１係数セットは、第１ＴＴＩを含む複数のＴＴＩにより共有される係数セットであり、前記複数のＴＴＩは異なる数のシンボルを含み、又は前記複数のＴＴＩの属するサブフレームは異なるＴＴＩ構造を有する。
【００３５】
第１の態様及び第１の態様の前述の実装を参照して、第１の態様の第１８の実装では、前記第１係数セットは、前記第１ＴＴＩに特有の係数セットである。
【００３６】
第１の態様又は第１の態様の前述の可能な実装に関して、第１の態様の第１９の可能な実装では、前記方法は、前記端末装置により、第２係数を決定するステップであって、前記第２係数は、第２ＴＴＩに対応するユニークな係数であり、前記第２ＴＴＩの長さは前記第１ＴＴＩの長さより長い、ステップと、前記端末装置により、前記第２係数に基づき第２ＴＢＳを決定するステップと、前記端末装置により、前記第２ＴＴＩにおいて前記第２ＴＢＳに基づき無線通信を実行するステップと、を更に含む。
【００３７】
第２の態様によると、無線通信方法が提供される。当該方法は、ネットワーク装置により、第１係数を決定するステップであって、前記第１係数は第１送信時間間隔ＴＴＩに対応する第１係数セットに属し、前記第１係数セットはＮ個の係数を含み、Ｎ≧２であり、前記Ｎ個の係数は前記第１ＴＴＩにおけるアップリンク送信のために使用される少なくとも２つの係数、又は前記第１ＴＴＩにおけるダウンリンク送信のために使用される少なくとも２つの係数を含む、ステップと、前記ネットワーク装置により、前記第１係数に基づき第１トランスポートブロックサイズＴＢＳを決定するステップと、前記ネットワーク装置により、前記第１ＴＴＩにおける前記第１ＴＢＳに基づき、端末装置との無線通信を実行するステップと、を含む。
【００３８】
ＴＢＳを決定するために使用される２つ以上の係数は、１つのＴＴＩについて構成され、その結果、ＴＢＳを決定するために、ＴＴＩの現在の使用に基づき適正な係数が選択可能であり、決定されたＴＢＳは現在の通信状態に対応でき、それにより無線通信の信頼性及び精度を向上する。
【００３９】
第２の態様を参照し、第２の態様の第１の実装では、前記Ｎ個の係数はＫ個のオーバヘッド範囲に対応し、Ｋ≧１であり、各オーバヘッド範囲は少なくとも１つの係数に対応し、任意の２つのオーバヘッド範囲に対応する係数の中に少なくとも１つの異なる係数があり、前記第１係数は、第１オーバヘッド範囲に対応する係数であり、前記第１オーバヘッド範囲は、第１時間周波数リソースのオーバヘッドが属するオーバヘッド範囲であり、前記第１時間周波数リソースは前記第１ＴＴＩにおいて前記端末装置により使用される時間周波数リソースである。
【００４０】
第２の態様及び第２の態様の前述の実装を参照して、第２の態様の第２の実装では、Ｎ個のオーバヘッド範囲があり（言い換えると、Ｋ＝Ｎ）、Ｎ個の係数はＮ個のオーバヘッド範囲と１対１対応にある。
【００４１】
第２の態様及び第２の態様の前述の実装を参照して、第２の態様の第３の実装では、前記第１時間周波数リソースのオーバヘッドは、以下のパラメータ：前記第１時間周波数リソースの中で制御情報により占有されるリソースエレメントＲＥの数、前記第１時間周波数リソースの中で前記制御情報により占有されるリソースブロックＲＢの数、前記第１時間周波数リソースの中で前記制御情報により占有される制御チャネルエレメントＣＣＥの数、前記第１時間周波数リソースの中で参照信号により占有されるリソースエレメントＲＥの数、前記第１時間周波数リソースの中で前記参照信号により占有されるシンボルの数、のうちの少なくとも１つを含む。
【００４２】
第２の態様及び第２の態様の前述の実装を参照して、第２の態様の第４の実装では、前記第１ＴＴＩがダウンリンク送信のために使用されるとき、前記第１時間周波数リソースの前記オーバヘッドは、以下の場合のうちの少なくとも１つを含む：前記第１時間周波数リソースの前記オーバヘッドは、前記第１時間周波数リソースの中でセル固有参照信号ＣＲＳにより占有されるリソースの数又は比率を含む；前記第１時間周波数リソースの前記オーバヘッドは、前記第１時間周波数リソースの中で端末装置固有参照信号ＤＭＲＳにより占有されるリソースの数又は比率を含む；又は、前記第１時間周波数リソースの前記オーバヘッドは、前記第１時間周波数リソースの中でダウンリンク制御チャネルにより占有されるリソースの数又は比率を含む。
【００４３】
ＴＢＳを決定するために使用される係数は、異なるオーバヘッド範囲について別個に構成され、その結果、係数は、異なるオーバヘッドのケースに適応でき、決定されたＴＢＳは、ＴＴＩの現在のオーバヘッドのケースに適応でき、それにより無線通信の信頼性及び精度を更に向上する。
【００４４】
第２の態様及び第２の態様の前述の実装を参照して、第２の態様の第５の実装では、前記第１ＴＴＩがアップリンク送信のために使用されるとき、前記第１時間周波数リソースのオーバヘッドは、以下のケースのうちの少なくとも１つを含む：前記第１時間周波数リソースの前記オーバヘッドは、前記第１時間周波数リソースの中でアップリンク制御情報により占有されるリソースの数又は比率を含み；又は、前記第１時間周波数リソースの前記オーバヘッドは、前記第１時間周波数リソースの中でアップリンク参照信号により占有されるリソースの数又は比率を含む。
【００４５】
ＴＢＳを決定するために使用される係数は、異なるオーバヘッド範囲について別個に構成され、その結果、係数は、異なるオーバヘッドのケースに適応でき、決定されたＴＢＳは、ＴＴＩの現在のオーバヘッドのケースに適応でき、それにより無線通信の信頼性及び精度を更に向上する。
【００４６】
第２の態様及び第２の態様の前述の実装を参照して、第２の態様の第６の実装では、前記Ｎ個の係数はＭ個の変調及び符号化方式ＭＣＳセットに対応し、Ｍ≧１であり、各ＭＣＳセットは少なくとも１つのＭＣＳを含み、各ＭＣＳセットは少なくとも１つの係数に対応し、任意の２つのＭＣＳセットに対応する係数の中に少なくとも１つの異なる係数があり、前記第１係数は第１ＭＣＳセットに対応する係数であり、前記第１ＭＣＳセットは、前記第１ＴＴＩにおいて前記端末装置により使用されるＭＣＳが属するＭＣＳセットである。
【００４７】
第２の態様及び第２の態様の前述の実装を参照して、第２の態様の第７の実装では、Ｎ個のＭＣＳセットがあり（言い換えると、Ｍ＝Ｎ）、Ｎ個のＭＣＳセットはＮ個のオーバヘッド範囲と１対１対応にある。
【００４８】
ＴＢＳを決定するために使用される係数は、異なるＭＣＳセットについて別個に構成され、その結果、係数は異なるＭＣＳの使用に適応でき、それによりシステムカバレッジを保証し、システムピークレートを増大し、及び／又は無線通信の信頼性及び精度を向上する。
【００４９】
第２の態様及び第２の態様の前述の実装によると、第２の態様の第８の実装では、前記Ｎ個の係数はＰ個の周波数ドメインリソース数範囲に対応し、Ｐ≧１であり、各周波数ドメインリソース数範囲は少なくとも１つの係数に対応し、任意の２つの周波数ドメインリソース数範囲に対応する係数の中に少なくとも１つの異なる係数があり、前記第１係数は第１周波数ドメインリソース数範囲に対応する係数であり、前記第１周波数ドメインリソース数範囲は、前記第１時間周波数リソースに対応する周波数ドメインリソース数の属する周波数ドメインリソース数範囲であり、前記第１周波数ドメインリソースは、前記第１ＴＴＩにおいて前記端末装置により使用される時間周波数リソースである。
【００５０】
第２の態様及び第２の態様の前述の実装を参照して、第２の態様の第９の実装では、Ｎ個の周波数ドメインリソース数範囲があり（言い換えると、Ｐ＝Ｎ）、前記Ｎ個の周波数ドメインリソース数範囲はＮ個のオーバヘッド範囲と１対１対応にある。
【００５１】
第２の態様及び第２の態様の前述の実装を参照して、第２の態様の第１０の実装では、前記周波数ドメインリソース数範囲は、ＲＢ数範囲を含み、前記周波数ドメインリソース数はＲＢ数を含む。
【００５２】
ＴＢＳを決定するために使用される係数は、異なる周波数ドメインリソース数範囲について別個に構成され、その結果、係数は、異なる周波数ドメインリソース数の使用に適応でき、決定されたＴＢＳは、ＴＴＩの現在の周波数ドメインリソース数の使用要件を満たし、それにより無線通信の信頼性及び精度を更に向上する。
【００５３】
第２の態様及び第２の態様の前述の実装を参照して、第２の態様の第１１の実装では、前記Ｎ個の係数はＱ個のＴＢＳセットに対応し、Ｑ≧１であり、各ＴＢＳセットは少なくとも１つのＴＢＳを含み、各ＴＢＳセットは少なくとも１つの係数に対応し、任意の２つのＴＢＳセットに対応する係数の中に少なくとも１つの異なる係数があり、前記第１係数は第１ＴＢＳセットに対応する係数であり、前記第１ＴＢＳセットは、前記第１ＴＴＩにおいて前記端末装置により使用されるＴＢＳが属するＴＢＳセットである。
【００５４】
第２の態様及び第２の態様の前述の実装を参照して、第２の態様の第１２の実装では、Ｎ個のＴＢＳセットがあり（言い換えると、Ｑ＝Ｎ）、Ｎ個のＴＢＳセットはＮ個のオーバヘッド範囲と１対１対応にある。
【００５５】
異なる係数が異なるＴＢＳセットについて別個に構成され、その結果、より信頼性の高い小さいＴＢＳが、異なる係数に基づく量子化を通じて取得でき、決定されたＴＢＳは異なるサービスの送信要件を満たす。
【００５６】
第２の態様及び第２の態様の前述の実装を参照して、第２の態様の第１３の実装では、ネットワーク装置により、第１係数を決定する前記ステップは、前記ネットワーク装置により、前記第１係数セットを決定するステップと、前記ネットワーク装置により、前記第１ＴＴＩに基づき前記第１係数セットから前記第１係数を決定するステップと、を含む。
【００５７】
第２の態様及び第２の態様の前述の実装を参照して、第２の態様の第１４の実装では、前記方法は、前記ネットワーク装置により、前記端末装置へ第１指示情報を送信するステップであって、前記第１指示情報は前記第１係数を示す、ステップを更に含む。
【００５８】
ネットワーク装置は、第１係数として、ＴＴＩの現在の使用要件を満たす係数を柔軟に選択でき、それにより、無線通信の信頼性及び精度を更に向上する。
【００５９】
第２の態様及び第２の態様の前述の実装を参照して、第２の態様の第１５の実装では、前記方法は、前記ネットワーク装置により、前記端末装置へ第２指示情報を送信するステップであって、前記第２指示情報は前記第１係数セットを示す、ステップを更に含む。
【００６０】
第２の態様及び第２の態様の前述の実装を参照して、第２の態様の第１６の実装では、前記第１係数セットに含まれる前記Ｎ個の係数は、前記第１ＴＴＩに含まれるシンボルの数又は前記第１ＴＴＩの属するサブフレームのＴＴＩ構造に基づき決定される。
【００６１】
第２の態様及び第２の態様の前述の実装を参照して、第２の態様の第１７の実装では、前記第１係数セットは、第１ＴＴＩを含む複数のＴＴＩにより共有される係数セットであり、前記複数のＴＴＩは異なる数のシンボルを含み、又は前記複数のＴＴＩの属するサブフレームは異なるＴＴＩ構造を有する。
【００６２】
第２の態様及び第２の態様の前述の実装を参照して、第２の態様の第１８の実装では、前記第１係数セットは、前記第１ＴＴＩに特有の係数セットである。
【００６３】
第２の態様又は第２の態様の前述の可能な実装に関して、第２の態様の第１９の可能な実装では、前記方法は、前記ネットワーク装置により、第２係数を決定するステップであって、前記第２係数は、第２ＴＴＩに対応するユニークな係数であり、前記第２ＴＴＩの長さは前記第１ＴＴＩの長さより長い、ステップと、前記ネットワーク装置により、前記第２係数に基づき第２ＴＢＳを決定するステップと、前記ネットワーク装置により、前記第２ＴＴＩにおいて前記第２ＴＢＳに基づき無線通信を実行するステップと、を更に含む。
【００６４】
第３の態様によると、第１の態様及び第１の態様の任意の可能な実装における方法を実行するよう構成される、又は第２の態様及び第２の態様の任意の可能な実装における方法を実行するよう構成される無線通信機器が提供される。具体的に、前記無線通信機器は、第１の態様及び第１の態様の任意の可能な実装における方法を実行するよう構成されるユニット、又は第２の態様及び第２の態様の任意の可能な実装における方法を実行するよう構成されるユニットを含んでよい。
【００６５】
第４の態様によると、メモリとプロセッサとを含む無線通信装置が提供される。前記メモリは、コンピュータプログラムを格納するよう構成され、前記プロセッサは、前記メモリから前記コンピュータプログラムを呼び出し及び前記コンピュータプログラムを実行するよう構成され、その結果、無線通信装置は、第１の態様及び第１の態様の任意の可能な実装における方法を実行し、又は第２の態様及び第２の態様の任意の可能な実装における方法を実行する。
【００６６】
第５の態様によると、コンピュータプログラムプロダクトが提供される。前記コンピュータプログラムプロダクトは、コンピュータプログラムコードを含み、前記コンピュータプログラムコードが受信ユニット、処理ユニット、及び送信ユニットにより、又は通信装置（例えば、ネットワーク装置又は端末装置）の受信機、プロセッサ、及び送信機により実行されると、前記通信装置は、第１の態様及び第１の態様の任意の可能な実装における方法を実行し、又は第２の態様及び第２の態様の任意の可能な実装における方法を実行する。
【００６７】
第６の態様によると、コンピュータ可読記憶媒体が提供される。前記コンピュータ可読記憶媒体は、プログラムを格納し、前記プログラムは、通信装置（例えば、ネットワーク装置又は端末装置）が、第１の態様及び第１の態様の任意の可能な実装における方法を実行し、又は第２の態様及び第２の態様の任意の可能な実装における方法を実行することを可能にする。
【図面の簡単な説明】
【００６８】
【図１】本発明の実施形態による無線通信方法及び機器の適用される通信システムの概略アーキテクチャ図である。
【００６９】
【図２】サブフレーム内の２シンボルＴＴＩ構造の一例の概略図である。
【００７０】
【図３】サブフレーム内の２シンボルＴＴＩ構造の別の例の概略図である。
【００７１】
【図４】サブフレーム内の２シンボルＴＴＩ構造の更に別の例の概略図である。
【００７２】
【図５】オーバヘッド又はＴＴＩ内の利用可能リソース上で生じ得る異なる場合の一例の概略図である。
【００７３】
【図６】オーバヘッド又はＴＴＩ内の利用可能リソース上で生じ得る異なる場合の別の例の概略図である。
【００７４】
【図７】ＴＴＩ内のＣＲＳオーバヘッド上で生じ得る異なる場合の概略図である。
【００７５】
【図８】本発明の一実施形態による無線通信方法の一例の概略相互作用図である。
【００７６】
【図９】本発明の一実施形態による無線通信方法の別の例の概略相互作用図である。
【００７７】
【図１０】本発明の一実施形態による無線通信機器の一例の概略ブロック図である。
【００７８】
【図１１】本発明の一実施形態による無線通信機器の別の例の概略ブロック図である。
【００７９】
【図１２】本発明の一実施形態による無線通信機器の更に別の例の概略ブロック図である。
【００８０】
【図１３】本発明の一実施形態による無線通信機器の更に別の例の概略ブロック図である。
【発明を実施するための形態】
【００８１】
以下は、添付の図面を参照して本願の技術的ソリューションを記載する。
【００８２】
本願明細書で使用される「コンポーネント」、「モジュール」及び「システム」のような用語は、コンピュータ関連エンティティ、ハードウェア、ファームウェア、ハードウェアとソフトウェアの組み合わせ、ソフトウェア、又は実行中のソフトウェアを示すために使用される。例えば、コンポーネントは、プロセッサで実行するプロセス、プロセッサ、オブジェクト、実行ファイル、実行スレッド、プログラム、及び／又はコンピュータであってよいが、これらに限定されない。図示のように、コンピューティング装置上で実行するアプリケーション及びコンピューティング装置の両者はコンポーネントであってよい。１つ以上のコンポーネントは、プロセス及び／又は実行スレッド内に存在してよく、１つのコンピュータに及び／又は２以上のコンピュータに分散されて配置されてよい。さらに、これらのコンポーネントは、種々のデータ構造を格納する種々のコンピュータ可読媒体から実行されてよい。コンポーネントは、例えば１つ以上のデータパケットを有する信号（例えば、ローカルシステム内の、分散システム内の、及び／又は信号を用いて別のシステムと相互作用するインターネットのようなネットワークに渡り、別のコンポーネントと相互作用する２つのコンポーネントからのデータ）に基づき、ローカル及び／又はリモートプロセスを用いて、通信してよい。
【００８３】
理解されるべきことに、本発明の実施形態の技術的ソリューションは、グローバルシステム・フォー・モバイルコミュニケーション（Global  System  of  Mobile  communication、ＧＳＭ）、符号分割多元接続（Code  Division  Multiple  Access、ＣＤＭＡ）システム、広帯域符号分割多元接続（Wideband  Code  Division  Multiple  Access  Wireless、ＷＣＤＭＡ）システム、ジェネラルパケット無線サービス（General  Packet  Radio  Service、ＧＰＲＳ）、及びロングタームエボリューション（Long  Term  Evolution、ＬＴＥ）システム、ユニバーサル・モバイル・テレコミュニケーション・システム（Universal  Mobile  Telecommunications  System、ＵＭＴＳ）、又は次世代通信システムのような種々の通信システムに適用されてよい。
【００８４】
通常、伝統的な通信システムは、限られた数の接続をサポートし、実装が容易である。しかしながら、通信技術の進化に伴い、伝統的な通信に加えて、移動体通信システムは、例えば、装置間（Device−to−Device、Ｄ２Ｄ）通信、機械間（Machine−to−Machine、Ｍ２Ｍ）通信、機械型通信（Machine  Type  Communication、ＭＴＣ）、及び車車間（Vehicle−to−Vehicle、Ｖ２Ｖ）通信を更にサポートする。
【００８５】
種々の実施形態は、本発明の実施形態では、端末装置を参照して記載される。端末装置は、ユーザ機器（User  Equipment、ＵＥ）、アクセス端末、加入者ユニット、加入者局、移動局、移動体コンソール、リモート局、リモート端末、モバイル装置、ユーザ端末、端末、無線通信装置、ユーザエージェント、又はユーザ装置とも呼ばれてよい。端末装置は、無線ローカルエリアネットワーク（Wireless  Local  Area  Networks、ＷＬＡＮ）内にある局（Station、ＳＴＡ）であってよく、又はセルラ電話機、コードレス電話機セット、セッション開始プロトコル（Session  Initiation  Protocol、ＳＩＰ）電話機、無線ローカルループ（Wireless  Local  Loop、ＷＬＬ）局、パーソナルデジタルアシスタント（Personal  Digital  Assistant、ＰＤＡ）装置、無線通信機能を備えるハンドヘルド装置、無線モデムに接続されるコンピューティング装置又は別の処理装置、車内装置、ウェアラブル装置、第５世代（fifth−generation、５Ｇ）通信ネットワークのような次世代通信システムにおける端末装置、又は将来の進化型公衆地上移動体ネットワーク（Public  Land  Mobile  Network、ＰＬＭＮ）における端末装置、であってよい。
【００８６】
限定ではなく例として、本発明の実施形態では、端末装置は代替としてウェアラブル装置であってよい。ウェアラブル装置は、ウェアラブルスマート装置とも呼ばれることがあり、装着でき且つ知的に設計されることにより開発された、ウェアラブル技術を適用することにより毎日装着する眼鏡、グローブ、腕時計、衣服、又は靴のようなデバイスの汎用的用語である。ウェアラブル装置は、身体に直接装着される又はユーザの衣服若しくはアクセサリに統合される、ポータブル装置である。ウェアラブル装置は、ハードウェア装置を超え、ソフトウェアサポート、データ交換、及びクラウド相互作用を通じて強力な機能を実装する。一般的なウェアラブルスマート装置は、スマートウォッチ又はスマート眼鏡のような全機能搭載型の、且つスマートフォンを有しないで全部又は一部の機能を実装できる大型装置、並びに、生体信号監視のための種々のスマートバンド若しくはスマートジュエリーのような、１つの特定種類のアプリケーション機能のみに焦点を当て、スマートフォンのような別の装置と一緒に使用される必要のある装置、を含む。
【００８７】
さらに、種々の実施形態は、本発明の実施形態では、ネットワーク装置を参照して記載される。ネットワーク装置は、モバイル装置と通信するために使用される装置であってよい。ネットワーク装置は、ＷＬＡＮにおけるアクセスポイント（Access  Point、ＡＰ）、ＧＳＭ又はＣＤＭＡにおける基地通信局（Base  Transceiver  Station、ＢＴＳ）であってよく、ＷＣＤＭＡにおけるＮｏｄｅＢ（NodeB、ＮＢ）であってよく、又はＬＴＥにおける進化型ＮｏｄｅＢ（Evolutional  NodeB、eNB、又はeNodeB）、中継局、アクセスポイント、車内装置、ウェアラブル装置、将来の５Ｇネットワークにおけるネットワーク装置、又は将来の進化型ＰＬＭＮにおけるネットワーク装置、であってよい。
【００８８】
さらに、本発明の実施形態では、端末装置はセル内で無線通信を実行してよい。セルは、ネットワーク装置（例えば、基地局）に対応するセルであってよい。セルは、マクロ基地局に属してよく、又はスモールセル（small  cell）に対応する基地局に属してよい。スモールセルは、ここでは、メトロセル（Metro  cell）、マイクロセル（Micro  cell）、ピコセル（Pico  cell）、フェムトセル（Femto  cell）、等を含んでよい。これらのスモールセルは、小さなカバレッジエリア及び低い送信電力により特徴付けられ、高速データ伝送サービスを提供するのに適する。
【００８９】
さらに、複数のセルは、同じ周波数における、ＬＴＥシステム内のキャリア上で同時に動作してよい。幾つかの特別なシナリオでは、ＬＴＥシステム内のキャリア及びセルは概念上等価であると考えられてよい。例えば、キャリアアグリゲーション（Carrier  Aggregation、ＣＡ）シナリオでは、２次コンポーネントキャリアがＵＥのために構成されると、２次コンポーネントキャリアのキャリアインデックス及び２次コンポーネントキャリア上で動作する２次サービングセルのセル識別子（Cell  Identifier、Ｃｅｌｌ  ＩＤ）の両方が、伝達される。この場合、キャリア及びセルは概念上等価であると考えられてよい。例えば、ＵＥによるキャリアへのアクセスは、ＵＥによるセルへのアクセスと等価である。
【００９０】
本発明の実施形態で提供される方法及び機器は、端末装置又はネットワーク装置に適用されてよい。端末装置又はネットワーク装置は、ハードウェアレイヤ、ハードウェアレイヤの上位で動作するオペレーティングシステムレイヤ、オペレーティングシステムレイヤの上位で動作するアプリケーションレイヤを含む。ハードウェアレイヤは、中央処理ユニット（Central  Processing  Unit、ＣＰＵ）、メモリ管理ユニット（Memory  Management  Unit、ＭＭＵ）、及びメモリ（メインメモリとも呼ばれる）を含む。オペレーティングシステムは、Ｌｉｎｕｘオペレーティングシステム、Ａｎｄｒｏｉｄオペレーティングシステム、ｉＯＳオペレーティングシステム、又はＷｉｎｄｏｗｓオペレーティングシステムのような、プロセス（Process）を用いてサービス処理を実施する１つ以上のコンピュータオペレーティングシステムであってよい。アプリケーションレイヤは、ブラウザ、アドレス帳、ワードプロソフトウェア、及びインスタントメッセージングソフトウェアのようなアプリケーションを含む。さらに、本発明の実施形態では、無線通信方法を実行するエンティティの特定構造は、本発明の実施形態における無線通信方法を用いて通信を実行するために、エンティティが本発明の実施形態における無線通信方法のプログラム記録コードを実行可能ならば、本発明の実施形態において特に限定されない。例えば、本発明の実施形態における無線通信方法は、端末装置、ネットワーク装置、又は端末装置若しくはネットワーク装置内にあり且つプログラムを呼び出し実行可能な機能モジュールにより実行されてよい。
【００９１】
さらに、本発明の実施形態の種々の態様又は特徴は、標準的なプログラミング及び／又はエンジニアリング技術を使用する方法、機器、又はプロダクトとして実施されてよい。本願で使用される用語「プロダクト」は、任意のコンピュータ可読装置、キャリア、又は媒体からアクセス可能なコンピュータプログラムを包含する。例えば、コンピュータ可読媒体は、限定ではないが、磁気記憶装置（例えば、ハードディスク、フロッピーディスク、又は磁気テープ）、光ディスク（例えば、コンパクトディスク（Compact  Disk、ＣＤ）、デジタルバーサタイルディスク（Digital  Versatile  Disk、ＤＶＤ））、スマートカード及びフラッシュメモリ装置（例えば、消去可能プログラマブル読み出し専用メモリ（Erasable  Programmable  Read−Only  Memory、ＥＰＲＯＭ）、カード、スティック、又はキードライブ））を含んでよい。さらに、本願明細書に記載の種々の記憶媒体は、情報を格納するために使用される１又は複数の装置及び／又は別の機械可読媒体を示してよい。用語「機械可読媒体」は、限定ではなく、命令及び／又はデータを格納し、含み、及び／又は運ぶことが可能な無線チャネル及び種々の他の媒体を含んでよい。
【００９２】
図１は、本発明の実施形態が適用される無線通信システムの概略図である。図１に示すように、通信システム１００はネットワーク装置１０２を含む。ネットワーク装置１０２は、１つ以上のアンテナ、例えばアンテナ１０４、１０６、１０８、１１０、１１２、及び１１４を含んでよい。さらに、ネットワーク装置１０２は、追加で送信機チェーン及び受信機チェーンを含んでよい。当業者は、送信機チェーン及び受信機チェーンがそれぞれ、信号送信及び受信に関連する複数のコンポーネント（例えば、プロセッサ、変調器、マルチプレクサ、復調器、デマルチプレクサ、又はアンテナ）を含んでよいことを理解し得る。
【００９３】
ネットワーク装置１０２は、複数の端末装置（例えば、端末装置１１６及び端末装置１２２）と通信してよい。しかしながら、ネットワーク装置１０２は端末装置１１６又は１２２と類似する任意の数の端末装置と通信してよいことが理解され得る。端末装置１１６及び１２２は、それぞれ、例えば、セルラフォン、スマートフォン、ポータブルコンピュータ、ハンドヘルド通信装置、ハンドヘルドコンピューティング装置、衛星無線機器、全地球測位システム、ＰＤＡ、及び／又は無線通信システム１００における通信のために使用される任意の他の適切な装置であってよい。
【００９４】
図１に示すように、端末装置１１６は、アンテナ１１２及び１１４と通信する。アンテナ１１２及び１１４は、順方向リンク（ダウンリンクとも呼ばれる）１１８を介して端末装置１１６へ情報を送信し、及び逆方向リンク（アップリンクとも呼ばれる）１２０を介して端末装置１１６から情報を受信する。さらに、端末装置１２２は、アンテナ１０４及び１０６と通信する。アンテナ１０４及び１０６は、順方向リンク１２４を介して端末装置１２２へ情報を送信し、逆方向リンク１２６を介して端末装置１２２から情報を受信する。
【００９５】
例えば、周波数分割複信（Frequency  Division  Duplex、ＦＤＤ）システムでは、順方向リンク１１８及び逆方向リンク１２０は、異なる帯域を使用してよく、順方向リンク１２４及び逆方向リンク１２６は異なる帯域を使用してよい。
【００９６】
別の例として、時分割複信（Time  Division  Duplex、ＴＤＤ）システム及び全二重（Full  Duplex）システムでは、順方向リンク１１８及び逆方向リンク１２０は、同じ帯域を使用してよく、順方向リンク１２４及び逆方向リンク１２６は同じ帯域を使用してよい。
【００９７】
各アンテナ（又は複数のアンテナを含むアンテナグループ）及び／又は通信のために指定された領域は、ネットワーク装置１０２のセクタと呼ばれる。例えば、アンテナグループは、ネットワーク装置１０２のカバレッジ内にあるセクタ内の端末装置と通信するよう構成されてよい。ネットワーク装置は、単一のアンテナを用いて、該単一のアンテナに対応するセクタ内の全ての端末装置へ信号を送信してよい。ネットワーク装置１０２がそれぞれ順方向リンク１１８及び１２４を介して端末装置１１６及び１２２と通信するとき、ネットワーク装置１０２の送信アンテナは、ビームフォーミングを通じて順方向リンク１１８及び１２４の信号対雑音比を増大してよい。さらに、ネットワーク装置が単一アンテナを用いて該単一アンテナに対応する全ての端末装置へ信号を送信する方法と比べて、ネットワーク装置１０２によりビームフォーミングを通じて、関連カバレッジエリア内にランダムに分散した端末装置１１６及び１２２へ信号を送信することは、近隣セル内のモバイル装置との干渉をあまり生じない。
【００９８】
所与の時間内に、ネットワーク装置１０２、端末装置１１６、又は端末装置１２２は、無線通信送信機器及び／又は無線通信受信機器であってよい。データを送信するとき、無線通信送信機は、送信のためのデータを符号化してよい。具体的に、無線通信送信機器は、チャネルを通じて無線通信受信機器へ送信される必要のある特定数のデータビットを取得して（例えば、生成し、別の通信機器から受信し、又はメモリに格納して）よい。データビットは、データのトランスポートブロック（又は複数のトランスポートブロック）に含まれてよく、トランスポートブロックは複数のコードブロックを生成するためにセグメント化されてよい。
【００９９】
さらに、通信システム１００は、ＰＬＭＮ、Ｄ２Ｄネットワーク、Ｍ２Ｍネットワーク、又は別のネットワークであってよい。図１は、簡易概略図の単なる一例である。ネットワークは、図１に示されない別のネットワーク装置を更に含んでよい。
【０１００】
無線通信のために通信システム１００内で使用される時間周波数リソースは、以下に詳細に記載される。
【０１０１】
本発明の実施形態では、無線通信のために通信システム１００内で使用される時間周波数リソースは、時間ドメインにおいて複数の送信時間間隔（Transmission  Time  Interval、ＴＴＩ）に分割されてよい。ＴＴＩは、現在の通信システム（例えば、ＬＴＥシステム）において一般的に使用されるパラメータであり、無線リンク上のデータ送信をスケジューリングするスケジューリング単位である。従来、通常、１ＴＴＩ＝１ｍｓと考えられる。言い換えると、１ＴＴＩは１サブフレーム（subframe）又は２つのスロット（slot）である。ＴＴＩは、（スケジューリングのような）無線リソース管理における基本時間単位である。
【０１０２】
通信ネットワークでは、遅延は主要性能指示子であり、ユーザの使用経験に影響する。通信プロトコルの発展により、遅延に最も有意に影響する物理レイヤスケジューリング間隔が益々小さくなっている。スケジューリング間隔（つまり、ＴＴＩ）は、初めにＷＣＤＭＡでは１０ｍｓであり、次に高速パケットアクセス（High  Speed  Packet  Access、ＨＳＰＡ）では２ｍｓに短縮され、ロングタームエボリューション（Long  Term  Evolution、ＬＴＥ）では１ｍｓに短縮されている。
【０１０３】
低遅延サービス要件により、スケジューリング間隔を更に短縮するために、より短いＴＴＩフレーム構造がＬＴＥ物理レイヤのために導入される必要がある。例えば、ＴＴＩ長は、１ｍｓから、１シンボル（symbol）乃至１スロット（７個のシンボルを含む）の範囲に短縮され得る。上述のシンボルは、ＬＴＥシステムにおける直交周波数分割多重（Orthogonal  Frequency  Division  Multiplexing、ＯＦＤＭ）シンボル又はシングルキャリア周波数分割多元接続（Single  Carrier  Frequency  Division  Multiple  Access、ＳＣ−ＦＤＭＡ）シンボルであってよく、或いは別の通信システムにおけるシンボルであってよい。
【０１０４】
長さが１ｍｓのＴＴＩに基づくデータ送信では、データ送信のラウンドトリップ時間（Round  Trip  Time、ＲＴＴ）は８ｍｓである。長さが１ｍｓ未満のＴＴＩのスケジューリングの処理時間は、長さが１ｍｓの既存のＴＴＩのスケジューリングの処理時間に対して比例的に減少すると仮定する。言い換えると、依然として既存のＲＴＴ遅延に従う。長さが１スロットであるｓＴＴＩに基づくデータ送信では、データ送信のＲＴＴは８スロット、つまり４ｍｓである。遅延は、長さが１ｍｓのＴＴＩに基づくデータ送信に対して半減できる。したがって、ユーザ経験が向上する。
【０１０５】
長さが１サブフレーム（又は１ｍｓ）のＴＴＩは、短送信時間間隔（short  Transmission  Time  Interval、ｓＴＴＩ）と呼ばれてよい。例えば、ｓＴＴＩの長さは、１シンボルから７シンボルまでの任意の長さであってよく、又は、ｓＴＴＩの長さは、１シンボルから７シンボルまでの中の少なくとも２個の異なる長さの組み合わせであってよい。例えば、１ｍｓは４ｓＴＴＩを含み、ｓＴＴＩの長さは、別々に４シンボル、３シンボル、４シンボル、及び３シンボルであってよく、又は、別々に４シンボル、３シンボル、３シンボル、及び４シンボルであってよく、又は他の異なる長さの組み合わせであってよい。
【０１０６】
さらに、アップリンクｓＴＴＩ長は、ダウンリンクｓＴＴＩ長と同じであってよい。例えば、アップリンクｓＴＴＩ長及びダウンリンクｓＴＴＩ長は、それぞれ２シンボルである。
【０１０７】
代替として、アップリンクｓＴＴＩ長は、ダウンリンクｓＴＴＩ長より大きくてよい。例えば、アップリンクｓＴＴＩ長は７シンボルであり、ダウンリンクｓＴＴＩ長は２シンボルである。
【０１０８】
代替として、アップリンクｓＴＴＩ長は、ダウンリンクｓＴＴＩ長より小さくてよい。例えば、アップリンクｓＴＴＩ長は４シンボルであり、ダウンリンクｓＴＴＩ長は１サブフレームである。
【０１０９】
ＴＴＩ長が１サブフレーム又は１ｍｓ未満のデータパケットは、短ＴＴＩデータパケットと呼ばれる。短ＴＴＩデータ送信は、周波数ドメインにおいて連続的に又は不連続に実行されてよい。留意すべきことに、後方互換性について、長さが１ｍｓのＴＴＩに基づくデータ送信及びｓＴＴＩに基づくデータ送信の両者がシステム内に共存してよい。
【０１１０】
本発明の実施形態では、理解及び差別化を容易にするために、従来技術（例えば、ＬＴＥシステム）で指定されたＴＴＩ（例えば、長さが１ｍｓのＴＴＩ又は長さが１ｍｓより大きいＴＴＩ）及びｓＴＴＩは、集合的にＴＴＩと呼ばれる。言い換えると、本発明の実施形態では、ＴＴＩの長さは実際の必要に基づき変更されてよい。
【０１１１】
本発明の実施形態では、通信システム１００内で使用される時間周波数リソースは、免許時間周波数リソースであってよく、又は無免許時間周波数リソースであってよい。言い換えると、本発明の実施形態では、通信システム１００内の各通信装置（例えば、ネットワーク装置又は端末装置）は、時間周波数リソースを用いて許可無し送信方式に基づき通信を実行してよく、又は時間周波数リソースを用いて許可方式で通信を実行してよい。これは、本発明の実施形態において特に限定されない。
【０１１２】
無免許時間周波数リソースは、通信システムにより共有可能な免許不要時間ドメイン及び周波数ドメインリソースである。免許不要帯域上のリソース共有は、特定スペクトルの使用のために、送信電力及び帯域外放射のような指標にのみ制限が課せられて、該帯域を共有する複数の装置が基本共存要件を満たすことを保証することを意味する。オペレータは、免許不要帯域リソースを用いてネットワーク容量オフローディングを実装できるが、免許不要帯域リソース上の異なる領域及び異なるスペクトルの規制条件に従う必要がある。これらの要件は、通常、レーダのような公共システムを保護するために、及び複数のシステムが公平に共存し、互いに可能な限り少ない悪影響しか生じないことを保証するために、課され、送信電力限度、帯域外放射指示、屋内及び屋外使用制限を含む。さらに、幾つかの領域は、幾つかの追加共存ポリシ等を更に有する。例えば、通信装置は、接続又はリスニング、例えばリッスン・ビフォー・トーク（Listen  Before  Talk、ＬＢＴ）を通じて時間周波数リソースを使用できる。
【０１１３】
将来のネットワークにおける膨大な数のＭＴＣサービスをサポートするために、及び低遅延及び高信頼性サービス送信を実施するために、許可無し送信方式が使用されてよい。許可無し送信は、英語でGrant  Freeと表され得る。許可無し送信は、ここでは、アップリンクデータ送信又はダウンリンクデータ送信であってよい。許可無し送信は、以下の意味、複数の手段のうちの幾つかの技術的意味の組み合わせ、又は別の同様の意味のうちの任意の１つ以上として理解されてよい。
【０１１４】
許可無し送信は：ネットワーク装置が複数の送信リソースを端末装置に予め割り当て、端末装置に送信リソースを通知する；端末装置がアップリンクデータ送信の必要があるとき、端末装置はネットワーク装置により予め割り当てられた複数の送信リソースから少なくとも１つの送信リソースを選択し、選択した送信リソースを用いてアップリンクデータを送信する；ネットワーク装置は複数の予め割り当てた送信リソースの中の１つ以上の送信リソースに対して、端末装置により送信されたアップリンクデータを検出する；であってよい。検出はブラインド検出であってよく、又はアップリンクデータの中の特定制御フィールドに基づき実行される検出、又は別の方法で実行される検出であってよい。
【０１１５】
許可無し送信は：ネットワーク装置が複数の送信リソースを端末装置に予め割り当て、端末装置に送信リソースを通知する；その結果、端末装置がアップリンクデータ送信の必要があるとき、端末装置はネットワーク装置により予め割り当てられた複数の送信リソースから少なくとも１つの送信リソースを選択し、選択した送信リソースを用いてアップリンクデータを送信する；であってよい。
【０１１６】
許可無し送信は：複数の予め割り当てられた送信リソースに関する情報が取得され；アップリンクデータ送信の必要があるとき、少なくとも１つの送信リソースが複数の送信リソースから選択され、選択された送信リソースを用いてアップリンクデータが送信される；であってよい。該情報はネットワーク装置から取得されてよい。
【０１１７】
許可無し送信は、端末装置のアップリンクデータ送信がネットワーク装置により実行される動的スケジューリングを伴わずに実施可能な方法であってよい。動的スケジューリングは、ネットワーク装置がシグナリングを用いて端末装置の各アップリンクデータ送信のための送信リソースを示すスケジューリング方法であってよい。任意で、端末装置のアップリンクデータ送信の実施は、同じ時間周波数リソースでアップリンクデータを送信することを２以上の装置に許可すると理解されてよい。任意で、送信リソースは、端末装置がシグナリングを受信した時点の後の、１つ以上の送信時間単位の送信リソースであってよい。送信時間単位は、１回の送信の、ＴＴＩのような最小時間単位であってよい。
【０１１８】
許可無し送信は：端末装置が、ネットワーク装置により許可されることなく、アップリンクデータを送信することであってよい。許可は：端末装置がアップリンクスケジューリング要求をネットワーク装置へ送信し、スケジューリング要求を受信した後に、ネットワーク装置がアップリンク許可を端末装置へ送信することであってよい。アップリンク許可は、端末装置に割り当てられたアップリンク送信リソースを示す。
【０１１９】
許可無し送信は、競合に基づく送信方法であってよい。具体的に、複数の端末は、基地局により許可されることなく、同じ予め割り当てられた時間周波数リソースでアップリンクデータを同時に送信してよい。
【０１２０】
データは、サービスデータ又はシグナリングデータを含んでよい。
【０１２１】
ブラインド検出は、データが到着したか否かを知ることなく、可能性のあるデータを検出することと理解されてよい。代替として、ブラインド検出は、明示的シグナリング命令を伴わずに実行される検出として理解されてよい。
【０１２２】
本発明の実施形態では、許可無し送信の基本時間単位は、１ＴＴＩ（例えば、前述のｓＴＴＩを含む）であってよい。ｓＴＴＩ技術が導入された後に、許可無し送信は、ＴＴＩ長が１ｍｓ又はＴＴＩ長が１ｍｓ未満のダウンリンクデータチャネル上で受信を実行すること、又はＴＴＩ長が１ｍｓ又はＴＴＩ長が１ｍｓ未満のアップリンクデータチャネル上で送信を実行することを含んでよい。
【０１２３】
限定ではなく例として、本発明の実施形態では、無免許スペクトルリソースは、５ＧＨｚに近い帯域、２．４ＧＨｚに近い帯域、３．５ＧＨｚに近い帯域、及び６０ＧＨｚに近い帯域を含んでよい。
【０１２４】
限定ではなく例として、例えば、通信システム１００は、ロングタームエボリューション（Licensed−Assisted  Access  Using  LTE、ＬＡＡ−ＬＴＥ）技術を用いるライセンスド・アシステッド・アクセスを使用してよく、又はStandalone  LTE  over  unlicensed  spectrumのような免許不要帯域上の独立した展開において通信システムをサポートする技術を使用してよく、又はＬＴＥ−Ｕ（LTE  Advanced  in  Unlicensed  Spectrums）技術を使用してよい。言い換えると、通信システム１００は、ＬＴＥ無線インタフェースプロトコルを用いて免許不要帯域上の通信を達成するために、免許不要帯域上でＬＴＥシステムを独立に展開してよい。システムは、免許帯域を含まない。中央スケジューリング、干渉調整、又はハイブリッド自動再送要求（Hybrid  Automatic  Repeat  Request、ＨＡＲＱ）のような技術は、免許不要帯域上に展開されるＬＴＥシステム内で使用されてよい。Ｗｉ−Ｆｉのようなアクセス技術と比べて、技術は更に良好なロバスト性を有し、より高いスペクトル効率を得、より大きなカバレッジエリア及びより良好なユーザ経験を提供することができる。
【０１２５】
さらに、限定ではなく例として、本発明の実施形態では、通信システム１００は、例えばライセンスド・アシステッド・アクセス（Licensed−Assisted  Access、ＬＡＡ）技術、同時通信（Dual  Connectivity、ＤＣ）技術、又は免許不要アシステッド・アクセス（Standalone）技術を使用してよい。ＬＡＡ技術は：キャリアアグリゲーション（Carrier  Aggregation、ＣＡ）構成及び構造を既存ＬＴＥシステム内で使用すること、並びにキャリア（免許キャリア）をオペレータの免許帯域上で構成することにより実行される通信に基づき、免許不要帯域上で複数のキャリア（免許不要キャリア）を構成し及び免許キャリアの助けにより免許不要キャリアを用いて通信を実行することを含む。言い換えると、ＬＴＥ装置は、ＣＡを通じて、免許キャリアを１次コンポーネントキャリア（Primary  Component  Carrier、ＰＣＣ）又は１次サービングセル（Primary  Cell、ＰＣｅｌｌ）として、及び免許不要キャリアを２次コンポーネントキャリア（Secondary  Component  Carrier、ＳＣＣ）又は２次サービングセル（Secondary  Cell、ＳＣｅｌｌ）として使用してよい。同時通信ＤＣ技術は、免許キャリア及び免許不要キャリアを非ＣＡ（又は非理想的バックホールbackhaul）方法で一緒に使用する技術を含み、又は複数の免許不要キャリアを非ＣＡ方法で一緒に使用する技術を含んでよい。ＬＴＥ装置は、代替として、独立的展開を通じて、免許不要キャリア上に直接展開されてよい。
【０１２６】
さらに、本発明の実施形態では、通信システム１００内の各通信装置は、免許スペクトルリソースを用いて無線通信を更に実行してよい。言い換えると、本発明の実施形態における通信システム１００は、免許帯域を使用可能な通信システムである。
【０１２７】
言い換えると、本発明の実施形態では、データは、基地局により実行されたスケジューリングに基づき送信されてよい。スケジューリングのための基本時間単位はＴＴＩ（例えば、前述のｓＴＴＩを含む）である。特定のスケジューリング手順は：基地局が制御チャネル、例えば物理ダウンリンク制御チャネル（Physical  Downlink  Control  Channel、ＰＤＣＣＨ）又は拡張物理ダウンリンク制御チャネル（Enhanced  Physical  Downlink  Control  Channel、ＥＰＤＣＣＨ）を送信し、ここで制御チャネルは異なるダウンリンク制御情報（Downlink  Control  Information、ＤＣＩ）フォーマットであり且つ物理ダウンリンク共有チャネル（Physical  Downlink  Shared  Channel、ＰＤＳＣＨ）又は物理アップリンク共有チャネル（Physical  Uplink  Shared  Channel、ＰＵＳＣＨ）をスケジューリングするために使用されるスケジューリング情報を伝達してよく、及びスケジューリング情報はリソース割り当て情報並びに変調及び符号化方式のような制御情報を含み；端末装置が、サブフレーム内の制御チャネルを検出し、検出した制御チャネルで伝達されるスケジューリング情報に基づき、ダウンリンクデータチャネルを受信し又はアップリンクデータチャネルを送信する；ことであってよい。ｓＴＴＩ技術が導入された後に、検出された制御チャネルで伝達されるスケジューリング情報は、ＴＴＩ長が１ｍｓ又はＴＴＩ長が１ｍｓ未満のダウンリンクデータチャネルを受信するよう、又はＴＴＩ長が１ｍｓ又はＴＴＩ長が１ｍｓ未満のアップリンクデータチャネルを送信するよう指示してよい。
【０１２８】
免許時間周波数リソースは、通常、国又は地域無線委員会により認可された後にのみ使用可能な時間周波数リソースである。ＬＴＥシステム及びＷｉ−Ｆｉシステムのような異なるシステム、或いは異なるオペレータのシステムは、免許時間周波数リソースを共有できない。
【０１２９】
さらに、本発明の実施形態の中の幾つかの実施形態では、ネットワーク装置は、１つ以上の免許不要セル（免許不要キャリアとも呼ばれることがある）及び１つ以上の免許セル（免許キャリアとも呼ばれることがある）を提供できる。
【０１３０】
既存の無線通信技術では、データパケットが１ｍｓのＴＴＩで送信される場合、１つ以上のリソースブロック（Resource  Block、ＲＢ）のようなネットワーク装置がデータを送信するために使用される時間周波数リソース（又は端末装置に対してネットワーク装置によりスケジューリングされた若しくはネットワーク装置により割り当てられた時間周波数リソース）を決定した後に、ネットワーク装置は、通常、端末装置のチャネル状態に基づき、トランスポートブロックサイズ（Transport  Block  Size、ＴＢＳ）テーブルに含まれ且つ時間周波数リソースに対応する複数のＴＢＳ値から、端末装置の送信要件に適合するＴＢＳを選択し、端末装置に該ＴＢＳに対応する変調及び符号化方式（Modulation  and  Coding  Scheme、ＭＣＳ）インデックス及び該時間周波数リソースに関する情報を通知する。端末装置は、ＭＣＳインデックス及び時間周波数リソースに関する情報に基づき、ＴＴＩ内で送信されるデータパケットのＴＢＳを決定する。
【０１３１】
データパケットが１ｍｓ未満のＴＴＩ内で送信される場合、既存のＴＢＳテーブルは、特定オーバヘッドの想定に基づく１ｍｓのＴＴＩ長と整合するので、ネットワーク装置がデータを送信するために使用される時間周波数リソースを決定した後に、ネットワーク装置は、通常、プリセット量子化係数（例えば、０乃至１の間の任意の値）に基づき時間周波数リソースを量子化する。ネットワーク装置は、端末装置のチャネル状態に基づき、ＴＢＳテーブルに含まれ且つ量子化時間周波数リソースに対応する複数のＴＢＳ値から、端末装置の送信要件に適合するＴＢＳを選択し、端末装置に該ＴＢＳに対応するＭＣＳインデックス及び時間周波数リソースに関する情報を通知する。端末装置は、同じ量子化係数及び同じ量子化ルールを用いて時間周波数リソースを量子化して、量子化時間周波数リソースを取得し、ＭＣＳインデックス及び量子化時間周波数リソースに基づき、１ｍｓ未満のＴＴＩ内で送信されるデータパケットのＴＢＳを決定する。さらに、従来、１つのＴＴＩ長は、１つの固定量子化係数にのみ対応する。
【０１３２】
従来、１ｍｓ未満のＴＴＩ内のＴＢＳを決定する前述の方法は、通常、ＴＤＤシステムにおける特別サブフレームに適用される。参照信号又は制御信号送信のような通信により必要とされるオーバヘッドはこのＴＢＳ決定方法の使用される通信の信頼性及び精度を低下させることがあるが、特別サブフレームはＴＤＤシステムにおいてのみ現れ、１０ｍｓ無線フレーム内で最大２回現れるので、システム性能は有意に提供を受けない。
【０１３３】
通信技術の発展に伴い、短送信時間間隔（short  Transmission  Time  Interval、ｓＴＴＩ）、具体的に言うと、長さが１サブフレーム（又は１ｍｓ）未満の送信時間間隔（Transmission  Time  Interval、ＴＴＩ）がシステムに導入され、スケジューリング間隔を短縮し、低遅延サービス要件を満たし、及びユーザの使用経験を向上する。しかしながら、ｓＴＴＩ送信では、参照信号又は制御チャネル送信のような通信により必要とされるオーバヘッドは、ＴＢＳ決定に対して無視できない影響を与え、１ｍｓ未満のＴＴＩ内のＴＢＳを決定する前述の方法の使用は、通信信頼性、精度、及び柔軟性に影響し、それによりユーザの使用経験及びシステム性能に影響する。
【０１３４】
理解されるべきことに、サブフレームに含まれるｓＴＴＩは、異なる方法で分割されてよい。限定ではなく例として、２シンボルｓＴＴＩに対応するＴＴＩ構造が、説明のための例として使用される。
【０１３５】
図２に、２シンボルに対応するｓＴＴＩ構造が示される。１サブフレームは６個のｓＴＴＩに分割され、６個のｓＴＴＩに含まれるシンボルの数は順に３、２、２、２、２、及び３であってよい。
【０１３６】
図３に、２シンボルに対応するｓＴＴＩ構造が示される。１つのサブフレームは７個のｓＴＴＩに分割され、７個のｓＴＴＩの各々は２個のシンボルを含む。
【０１３７】
図４に、２シンボルに対応するｓＴＴＩ構造が示される。１つのサブフレームは６個のｓＴＴＩに分割され、物理ダウンリンク制御チャネル（Physical  Downlink  Control  Channel、ＰＤＣＣＨ）のシンボル数からの影響はｓＴＴＩ分割において考慮される。ＰＤＣＣＨが奇数個のシンボルを占有するとき（つまり、図４のケース１及びケース３）、６個のｓＴＴＩに含まれるシンボルの数は、順に３、２、２、２、２、及び３であってよい。ＰＤＣＣＨが偶数個のシンボルを占有するとき（つまり、図４のケース２）、６個のｓＴＴＩに含まれるシンボルの数は、順に２、３、２、２、２、及び３であってよい。
【０１３８】
ｓＴＴＩ送信の間、短送信時間間隔物理ダウンリンク制御チャネル（Short  Transmission  Time  Interval  Physical  Downlink  Control  Channel、ＳＰＤＣＣＨ）は、データチャネルに対応するｓＴＴＩ内のリソースを占有してよい。ＳＰＤＣＣＨのリソース占有率は、このサブフレーム（つまり、６個のｓＴＴＩ）において、実際の使用に基づき変化し得る（例えば、図５に示されるケースＡ）。したがって、ｓＴＴＩ内のオーバヘッド（又は利用可能リソース）は変化する。ＰＤＣＣＨのためのシンボルを含むｓＴＴＩでは、このサブフレーム内のＰＤＣＣＨにより占有されるシンボルの数が変化し得るので（例えば、図５に示されるケースＢ〜ケースＤ）、ｓＴＴＩ内のオーバヘッド（又は利用可能リソース）は変化する。さらに、ｓＴＴＩ内のオーバヘッド（又は利用可能リソース）は、異なる参照信号構成パターンにより更に変化する。
【０１３９】
別の例として、図６に示すように、複数の端末装置は、例えば周波数分割多重を通じて、同じＴＴＩ（例えば、ｓＴＴＩ）を使用してよい。さらに、複数の端末装置のための制御チャネル、例えばＳＰＤＣＣＨは、１つの端末装置に割り当てられた時間周波数リソース内にのみ存在してよく、複数の端末装置は、該時間周波数リソースでＳＰＤＣＣＨを受信してよい。この場合、ＳＰＤＣＣＨが構成される時間周波数リソースを用いる端末装置のＴＴＩ内のオーバヘッドは、ＳＰＤＣＣＨが構成されない時間周波数リソースを用いる端末装置のＴＴＩ内のオーバヘッドより大きい。
【０１４０】
したがって、オーバヘッド（又は利用可能リソース）が変化するとき、１つのＴＴＩ長が依然として従来技術におけるように１つの固定量子化係数に対応する場合、通信の信頼性及び精度は劣化し得る。
【０１４１】
限定ではなく例として、セル固有参照信号（Cell−specific  Reference  Signal、ＣＲＳ）オーバヘッドは、１つのＴＴＩ長が１つの固定量子化係数に対応する既存のＴＢＳ決定方法の使用により異なるオーバヘッドシナリオにおけるデータ送信に与える影響を説明するために一例として使用される。
【０１４２】
図７は、４個のアンテナポートのＣＲＳが構成されるシナリオにおいて、異なるＴＴＩの中の、１つのＴＴＩ長に対応するＣＲＳオーバヘッドで生じ得る異なるケースの概略図である。留意すべきことに、図７では、ＰＤＣＣＨは２個のシンボルを占有すると仮定される。ｓＴＴＩが２個のシンボルを含むとき、ケース１は、図７のｓＴＴＩ３に示され、各ＲＢ内の利用可能リソースは１６個のリソースエレメント（Resource  Element、リソースエレメント、ＲＥ）を含む。或いは、言い換えると、各ＲＢ内のオーバヘッドは８個のＲＥである。ケース２は、図７のｓＴＴＩ４に示され、各ＲＢ内の利用可能リソースは２４個のＲＥを含む。言い換えると、各ＲＢ内のオーバヘッドは０個のＲＥである。
【０１４３】
例えば、ネットワーク装置が端末装置に４４個のＲＥをスケジューリングし（又は割り当て）、量子化係数が２／１１であるとき、量子化係数に基づき時間周波数リソースを量子化することにより得られる処理結果は、４４ＲＢ×２／１１＝８ＲＢである。
【０１４４】
したがって、処理結果に基づき、８個のＲＢに対応するＴＢＳ内の複数のＴＢＳ値が、端末装置のチャネル条件に一致するＴＢＳについて検索されてよい。
【０１４５】
以下の表１は、ＱＰＳＫ、１６ＱＡＭ、及び６４ＱＡＭを含む３つの変調方式のＭＣＳ（例えばＭＣＳインデックス）に対応するＴＢＳテーブルの中の、８個のＲＢに対応するＴＢＳを示す。留意すべきことに、より高次の変調次（例えば２５６ＱＡＭ）のＭＣＳのケースは、ＱＰＳＫ、１６ＱＡＭ、及び６４ＱＡＭを含む３つの変調方式のケースと類似し、例を用いて記載されない。
［表１］
【表１】
2020500475.tif 000003
【０１４６】
前述の時間周波数リソース（例えば、４４個のＲＢ）の中のオーバヘッド（例えば、参照信号又は制御チャネルにより占有される時間周波数リソース）又は利用可能リソース（つまり、データを伝達するために使用される時間周波数リソース）が変化すると、決定したＴＢＳに対応する符号レートも変化する。表２は、ケース１及びケース２に対応するオーバヘッド又は利用可能リソースについて、ＭＣＳ（例えば、ＭＣＳインデックス）に対応するＴＢＳに対応する送信符号レートを示す。
［表２］
【表２】
2020500475.tif 000004
【０１４７】
例えば、表２に示すように、ケース１の最小ＭＣＳ（詰まり、インデックスが０のＭＣＳ）は、より高い符号レートに対応する。言い換えると、ケース１の中の最小ＭＣＳに対応する符号レートは、ケース２の中の最小ＭＣＳに対応する符号レートより高い。より低い符号レートは、低符号レートに対応するトランスポートブロックを正しく復調するために必要な、より低い信号対雑音比を示し、低い信号対雑音比を有する端末装置のデータ伝送でも（例えば、ネットワーク装置から比較的長距離にある端末装置ほど、比較的低い信号対雑音比を有する可能性が高い）、低符号レートを用いてサポート可能である。したがって、より大きなカバレッジ領域がサポート可能である。言い換えると、送信精度が保証されると、ケース１において許容される、端末装置とネットワーク装置との間の最大距離は、ケース２において許容される、端末装置とネットワーク装置との間の最大距離より小さい。したがって、固定量子化係数が使用されるとき、ネットワーク装置又は端末装置のカバレッジ領域は、異なるオーバヘッド（又は異なる利用可能リソース）と共に変化し送信の信頼性及び精度に影響する。
【０１４８】
別の例として、表２に示すように、ケース１における変調次切り替え位置（つまり、インデックスが９又は１５のＭＣＳ）は、従来技術における変調次切り替えのための臨界符号レートより高い比較的高い符号レート（例えば、インデックスが９のＭＣＳは０．９０９の符号レートに対応し、インデックスが１５のＭＣＳは０．８１８の符号レートに対応する）に対応する（例えば、ＱＰＳＫから１６ＱＡＭへ又は１６ＱＡＭから６４ＱＡＭへ切り替えるための臨界符号レートは通常０．６５であり、６４ＱＡＭから２５６へ切り替える臨界符号レートは通常０．８５である）。従来技術における変調次切り替えのための臨界符号レートはシミュレーションを通じて取得されるので、低次変調に対応するトランスポートブロックが臨界符号レートに達する又は超えると、トランスポートブロックを高次変調に切り替えることにより、送信信頼性が向上でき、それによりスペクトル効率を向上する。したがって、固定量子化係数が使用されるとき、異なるオーバヘッド（又は異なる利用可能リソース）に対応する変調次切り替え位置は、異なる符号レートに対応し、送信信頼性及びスペクトル効率に影響を与える。
【０１４９】
別の例として、従来技術、例えばロングタームエボリューション（Long  Term  Evolution、略称：「ＬＴＥ」）システムにおいて要求されるように、符号レートが０．９３又は０．９３１より高い符号レートを受信するとき、受信端（例えば、端末装置）はデータパケットを復号しなくてよい。言い換えると、ＬＴＥシステムの最高符号レートは０．９３又は０．９３１である。表２に示すように、ケース１における比較的高いＭＣＳ（例えば、インデックスが２３〜２８のＭＣＳ）に対応する符号レートは、最高符号レートより高い。したがって、固定量子化係数が使用されるとき、比較的高いＭＣＳは、オーバヘッドが比較的高いとき（又は比較的少数の利用可能リソースが存在するとき）使用できず、送信信頼性、精度、及び柔軟性に影響を与える。ケース２では、インデックスが２８のＭＣＳに対応する符号レートは、最高符号レートより高い。したがって、固定量子化係数が使用されるとき、インデックスが２８のＭＣＳは使用できず、使用可能な最高符号レートは、インデックスが２７のＭＣＳに対応する０．８１８の符号レートである。言い換えると、使用可能な最高符号レートは、システムによりサポートされる最高符号レートより小さく、送信ピークレートに影響を与える。
【０１５０】
本発明の一実施形態における無線通信方法２００の特定処理は、図８を参照して以下に詳述される。図８は、本発明の一実施形態による無線通信方法２００の一例の概略相互作用図である。
【０１５１】
本発明の本実施形態では、ネットワーク装置及び端末装置は１つ以上のＴＴＩで通信してよい。全てのＴＴＩを処理するプロセスは同様である。ここでは、理解及び説明を容易にするために、ネットワーク装置及び端末装置によりＴＴＩ＃Ａを処理するプロセスが説明のための一例として使用される。
【０１５２】
図８に示すように、Ｓ２１０で、ネットワーク装置及び端末装置＃Ａ（つまり、端末装置の一例）は、ＴＴＩ＃Ａに対応する係数セット（つまり、第１係数セットの一例であり、以下で理解及び差別化を容易にするために係数セット＃Ａにより示される）を決定してよい。
【０１５３】
係数セット＃Ａは、ＴＴＩ＃Ａでのアップリンク送信のためのＴＢＳを決定するために使用される少なくとも２つの係数（量子化係数とも呼ばれることがある）、又はＴＴＩ＃Ａでのダウンリンク送信のためのＴＢＳを決定するために使用される少なくとも２つの係数を含む。
【０１５４】
限定ではなく例として、本発明の本実施形態では、各係数の値は、０及び１の間の任意の値であってよい（例えば、０及び１の間の任意の十進値、又は０及び１の間の任意の分数値であって、１を含む）。理解されるべきことに、以上に列挙された、本発明の本実施形態における係数セットに含まれる特定の係数値は、説明のための単なる例であり、本発明の本実施形態はそれに限定されず、当業者は特定の係数値を実際の必要に基づき任意の値に設定してよい。さらに、当業者は、実際の必要に基づき、係数セットに含まれる任意の特定数の係数を設定してよい。これは、本発明の本実施形態において特に限定されない。
【０１５５】
限定ではなく例として、本発明の本実施形態では、ＴＴＩ＃Ａは、７未満且つ１以上のシンボルを含むＴＴＩであってよい。例えば、ＴＴＩ＃Ａに含まれるシンボルの数は、｛１，２，３，４，５，６｝の中の任意の値であってよい。
【０１５６】
言い換えると、本発明の本実施形態では、アップリンク送信で、７個未満のシンボルを含むＴＴＩに対応する係数セットは、少なくとも２つの係数を含み、７個以上のシンボルを含むＴＴＩはＴＢＳを決定するために使用される１つの係数に対応する。代替として、ダウンリンク送信で、７個未満のシンボルを含むＴＴＩに対応する係数セットは、少なくとも２つの係数を含み、７個以上のシンボルを含むＴＴＩはＴＢＳを決定するために使用される１つの係数に対応する。
【０１５７】
７個未満のシンボルを含むＴＴＩでは、参照信号、制御チャネル、等のオーバヘッドは、ＴＢＳの決定に大きな影響を与え、送信の信頼性、精度、及び柔軟性は少なくとも２つの係数を用いて向上できる。７個以上のシンボルを含むＴＴＩでは、参照信号、制御チャネル、等のオーバヘッドは、ＴＢＳの決定に比較的小さな影響しか与えず、１つの係数の使用は、ネットワーク装置又は端末装置の実装を簡略化できる。
【０１５８】
係数セット＃Ａに含まれる係数の値を決定する方法は、例を用いて以下に記載される。
【０１５９】
方法１。
【０１６０】
任意で、係数セット＃Ａに含まれる係数（例えば、係数セット＃Ａに含まれる係数の数、又は係数セット＃Ａに含まれる係数の係数値）は、ＴＴＩ＃Ａに含まれるシンボルの数に基づき決定されてよい。
【０１６１】
言い換えると、本発明の本実施形態では、係数セットは、ＴＴＩ（例えば、ＴＴＩ＃Ａ）について、ＴＴＩに含まれるシンボルの数に基づき構成されてよい。
【０１６２】
限定ではなく例として、例えば、ＴＴＩ＃Ａが１つのシンボルを含むとき、係数セット＃Ａは少なくとも係数｛１／１１，１／１２｝を含んでよい。
【０１６３】
別の例では、ＴＴＩ＃Ａが２つのシンボルを含むとき、係数セット＃Ａは少なくとも係数｛２／１１，１／６｝を含んでよい。
【０１６４】
別の例では、ＴＴＩ＃Ａが３つのシンボルを含むとき、係数セット＃Ａは少なくとも係数｛３／１１，１／４｝を含んでよい。
【０１６５】
別の例では、ＴＴＩ＃Ａが４つのシンボルを含むとき、係数セット＃Ａは少なくとも係数｛４／１１，１／３｝を含んでよい。
【０１６６】
別の例では、ＴＴＩ＃Ａが５つのシンボルを含むとき、係数セット＃Ａは少なくとも係数｛５／１１，５／１２｝を含んでよい。
【０１６７】
別の例では、ＴＴＩ＃Ａが６つのシンボルを含むとき、係数セット＃Ａは少なくとも係数｛６／１１，１／２｝を含んでよい。
【０１６８】
方法２。
【０１６９】
任意で、係数セット＃Ａに含まれる係数（例えば、係数セット＃Ａに含まれる係数の数、又は係数セット＃Ａに含まれる係数の係数値）は、ＴＴＩ＃Ａの属するサブフレーム（理解及び差別化を容易にするために以下でサブフレーム＃Ａにより示される）のＴＴＩ構造に基づき決定されてよい。
【０１７０】
言い換えると、本発明の本実施形態では、係数セットは、ＴＴＩ（例えば、ＴＴＩ＃Ａ）について、ＴＴＩの属するサブフレーム（例えばサブフレーム＃Ａ）に含まれるＴＴＩ分割方法（又はＴＴＩパターン又はＴＴＩ構造）に基づき構成されてよい。
【０１７１】
限定ではなく例として、例えば、サブフレーム＃Ａに対応するＴＴＩ構造は、図２に示される。サブフレーム＃Ａが６個のＴＴＩに分割され、６個のＴＴＩに含まれるシンボルの数が順に３、２、２、２、２、及び３であるとき、係数セット＃Ａは少なくとも係数｛１／１２，１／６，１／４｝を含んでよい。
【０１７２】
別の例では、サブフレーム＃Ａに対応するＴＴＩ構造は、図３に示される。サブフレーム＃Ａが７個のＴＴＩに分割され、７個のＴＴＩの各々が２個のシンボルを含むとき、係数セット＃Ａは少なくとも係数｛２／１１，１／６｝を含んでよい。
【０１７３】
別の例では、サブフレーム＃Ａが６個のＴＴＩに分割され、６個のＴＴＩに含まれるシンボルの数がＰＤＣＣＨのシンボル数のパリティと異なるとき、係数セット＃Ａは少なくとも係数｛１／６，１／４｝を含んでよい。
【０１７４】
別の例では、サブフレーム＃Ａが４個のＴＴＩに分割され、４個のＴＴＩに含まれるシンボルの数が順に４、３、４、及び３であるとき、係数セット＃Ａは少なくとも係数｛１／３，１／４｝を含んでよい。
【０１７５】
理解されるべきことに、係数セット＃Ａを決定する前述の列挙された方法は説明のための単なる例であり、本発明の本実施形態はこれに限定されない。例えば、係数セット＃Ａに含まれる係数の数Ｘは、代替として、通信システム又は通信プロトコルにおける仕様、又はユーザ若しくは電子通信オペレータの要件に基づき決定されてよく、係数セット＃Ａに含まれる係数を決定するために、数値順、つまり１／（Ｘ＋１）にソートした後に２つの隣接する係数の間の差を決定するために、数量Ｘに基づき１が等分されてよい。例えば、Ｘが４であるとき、係数セット＃Ａに含まれる係数は｛０．２，０．４，０６，０．８｝であってよい。別の例では、Ｘが２であるとき、係数セット＃Ａに含まれる係数は｛１／３，２／３｝であってよい。
【０１７６】
本発明の本実施形態では、係数セット＃Ａを決定するプロセスは、ネットワーク装置により実行されてよく、ネットワーク装置は、シグナリング（つまり、第２指示情報の一例）を用いて端末装置＃Ａに決定した係数セット＃Ａを示す。代替として、係数セット＃Ａを決定するプロセスは、ネットワーク装置及び端末装置＃Ａにより同じルールに従い実行されてよい。その結果、ネットワーク装置及び端末装置＃Ａにより決定された係数セット＃Ａは同じになる。代替として、係数セット＃Ａは、通信システム又は通信プロトコルの中で指定されてよく、ネットワーク装置又は端末装置＃Ａは、通信システムにアクセスした後に係数セット＃Ａを取得してよい。代替として、係数セット＃Ａは、規定設定としてネットワーク装置又は端末装置＃Ａ内に製造者によりプリセットされてよい。代替として、係数セット＃Ａは、ユーザ又は管理者により、ネットワーク装置及び端末装置＃Ａに入力されてよい。代替として、係数セット＃Ａを決定するプロセスは、ネットワーク装置及び端末装置＃Ａ以外の装置（例えば、ＭＭＥのような装置）により実行されてよく、該装置は係数セット＃Ａをネットワーク装置又は端末装置＃Ａに配信する。言い換えると、本発明の本実施形態では、ＴＴＩ＃Ａについてネットワーク装置及び端末装置＃Ａにより決定された係数セット＃Ａが同じであるならば、特定の決定方法及びプロセスは特に限定されない。
【０１７７】
限定ではなく例として、本発明の本実施形態では、ＴＴＩは、例えば、ＴＴＩに含まれるシンボルの数又はＴＴＩの属するサブフレームのＴＴＩ構造のようなパラメータに基づき、分類されてよい。例えば、同じ数のシンボルを含むＴＴＩは同じ種類に属し、又は同じＴＴＩ構造を有するサブフレームに属するＴＴＩは同じ種類に属する。さらに、同じ種類に属するＴＴＩは同じパラメータセットを使用してよい。ある種類のＴＴＩは、１つ以上のＴＴＩ長を含んでよい。これは、本発明の本実施形態において特に限定されない。別の例では、本発明の本実施形態では、異なる種類のＴＴＩが同じパラメータセットを使用してよい。
【０１７８】
続いて、ネットワーク装置は、係数セット＃Ａから、ＴＴＩ＃Ａの現在の使用に基づき、ＴＴＩ＃Ａの現在の使用に対応するパラメータ（例えば、第１パラメータの一例であって、理解を容易にするために以下でパラメータ＃Ａにより示される）を決定してよい。
【０１７９】
本発明の本実施形態では、係数セット＃Ａの中の複数のパラメータは、異なるオーバヘッド範囲に対応してよく（つまり、ケースα）、又は異なるＭＣＳセットに対応してよく（つまり、ケースβ）、又は異なる周波数ドメインリソース数範囲に対応してよく（つまり、ケースγ）、又は異なるＴＢＳセットに対応してよい（つまり、ケースη）。前述のケースにおいてパラメータ＃Ａを決定する方法及びプロセスは、以下に別個に記載される。
【０１８０】
ケースα。
【０１８１】
先ず、本発明の本実施形態における概念「オーバヘッド」が説明される。
【０１８２】
本発明の本実施形態では、「オーバヘッド」は、時間周波数リソース（例えば、ネットワーク装置によりスケジューリングされた又は許可無し方法において使用される時間周波数リソース）の中で、データ以外の情報により占有されるリソース（具体的には、時間周波数リソースのうちの占有リソースの量又は比率）である。留意すべきことに、「オーバヘッド」は、データ以外の情報により占有される時間周波数リソースのうちの全部のリソース又は一部のリソースを含んでよい。
【０１８３】
例えば、ＴＴＩ＃Ａの中で端末装置＃Ａにより使用される時間周波数リソース（つまり、第１時間周波数リソースの一例であって、理解及び差別化を容易にするために以下で時間周波数リソース＃Ａとして示される）の中のオーバヘッドは、データ以外の情報を伝達するために使用される時間周波数リソース＃Ａの中のリソースの数又は比率であってよい。
【０１８４】
時間周波数リソース＃Ａは、ネットワーク装置により端末装置＃Ａに割り当てられたリソースであってよく、又は許可無し方法で端末装置＃Ａにより使用されるリソースであってよい。これは、本発明の本実施形態において特に限定されない。
【０１８５】
アップリンク送信について。
【０１８６】
限定ではなく例として、ＴＴＩ＃Ａがアップリンク送信のために使用されるとき、「データ以外の情報」は、アップリンク参照信号及びアップリンク制御情報のうちの少なくとも１つを含んでよい。
【０１８７】
アップリンク参照信号は、アップリンクデータチャネル復調のために使用される復調参照信号（Demodulation  Reference  Signal、ＤＭＲＳ）、及びアップリンクチャネル測定のために使用されるサウンディング参照信号（Sounding  reference  signal、ＳＲＳ）のような信号のうちの１つ以上を含む。
【０１８８】
アップリンク制御情報が送信のためにアップリンクデータチャネル上に多重化されるとき、アップリンク制御情報は、アップリンクデータチャネルに対応するＴＴＩの中のリソースを占有する。
【０１８９】
相応して、「オーバヘッド」は、アップリンク参照信号及びアップリンク制御情報のうちの少なくとも１つにより占有されるリソースの数、又は時間周波数リソース＃Ａの中の占有リソースの比率を含んでよい。
【０１９０】
アップリンク参照信号により占有されるリソースの数は、アップリンク参照信号により占有されるリソースエレメントＲＥの数、又はアップリンク参照信号により占有されるシンボルの数であってよい。
【０１９１】
アップリンク制御情報により占有されるリソースの数はアップリンク制御情報により占有されるＲＥの数、アップリンク制御情報により占有されるＲＢの数、又はアップリンク制御情報により占有されるシンボルの数であってよい。
【０１９２】
限定ではなく例として、「オーバヘッド」は、時間周波数リソース＃Ａの中で、アップリンク制御情報により占有されるリソースの数又は比率を含む。
【０１９３】
限定ではなく例として、「オーバヘッド」は、時間周波数リソース＃Ａの中で、アップリンク参照信号及びアップリンク制御情報により占有されるリソースの数又は比率を含む。
【０１９４】
ダウンリンク送信について。
【０１９５】
限定ではなく例として、ＴＴＩ＃Ａがダウンリンク送信のために使用されるとき、「データ以外の情報」は、ダウンリンク参照信号及びダウンリンク制御情報のうちの少なくとも１つを含んでよい。
【０１９６】
具体的に、ダウンリンク制御チャネルは、物理ダウンリンク制御チャネル（Physical  Downlink  Control  Channel、ＰＤＣＣＨ）、拡張物理ダウンリンク制御チャネル（Enhanced  Physical  Downlink  Control  Channel、ＥＰＤＣＣＨ）、機械型通信物理ダウンリンク制御チャネル（Machine  Type  Communication  Physical  Downlink  Control  Channel、ＭＰＤＣＣＨ）、及び短送信時間間隔物理ダウンリンク制御チャネル（Short  Transmission  Time  Interval  Physical  Downlink  Control  Channel、ＳＰＤＣＣＨ）のようなチャネルのうちの任意の１つ以上を含んでよい。
【０１９７】
ダウンリンク参照信号は、セル固有参照信号（Cell−specific  Reference  Signal、ＣＲＳ）、端末装置固有参照信号（UE−specific  Reference  Signal、ＵＥ−ＲＳであって、復調参照信号又はＤＭＲＳとも呼ばれる）、チャネル状態情報参照信号（Channel  State  Information−Reference  Signals、ＣＳＩ−ＲＳ）、グループ固有参照信号（Group−specific  Reference  Signal、ＧＲＳ）、測位のために使用される測位参照信号（Positioning  RS、ＰＲＳ）、ビーム参照信号（Beam  reference  signal、ＢＲＳ）、ビーム微調整参照信号（Beam  refinement  reference  signal、ＢＲＲＳ）、位相補償参照信号（Phase  compensation  reference  signal、ＰＣＲＳ）、２次同期信号（Secondary  synchronization  signal、ＳＳＳ）、及び発見参照信号（Discovery  reference  signal、ＤＲＳであって、発見信号とも呼ばれる）のような信号のうちの任意の１つ以上を含む。
【０１９８】
相応して、「オーバヘッド」は、ダウンリンク参照信号及びダウンリンク制御チャネルのうちの少なくとも１つにより占有されるリソースの数、又は時間周波数リソース＃Ａの中の占有リソースの比率を含んでよい。
【０１９９】
ダウンリンク参照信号により占有されるリソースの数は、ダウンリンク参照信号により占有されるＲＥの数、又はダウンリンク参照信号により占有されるシンボルの数であってよい。
【０２００】
ダウンリンク制御チャネルにより占有されるリソースの数はダウンリンク制御チャネルにより占有されるＲＥの数、ダウンリンク制御チャネルにより占有されるＲＢの数、又はダウンリンク制御チャネルにより占有される制御チャネルエレメント（control  channel  element、ＣＣＥ）の数であってよい。
【０２０１】
限定ではなく例として、「オーバヘッド」は、時間周波数リソース＃Ａの中で、ＣＲＳにより占有されるリソースの数又は比率を含む。
【０２０２】
限定ではなく例として、「オーバヘッド」は、時間周波数リソース＃Ａの中で、ＤＭＲＳにより占有されるリソースの数又は比率を含む。
【０２０３】
限定ではなく例として、「オーバヘッド」は、時間周波数リソース＃Ａの中で、ダウンリンク制御チャネルにより占有されるリソースの数又は比率を含む。
【０２０４】
限定ではなく例として、「オーバヘッド」は、時間周波数リソース＃Ａの中で、ＣＲＳ及びＤＭＲＳにより占有されるリソースの数又は比率を含む。
【０２０５】
限定ではなく例として、「オーバヘッド」は、時間周波数リソース＃Ａの中で、ＣＲＳ及びダウンリンク制御チャネルにより占有されるリソースの数又は比率を含む。
【０２０６】
限定ではなく例として、「オーバヘッド」は、時間周波数リソース＃Ａの中で、ＣＲＳ、ＤＭＲＳ、及びダウンリンク制御チャネルにより占有されるリソースの数又は比率を含む。
【０２０７】
留意すべきことに、本発明の本実施形態では、ＲＢは、時間ドメインにおいて、ＲＢの属するＴＴＩの全てのシンボルを含んでよい。言い換えると、時間ドメインにおけるＲＢの長さは、ＲＢの属するＴＴＩの長さと同じであってよい。したがって、時間ドメインにおけるＲＢの長さは、ＲＢの属する異なるＴＴＩと共に変化する。例えば、時間ドメインにおいて、長さが２シンボルであるＴＴＩ内のＲＢの長さは、２シンボルであってよい。別の例では、時間ドメインにおいて、長さが３シンボルであるＴＴＩ内のＲＢの長さは、３シンボルであってよい。同じ又は同様のケースの説明は以下では省略される。
【０２０８】
さらに、本発明の本実施形態では、ＲＢは、周波数ドメインにおいて複数の（例えば１２個の）サブキャリアを含んでよい。さらに、異なるＴＴＩ内のＲＢは、周波数ドメインにおいて同じ数のサブキャリアを含んでよい。同じ又は同様のケースの説明は以下では省略される。
【０２０９】
本発明の本実施形態では、係数セット＃ＡがＮ個の係数を含むと仮定すると、Ｎ個の係数はＫ個のオーバヘッド範囲に対応してよい。
【０２１０】
本発明の本実施形態では、１つのオーバヘッド範囲は、１つ以上のオーバヘッド（具体的に、１つ以上のオーバヘッド値）を含んでよく、任意の２つのオーバヘッド範囲の間の共通部分は空集合であってよい。
【０２１１】
本発明の本実施形態では、Ｋ個のオーバヘッド範囲の各々はＮ個の係数のうちの少なくとも１つに対応する。
【０２１２】
留意すべきことに、本発明の本実施形態では、任意の２つのオーバヘッド範囲は、同じ数の又は異なる数のオーバヘッド値を含んでよい。これは、本発明の本実施形態において特に限定されない。
【０２１３】
さらに、本発明の本実施形態では、任意の２つのオーバヘッド範囲は、同じ数の又は異なる数の係数に対応してよい。これは、本発明の本実施形態において特に限定されない。
【０２１４】
さらに、本発明の本実施形態では、任意の２つのオーバヘッド範囲に対応する係数の中に少なくとも１つの異なる係数がある。
【０２１５】
通常、Ｋ個のオーバヘッド範囲の中の任意のオーバヘッド範囲について（理解を容易にするために以下でオーバヘッド範囲＃１により示される）、オーバヘッド範囲＃１は、Ｎ個の係数のうちの１つ以上の係数（理解を容易にするために以下で係数グループ＃１−１により示される）に対応してよい。
【０２１６】
さらに、Ｋ個のオーバヘッド範囲の中の別のオーバヘッド範囲について（理解を容易にするために以下でオーバヘッド範囲＃２により示される）、オーバヘッド範囲＃２は、Ｎ個の係数のうちの１つ以上の係数（理解を容易にするために以下で係数グループ＃１−２により示される）に対応してもよい。
【０２１７】
留意すべきことに、本発明の本実施形態では、係数グループ＃１−１は係数グループ＃１−２と異なる。具体的に、係数グループ＃１−１及び係数グループ＃１−２の中に少なくとも１つの異なる係数がある。
【０２１８】
望ましくは、本発明の本実施形態では、Ｋ＝Ｎである。言い換えると、係数セット＃Ａに含まれるＮ個の係数は、Ｎ個のオーバヘッド範囲と１対１対応にあってよい。
【０２１９】
したがって、上述のように、本発明の本実施形態では、係数セット＃Ａに含まれるＮ個の係数と複数の（例えばＮ個の）オーバヘッド範囲との間にマッピング関係（理解及び差別化を容易にするために以下でマッピング関係＃Ａにより示される）があってよく、各オーバヘッド範囲は少なくとも１つの係数に対応してよい。
【０２２０】
各オーバヘッド範囲の特定値（又は各オーバヘッド範囲に含まれる１つ以上のオーバヘッドの特定値）は、任意の値に設定されてよい。
【０２２１】
例えば、限定ではなく例として、ＴＴＩ＃Ａの中の時間周波数リソース＃Ａの中の可能な最大オーバヘッドは、オーバヘッド＃ＭＡＸにより記され、Ｋ個のオーバヘッド範囲はオーバヘッド範囲＃Ｋ１を含んでよく、オーバヘッド範囲＃Ｋ１は少なくともオーバヘッド＃ＭＡＸを含み、オーバヘッド範囲＃Ｋ１に対応する係数はＮ個の係数のうちの最大係数を含まない。このように、比較的小さい係数が、オーバヘッド＃ＭＡＸを含むオーバヘッド範囲＃Ｋ１のために使用され、その結果、比較的大きなオーバヘッドのシナリオで、ＴＴＩ＃Ａでの送信に適応するために比較的小さいＴＢＳが選択でき、送信信頼性を向上する。
【０２２２】
例えば、限定ではなく例として、ＴＴＩ＃Ａの中の時間周波数リソース＃Ａの中の可能な最小オーバヘッドは、オーバヘッド＃ＭＩＮにより記され、Ｋ個のオーバヘッド範囲はオーバヘッド範囲＃Ｋ２を含んでよく、オーバヘッド範囲＃Ｋ２は少なくともオーバヘッド＃ＭＩＮを含み、オーバヘッド範囲＃Ｋ２に対応する係数はＮ個の係数のうちの最小係数を含まない。このように、比較的大きい係数が、オーバヘッド＃ＭＩＮを含むオーバヘッド範囲＃Ｋ１のために使用され、その結果、比較的小さなオーバヘッドのシナリオで、ＴＴＩ＃Ａでの送信に適応するために比較的大きいＴＢＳが選択でき、送信スループットを増大する。
【０２２３】
例えば、限定ではなく例として、ＴＴＩ＃Ａの中の時間周波数リソースの中で、可能な最大オーバヘッドはオーバヘッド＃ＭＡＸにより記され、可能な最小オーバヘッドはオーバヘッド＃ＭＩＮにより示される。Ｎ個のオーバヘッド範囲は、オーバヘッド＃ＭＡＸ及びオーバヘッド＃ＭＩＮに対応する値の間で線形又は非線形補間を実行することにより得られてよい。次に、オーバヘッド＃ＭＡＸに対応する係数がＳ１として決定され、オーバヘッド＃ＭＩＮに対応する係数がＳ２として決定され、係数セット＃Ａに含まれる係数の数はＮとして決定される。最後に、係数セット＃Ａに含まれる係数を決定するために、線形又は非線形補間が、係数Ｓ１及び係数Ｓ２の間で、数Ｎに基づき実行される。例えば、係数Ｓ１及び係数Ｓ２の間で線形補間が実行される場合、係数Ｓ２が係数Ｓ１より大きく、係数セット＃ＡがＮ個の係数を含むと仮定すると、係数セット＃Ａに含まれる係数の間の差は（Ｓ２−Ｓ１）／（Ｎ−１）である。
【０２２４】
例えば、限定ではなく例として、２シンボルＴＴＩで、オーバヘッド＃ＭＡＸが６０％であり、１／１０の係数Ｓ１に対応し、オーバヘッド＃ＭＩＮが０であり１／５の係数Ｓ２に対応すると仮定する。Ｎが４のとき、以下の表３はマッピング関係＃Ａの一例を示す。留意すべきことに、表３のオーバヘッド範囲及び係数は例であり、実際の必要に基づく任意の特定値に設定されてよい。
［表３］
【表３】
2020500475.tif 000005
【０２２５】
別の例では、限定ではなく例として、２シンボルＴＴＩで、オーバヘッド＃ＭＡＸが６０％であり、１／１０の係数Ｓ１に対応し、オーバヘッド＃ＭＩＮが０であり１／５の係数Ｓ２に対応すると仮定する。Ｎが２のとき、以下の表４はマッピング関係＃Ａの一例を示す。留意すべきことに、表４のオーバヘッド範囲及び係数は例であり、実際の必要に基づく任意の特定値に設定されてよい。
［表４］
【表４】
2020500475.tif 000006
【０２２６】
別の例では、限定ではなく例として、以下の表５はマッピング関係＃Ａの別の例を示す。留意すべきことに、表５のオーバヘッド範囲及び係数は例であり、実際の必要に基づく任意の特定値に設定されてよい。
［表５］
【表５】
2020500475.tif 000007
【０２２７】
したがって、ネットワーク装置は、時間周波数リソース＃Ａの中の、オーバヘッド（つまり、第１オーバヘッドの一例であって、理解及び差別化を容易にするために以下でオーバヘッド＃Ａにより示される）に基づき、係数セット＃Ａに対応する複数のオーバヘッド範囲から、オーバヘッド＃Ａの属するオーバヘッド範囲（つまり、第１オーバヘッド範囲の一例であって、理解及び差別化を容易にするために以下でオーバヘッド範囲＃Ａにより示される）を決定してよい。次に、ネットワーク装置は、オーバヘッド範囲＃Ａ及びマッピング関係＃Ａに基づき、オーバヘッド範囲＃Ａに対応する係数を、端末装置＃ＡによりＴＴＩ＃Ａの中で使用される係数（つまり、第１ＴＢＳの一例であって、理解及び説明を容易にするために以下で係数＃Ａにより示される）として決定してよい。
【０２２８】
限定ではなく例として、端末装置＃Ａは、さらに、オーバヘッド＃Ａに基づき係数セット＃Ａから係数＃Ａを決定してよい。さらに、端末装置＃Ａが係数セット＃Ａからオーバヘッド＃Ａに基づき係数＃Ａを決定する特定の方法及びプロセスは、ネットワーク装置が係数セット＃Ａからオーバヘッド＃Ａに基づき係数＃Ａを決定する特定の方法及びプロセスと同様であってよい。繰り返しを回避するために、詳細な説明はここでは省略される。
【０２２９】
ネットワーク装置又は端末装置＃Ａは、第１係数として、ＴＴＩの現在の使用要件を満たす係数を柔軟に選択でき、それにより、無線通信の信頼性及び精度を更に向上する。
【０２３０】
さらに、本発明の本実施形態では、時間周波数リソース＃Ａの中の参照信号は、端末装置＃Ａにより使用される参照信号を含んでよく、別の端末装置により使用される参照信号も含んでよい。時間周波数リソース＃Ａの中の制御チャネルは、端末装置＃Ａにより使用される（又は送信される又は受信される）制御チャネルを含んでよく、別の端末装置により使用される（又は送信される又は受信される）制御チャネルも含んでよい。これは、本発明の本実施形態において特に限定されない。
【０２３１】
留意すべきことに、上述のように、オーバヘッド範囲＃Ａは複数の係数に対応してよい。この場合、以下の処理方法が使用されてよい。
【０２３２】
例えば、ネットワーク装置は、プリセットルールに従い、オーバヘッド範囲＃Ａに対応する複数の係数から、係数＃Ａを決定してよい。限定ではなく例として、ネットワーク装置は、オーバヘッド範囲＃Ａに対応する複数の係数のうち最大（又は最小）係数を係数＃Ａとして使用してよい。
【０２３３】
別の例では、オーバヘッド範囲＃Ａに対応する複数の係数は、複数のパラメータグループと１対１対応であってよく、ネットワーク装置は、端末装置＃Ａにより現在使用されている（又はそれに対応する）パラメータグループに基づき、オーバヘッド範囲＃Ａに対応する複数の係数から、端末装置＃Ａにより現在使用されている（又はそれに対応する）パラメータグループに対応する係数を係数＃Ａとして決定してよい。限定ではなく例として、本発明の本実施形態では、複数のパラメータグループのうちの任意の１つは、以下のパラメータ：ＭＣＳ、周波数ドメインリソース数範囲、及びチャネル状態情報ＣＳＩ（Channel  State  Information、ＣＳＩ）のうちの少なくとも１つを含んでよい。ＣＳＩは、チャネル品質指示子（Channel  Quality  Indicator、ＣＱＩ）、プリコーディング行列指示子（Precoding  Matrix  Indicator、ＰＭＩ）、及びランク指示子（Rank  Indicator、ＲＩ）のうちの少なくとも１つを含んでよい。
【０２３４】
限定ではなく例として、係数セット＃Ａの中の複数のパラメータは、異なる利用可能リソース範囲に対応してよい。利用可能リソースは、前述のオーバヘッドに対応してよい。言い換えると、オーバヘッドは、時間周波数リソースのうち、データ以外の情報により占有されるリソースの数又は比率であってよく、場合によっては、利用可能リソースは、時間周波数リソースのうち、データにより占有されるリソースの数又は比率であってよい。データは、ＰＤＳＣＨ又はＰＵＳＣＨで伝達されてよい。さらに、時間周波数リソース＃Ａのうちの利用可能リソースに基づき係数を決定する方法及びプロセスは、オーバヘッド＃Ａに基づく係数を決定する方法及びプロセスと同様であってよい。繰り返しを回避するために、詳細な説明はここでは省略される。
【０２３５】
例えば、限定ではなく例として、２シンボルＴＴＩで、最大利用可能リソースが１００％であり、１／５の係数に対応し最小利用可能リソースが４０％であり１／１０の係数に対応すると仮定する。係数セット＃Ａが４個の係数を含むとき、以下の表６は、利用可能リソース範囲と係数セット＃Ａの中の係数との間のマッピング関係の一例を示す。留意すべきことに、表６の利用可能リソース範囲及び係数は例であり、実際の必要に基づく任意の特定値に設定されてよい。
［表６］
【表６】
2020500475.tif 000008
【０２３６】
別の例では、限定ではなく例として、以下の表７は利用可能リソース範囲と係数セット＃Ａの中の係数との間のマッピング関係の一例を示す。留意すべきことに、表７の利用可能リソース範囲及び係数は例であり、実際の必要に基づく任意の特定値に設定されてよい。
［表７］
【表７】
2020500475.tif 000009
【０２３７】
したがって、ネットワーク装置は、時間周波数リソース＃Ａの中の、利用可能リソース（つまり、第１オーバヘッドの一例であって、理解及び差別化を容易にするために以下で利用可能リソース＃Ａにより示される）に基づき、係数セット＃Ａに対応する複数の利用可能リソース範囲から、利用可能リソース＃Ａの属する利用可能リソース範囲（第１利用可能リソース範囲の一例であって、理解及び差別化を容易にするために以下で利用可能リソース範囲＃Ａにより示される）を決定してよい。次に、ネットワーク装置は、利用可能リソース範囲＃Ａ及びマッピング関係＃Ａ’に基づき、利用可能リソース範囲＃Ａに対応する係数を、ＴＴＩ＃Ａで端末装置＃Ａにより使用される係数＃Ａとして決定してよい。
【０２３８】
限定ではなく例として、本発明の本実施形態では、端末装置＃Ａは、さらに、利用可能リソース＃Ａに基づき係数セット＃Ａから係数＃Ａを決定してよい。さらに、端末装置＃Ａが係数セット＃Ａから利用可能リソース＃Ａに基づき係数＃Ａを決定する特定の方法及びプロセスは、ネットワーク装置が係数セット＃Ａから利用可能リソース＃Ａに基づき係数＃Ａを決定する特定の方法及びプロセスと同様であってよい。繰り返しを回避するために、詳細な説明はここでは省略される。
【０２３９】
ネットワーク装置又は端末装置＃Ａは、第１係数として、ＴＴＩの現在の使用要件を満たす係数を柔軟に選択でき、それにより、無線通信の信頼性及び精度を更に向上する。
【０２４０】
ケースβ。
【０２４１】
本発明の本実施形態では、係数セット＃ＡがＮ個の係数を含むと仮定すると、Ｎ個の係数はＭ個のＭＣＳセットに対応してよい。
【０２４２】
本発明の本実施形態では、１つのＭＣＳセットは、１つ以上のＭＣＳセットを含んでよく、任意の２つのＭＣＳセットの間の共通部分は空集合であってよい。
【０２４３】
本発明の本実施形態では、Ｍ個のＭＣＳセットの各々はＮ個の係数のうちの少なくとも１つに対応する。
【０２４４】
留意すべきことに、本発明の本実施形態では、任意の２つのＭＣＳセットは、同じ数の又は異なる数のＭＣＳを含んでよい。これは、本発明の本実施形態において特に限定されない。
【０２４５】
さらに、本発明の本実施形態では、任意の２つのＭＣＳセットは、同じ数の又は異なる数の係数に対応してよい。これは、本発明の本実施形態において特に限定されない。
【０２４６】
さらに、本発明の本実施形態では、任意の２つのＭＣＳセットに対応する係数の中に少なくとも１つの異なる係数がある。
【０２４７】
通常、Ｍ個のＭＣＳセットの中の任意のＭＣＳセットについて（理解を容易にするために以下でＭＣＳセット＃１により示される）、ＭＣＳセット＃１は、Ｎ個の係数のうちの１つ以上の係数（理解を容易にするために以下で係数グループ＃２−１により示される）に対応してよい。
【０２４８】
さらに、Ｍ個のＭＣＳセットの中の別のＭＣＳセットについて（理解を容易にするために以下でＭＣＳセット＃２により示される）、ＭＣＳセット＃２は、Ｎ個の係数のうちの１つ以上の係数（理解を容易にするために以下で係数グループ＃２−２により示される）に対応してよい。
【０２４９】
留意すべきことに、本発明の本実施形態では、係数グループ＃２−１は係数グループ＃２−２と異なる。具体的に、係数グループ＃２−１及び係数グループ＃２−２の中に少なくとも１つの異なる係数がある。
【０２５０】
望ましくは、本発明の本実施形態では、Ｍ＝Ｎである。言い換えると、係数セット＃Ａに含まれるＮ個の係数は、Ｍ個のＭＣＳセットと１対１対応にあってよい。
【０２５１】
したがって、上述のように、本発明の本実施形態では、係数セット＃Ａに含まれるＮ個の係数と複数の（例えばＮ個の）ＭＣＳセットとの間にマッピング関係（理解及び差別化を容易にするために以下でマッピング関係＃Ｂにより示される）があってよく、各ＭＣＳセットは少なくとも１つの係数に対応してよい。
【０２５２】
各ＭＣＳセットの中の特定値（又は各ＭＣＳセットに含まれる１つ以上のＭＣＳの特定値）は、任意の値に設定されてよい。
【０２５３】
例えば、限定ではなく例として、最小ＭＣＳに対応するＴＢＳはネットワーク装置又は端末装置のカバレッジ領域に影響するので、Ｍ個のＭＣＳセットはＭＣＳセット＃Ｍ１を含んでよく、ＭＣＳセット＃Ｍ１は少なくとも最小ＭＣＳを含み、ＭＣＳセット＃Ｍ１に対応する係数はＮ個の係数のうちの最大係数を含まない。このように、比較的小さい係数が最小ＭＣＳのために使用され、その結果、より大きなカバレッジ領域をサポートするために最小ＭＣＳに対応するトランスポートブロックの符号レートは低減できる。
【０２５４】
例えば、限定ではなく例として、最大ＭＣＳに対応するＴＢＳはネットワーク装置又は端末装置のピーク送信レートに影響するので、Ｍ個のＭＣＳセットはＭＣＳセット＃Ｍ２を含んでよく、ＭＣＳセット＃Ｍ２は少なくとも最小ＭＣＳを含み、ＭＣＳセット＃Ｍ２に対応する係数はＮ個の係数のうちの最大係数を含まない。このように、Ｎ個の係数のうちの最大係数を使用して取得した最大ＭＣＳに対応する符号レートは０．９３又は０．９３１を超え得るので、Ｎ個の係数のうちの最大係数は選択されず、その結果、ＭＣＳセット＃Ｍ２に対応する係数を用いて取得した有効最大ＭＣＳは、システムピークレートを増大できる。
【０２５５】
例えば、限定ではなく例として、変調次切り替え位置に対応するＭＣＳに値追うする比較的高い符号レートは送信信頼性及びスペクトル効率に影響するので、Ｍ個のＭＣＳセットはＭＣＳセット＃Ｍ３を含んでよく、ＭＣＳセット＃Ｍ３は少なくとも変調次切り替え位置に対応するＭＣＳを含み、ＭＣＳセット＃Ｍ３に対応する係数はＮ個の係数のうちの最大係数を含まない。このように、比較的小さい係数が、変調次切り替え位置に対応するＭＣＳのために使用され、その結果、送信信頼性及びスペクトル効率を向上するために、変調次切り替え位置に対応するＭＣＳに対応するトランスポートブロックの符号レートは、低減できる。
【０２５６】
例えば、限定ではなく例として、以下の表８はマッピング関係＃Ｂの一例を示す。留意すべきことに、表８の係数は例であり、実際の必要に基づく任意の特定値に設定されてよい。
［表８］
【表８】
2020500475.tif 000010
【０２５７】
別の例では、限定ではなく例として、以下の表９はマッピング関係＃Ｂの別の例を示す。留意すべきことに、表９の係数は例であり、実際の必要に基づく任意の特定値に設定されてよい。
［表９］
【表９】
2020500475.tif 000011
【０２５８】
別の例では、限定ではなく例として、以下の表１０はマッピング関係＃Ｂの別の例を示す。留意すべきことに、表１０の係数は例であり、実際の必要に基づく任意の特定値に設定されてよい。
［表１０］
【表１０】
2020500475.tif 000012
【０２５９】
別の例では、限定ではなく例として、以下の表１１はマッピング関係＃Ｂの別の例を示す。留意すべきことに、表１１の係数は例であり、実際の必要に基づく任意の特定値に設定されてよい。
［表１１］
【表１１】
2020500475.tif 000013
【０２６０】
したがって、ネットワーク装置は、時間周波数リソース＃Ａの中の、ＭＣＳ（つまり、第１ＭＣＳの一例であって、理解及び差別化を容易にするために以下でＭＣＳ＃Ａにより示される）に基づき、係数セット＃Ａに対応する複数のＭＣＳセットから、ＭＣＳセット＃Ａの属するＭＣＳセット（つまり、第１ＭＣＳセットの一例であって、理解及び差別化を容易にするために以下でＭＣＳセット＃Ａにより示される）を決定してよい。次に、ネットワーク装置は、ＭＣＳセット＃Ａ及びマッピング関係＃Ｂに基づき、ＭＣＳセット＃Ａに対応する係数を、ＴＴＩ＃Ａで端末装置＃Ａにより使用される係数（つまり係数＃Ａ）として決定してよい。
【０２６１】
限定ではなく例として、端末装置＃Ａは、さらに、ＭＣＳセット＃Ａに基づき係数セット＃Ａから係数＃Ａを決定してよい。さらに、端末装置＃Ａが係数セット＃ＡからＭＣＳセット＃Ａに基づき係数＃Ａを決定する特定の方法及びプロセスは、ネットワーク装置が係数セット＃ＡからＭＣＳセット＃Ａに基づき係数＃Ａを決定する特定の方法及びプロセスと同様であってよい。繰り返しを回避するために、詳細な説明はここでは省略される。
【０２６２】
ネットワーク装置又は端末装置＃Ａは、第１係数として、ＴＴＩの現在の使用要件を満たす係数を柔軟に選択でき、それにより、無線通信の信頼性及び精度を更に向上する。
【０２６３】
留意すべきことに、上述のように、ＭＣＳセット＃Ａは複数の係数に対応してよい。この場合、以下の処理方法が使用されてよい。
【０２６４】
例えば、ネットワーク装置は、プリセットルールに従い、ＭＣＳセット＃Ａに対応する複数の係数から、係数＃Ａを決定してよい。限定ではなく例として、ネットワーク装置は、ＭＣＳセット＃Ａに対応する複数の係数のうち最大（又は最小）係数を係数＃Ａとして使用してよい。
【０２６５】
別の例では、ＭＣＳセット＃Ａに対応する複数の係数は、複数のパラメータグループと１対１対応であってよく、ネットワーク装置は、端末装置＃Ａにより現在使用されている（又はそれに対応する）パラメータグループに基づき、ＭＣＳセット＃Ａに対応する複数の係数から、端末装置＃Ａにより現在使用されている（又はそれに対応する）パラメータグループに対応する係数を係数＃Ａとして決定してよい。限定ではなく例として、本発明の本実施形態では、複数のパラメータグループのうちの任意の１つは、以下のパラメータ：オーバヘッド、周波数ドメインリソース数範囲、及びＣＳＩのうちの少なくとも１つを含んでよい。
【０２６６】
限定ではなく例として、本発明の本実施形態では、ＴＴＩ＃Ａに対応するパラメータセット＃Ａは、複数の特定パラメータを含んでよく、複数の特定パラメータは、複数の特定ＭＣＳ値と１対１対応であってよい。特定ＭＣＳ値は、通信システム又は通信プロトコルの中で指定され且つネットワーク装置又は端末装置により使用可能な最小ＭＣＳを含んでよい。或いは、特定ＭＣＳ値は、通信システム又は通信プロトコルの中で指定され且つネットワーク装置又は端末装置により使用可能な最大ＭＣＳを含んでよい。或いは、特定ＭＣＳ値は、変調次切り替え点に対応するＭＣＳを含んでよい。
【０２６７】
ケースγ。
【０２６８】
本発明の本実施形態では、係数セット＃ＡがＮ個の係数を含むと仮定すると、Ｎ個の係数はＰ個の周波数ドメインリソース数範囲に対応してよい。
【０２６９】
本発明の本実施形態では、１つの周波数ドメインリソース数範囲は、１つ以上の周波数ドメインリソース数値を含んでよく、任意の２つの周波数ドメインリソース数範囲の間の共通部分は空集合であってよい。
【０２７０】
本発明の本実施形態では、Ｐ個の周波数ドメインリソース数範囲の各々はＮ個の係数のうちの少なくとも１つに対応する。
【０２７１】
留意すべきことに、本発明の本実施形態では、任意の２つの周波数ドメインリソース数範囲は、同じ数の又は異なる数の周波数ドメインリソース数値を含んでよい。これは、本発明の本実施形態において特に限定されない。
【０２７２】
さらに、本発明の本実施形態では、任意の２つの周波数ドメインリソース数範囲は、同じ数の又は異なる数の係数に対応してよい。これは、本発明の本実施形態において特に限定されない。
【０２７３】
さらに、本発明の本実施形態では、任意の２つの周波数ドメインリソース数範囲に対応する係数の中に少なくとも１つの異なる係数がある。
【０２７４】
通常、Ｐ個の周波数ドメインリソース数範囲の中の任意の周波数ドメインリソース数範囲について（理解を容易にするために以下で周波数ドメインリソース数範囲＃１により示される）、周波数ドメインリソース数範囲＃１は、Ｎ個の係数のうちの１つ以上の係数（理解を容易にするために以下で係数グループ＃３−１により示される）に対応してよい。
【０２７５】
さらに、Ｐ個の周波数ドメインリソース数範囲の中の別の周波数ドメインリソース数範囲について（理解を容易にするために以下で周波数ドメインリソース数範囲＃２により示される）、周波数ドメインリソース数範囲＃２は、Ｎ個の係数のうちの１つ以上の係数（理解を容易にするために以下で係数グループ＃３−２により示される）に対応してよい。
【０２７６】
留意すべきことに、本発明の本実施形態では、係数グループ＃３−１は係数グループ＃３−２と異なる。具体的に、係数グループ＃３−１及び係数グループ＃３−２の中に少なくとも１つの異なる係数がある。
【０２７７】
望ましくは、本発明の本実施形態では、Ｐ＝Ｎである。言い換えると、係数セット＃Ａに含まれるＮ個の係数は、Ｐ個の周波数ドメイン数範囲と１対１対応にあってよい。
【０２７８】
したがって、上述のように、本発明の本実施形態では、係数セット＃Ａに含まれるＮ個の係数と複数の（例えばＮ個の）周波数ドメインリソース数範囲との間にマッピング関係（理解及び差別化を容易にするために以下でマッピング関係＃Ｃにより示される）があってよく、各周波数ドメインリソース数範囲は少なくとも１つの係数に対応してよい。
【０２７９】
各周波数ドメインリソース数範囲の特定値（又は各周波数ドメインリソース数範囲に含まれる１つ以上のオーバヘッドの特定値）は、任意の値に設定されてよい。
【０２８０】
例えば、限定ではなく例として、複数の周波数ドメインリソース数（例えば、ＲＢの数）は、異なるサービスの送信に適応するために比較的より小さいＴＢＳが選択できることを保証するために、同じ周波数ドメインリソースへと量子化され得るので、Ｐ個の周波数ドメインリソース数範囲は周波数ドメインリソース数範囲＃Ｐ１を含んでよく、周波数ドメインリソース数範囲＃Ｐ１は、最小周波数ドメインリソースを含む少なくとも複数の周波数ドメインリソース数を含み、周波数ドメインリソース数範囲＃Ｐ１に対応する係数は、Ｎ個の係数のうちの最大係数を含まない。このように、比較的小さい係数が周波数ドメインリソース数範囲＃Ｐ１のために使用されるので、その結果、異なるサービスの送信に適応するために、係数を使用して量子化された周波数ドメインリソースに基づき、比較的より小さいＴＢＳが選択できる。
【０２８１】
例えば、限定ではなく例として、複数の周波数ドメインリソース数（例えば、ＲＢの数）は、ピークレートを増大するために比較的より大きいＴＢＳが選択できることを保証するために、同じ周波数ドメインリソースへと量子化され得るので、Ｐ個の周波数ドメインリソース数範囲は周波数ドメインリソース数範囲＃Ｐ２を含んでよく、周波数ドメインリソース数範囲＃Ｐ２は、最大周波数ドメインリソースを含む少なくとも複数の周波数ドメインリソース数を含み、周波数ドメインリソース数範囲＃Ｐ２に対応する係数は、Ｎ個の係数のうちの最小係数を含まない。このように、比較的大きい係数が周波数ドメインリソース数範囲＃Ｐ２のために使用されるので、その結果、ピークレートを増大するために、係数を使用して量子化された周波数ドメインリソースに基づき、より大きいＴＢＳが選択できる。
【０２８２】
例えば、限定ではなく例として、以下の表１２はマッピング関係＃Ｃの一例を示す。留意すべきことに、表１２の周波数ドメインリソース数範囲及び係数は例であり、実際の必要に基づく任意の特定値に設定されてよい。
［表１２］
【表１２】
2020500475.tif 000014
【０２８３】
例えば、限定ではなく例として、以下の表１３はマッピング関係＃Ｃの別の例を示す。留意すべきことに、表１３の周波数ドメインリソース数範囲及び係数は例であり、実際の必要に基づく任意の特定値に設定されてよい。
［表１３］
【表１３】
2020500475.tif 000015
【０２８４】
したがって、ネットワーク装置は、時間周波数リソース＃Ａに対応する周波数ドメインリソース数（理解及び差別化を容易にするために以下で周波数ドメインリソース数＃Ａにより示される）に基づき、係数セット＃Ａに対応する複数の周波数ドメインリソース数範囲から、周波数ドメインリソース数＃Ａの属する周波数ドメインリソース数範囲（つまり、第１周波数ドメインリソース数範囲の一例であって、理解及び差別化を容易にするために以下で周波数ドメインリソース数範囲＃Ａにより示される）を決定してよい。次に、ネットワーク装置は、周波数ドメインリソース数範囲＃Ａ及びマッピング関係＃Ｃに基づき、周波数ドメインリソース数範囲＃Ａに対応する係数を、ＴＴＩ＃Ａで端末装置＃Ａにより使用される係数（つまり係数＃Ａ）として決定してよい。
【０２８５】
限定ではなく例として、端末装置＃Ａは、さらに、周波数ドメインリソース数＃Ａに基づき係数セット＃Ａから係数＃Ａを決定してよい。さらに、端末装置＃Ａが係数セット＃Ａから周波数ドメインリソース数＃Ａに基づき係数＃Ａを決定する特定の方法及びプロセスは、ネットワーク装置が係数セット＃Ａから周波数ドメインリソース数＃Ａに基づき係数＃Ａを決定する特定の方法及びプロセスと同様であってよい。繰り返しを回避するために、詳細な説明はここでは省略される。
【０２８６】
ネットワーク装置又は端末装置＃Ａは、第１係数として、ＴＴＩの現在の使用要件を満たす係数を柔軟に選択でき、それにより、無線通信の信頼性及び精度を更に向上する。
【０２８７】
留意すべきことに、上述のように、周波数ドメインリソース数範囲＃Ａは複数の係数に対応してよい。この場合、以下の処理方法が使用されてよい。
【０２８８】
例えば、ネットワーク装置は、プリセットルールに従い、周波数ドメインリソース数範囲＃Ａに対応する複数の係数から、係数＃Ａを決定してよい。限定ではなく例として、ネットワーク装置は、周波数ドメインリソース数範囲＃Ａに対応する複数の係数のうち最大（又は最小）係数を係数＃Ａとして使用してよい。
【０２８９】
別の例では、周波数ドメインリソース数範囲＃Ａに対応する複数の係数は、複数のパラメータグループと１対１対応であってよく、ネットワーク装置は、端末装置＃Ａにより現在使用されている（又はそれに対応する）パラメータグループに基づき、周波数ドメインリソース数範囲＃Ａに対応する複数の係数から、端末装置＃Ａにより現在使用されている（又はそれに対応する）パラメータグループに対応する係数を係数＃Ａとして決定してよい。限定ではなく例として、本発明の本実施形態では、複数のパラメータグループのうちの任意の１つは、以下のパラメータ：オーバヘッド、ＭＣＳ、及びＣＳＩのうちの少なくとも１つを含んでよい。
【０２９０】
ケースη。
【０２９１】
本発明の本実施形態では、係数セット＃ＡがＮ個の係数を含むと仮定すると、Ｎ個の係数はＱ個のＴＢＳセットに対応してよく、Ｑ≧１である。
【０２９２】
本発明の本実施形態では、１つのＴＢＳセットは、１つ以上のＴＢＳ値を含んでよく、任意の２つのＴＢＳセットの間の共通部分は空集合であってよい。
【０２９３】
本発明の本実施形態では、Ｑ個のＴＢＳセットの各々はＮ個の係数のうちの少なくとも１つに対応する。
【０２９４】
留意すべきことに、本発明の本実施形態では、任意の２つのＴＢＳセットは、同じ数の又は異なる数のＴＢＳを含んでよい。これは、本発明の本実施形態において特に限定されない。
【０２９５】
さらに、本発明の本実施形態では、任意の２つのＴＢＳセットは、同じ数の又は異なる数の係数に対応してよい。これは、本発明の本実施形態において特に限定されない。
【０２９６】
さらに、本発明の本実施形態では、任意の２つのＴＢＳセットに対応する係数の中に少なくとも１つの異なる係数がある。
【０２９７】
通常、Ｑ個のＴＢＳセットの中の任意のＴＢＳセットについて（理解を容易にするために以下でＴＢＳセット＃１により示される）、ＴＢＳセット＃１は、Ｎ個の係数のうちの１つ以上の係数（理解を容易にするために以下で係数グループ＃４−１により示される）に対応してよい。
【０２９８】
さらに、Ｑ個のＴＢＳセットの中の別のＴＢＳセットについて（理解を容易にするために以下でＴＢＳセット＃２により示される）、ＴＢＳセット＃２は、Ｎ個の係数のうちの１つ以上の係数（理解を容易にするために以下で係数グループ＃４−２により示される）に対応してよい。
【０２９９】
留意すべきことに、本発明の本実施形態では、係数グループ＃４−１は係数グループ＃４−２と異なる。具体的に、係数グループ＃４−１及び係数グループ＃４−２の中に少なくとも１つの異なる係数がある。
【０３００】
望ましくは、本発明の本実施形態では、Ｑ＝Ｎである。言い換えると、係数セット＃Ａに含まれるＮ個の係数は、Ｍ個のＴＢＳセットと１対１対応にあってよい。
【０３０１】
したがって、上述のように、本発明の本実施形態では、係数セット＃Ａに含まれるＮ個の係数と複数の（例えばＮ個の）ＴＢＳセットとの間にマッピング関係（理解及び差別化を容易にするために以下でマッピング関係＃Ｄにより示される）があってよく、各ＴＢＳセットは少なくとも１つの係数に対応してよい。
【０３０２】
各ＴＢＳセットの中の特定値（又は各ＴＢＳセットに含まれる１つ以上のＴＢＳの特定値）は、任意の値に設定されてよい。
【０３０３】
例えば、限定ではなく例として、候補ＴＢＳセットの中で、任意の２つの隣接ＴＢＳ間の差は、他の２つの隣接ＴＢＳ間の差と異なるので、異なるサービスの送信に適応するために比較的より小さいＴＢＳが選択できることを保証するために、Ｑ個のＴＢＳセットは、ＴＢＳセット＃Ｑ１を含んでよく、ＴＢＳセット＃Ｑ１は、最小ＴＢＳを含む少なくとも複数のＴＢＳ値を含み、ＴＢＳセット＃Ｑ１に対応する係数は、Ｎ個の係数のうちの最大係数を含まない。このように、比較的小さい係数がＴＢＳセット＃Ｑ１のために使用され、その結果、異なるサービスの送信に適応するために、該係数を用いて量子化が実行された後に、比較的より小さいＴＢＳが選択できる。
【０３０４】
例えば、限定ではなく例として、表１４はＴＢＳ候補セットを示す。
［表１４］
【表１４】
2020500475.tif 000016
【０３０５】
例えば、限定ではなく例として、以下の表１５はマッピング関係＃Ｄの一例を示す。留意すべきことに、表１５の分割を通じて取得されたＴＢＳセット及び係数は例であり、実際の必要に基づく任意の特定値に設定されてよい。
［表１５］
【表１５】
2020500475.tif 000017
【０３０６】
したがって、ネットワーク装置は、従来技術に基づき、時間周波数リソース＃Ａに対応するＴＢＳ（理解及び差別化を容易にするために以下でＴＢＳ＃Ａにより示される）を決定してよい。
【０３０７】
続いて、ネットワーク装置は、係数セット＃Ａに対応する複数のＴＢＳセットから、ＴＢＳ＃Ａの属するＴＢＳセット（理解及び差別化を容易にするためにＴＢＳセット＃Ａにより示される）を決定してよい。次に、ネットワーク装置は、ＴＢＳセット＃Ａ及びマッピング関係＃Ｄに基づき、ＴＢＳセット＃Ａに対応する係数を、ＴＴＩ＃Ａで端末装置＃Ａにより使用される係数（つまり係数＃Ａ）として決定してよい。
【０３０８】
限定ではなく例として、端末装置＃Ａは、さらに、ＴＢＳセット＃Ａに基づき係数セット＃Ａから係数＃Ａを決定してよい。さらに、端末装置＃Ａが係数セット＃ＡからＴＢＳセット＃Ａに基づき係数＃Ａを決定する特定の方法及びプロセスは、ネットワーク装置が係数セット＃ＡからＴＢＳセット＃Ａに基づき係数＃Ａを決定する特定の方法及びプロセスと同様であってよい。繰り返しを回避するために、詳細な説明はここでは省略される。
【０３０９】
ネットワーク装置又は端末装置＃Ａは、第１係数として、ＴＴＩの現在の使用要件を満たす係数を柔軟に選択でき、それにより、無線通信の信頼性及び精度を更に向上する。
【０３１０】
留意すべきことに、上述のように、ＴＢＳセット＃Ａは複数の係数に対応してよい。この場合、以下の処理方法が使用されてよい。
【０３１１】
例えば、ネットワーク装置は、プリセットルールに従い、ＴＢＳセット＃Ａに対応する複数の係数から、係数＃Ａを決定してよい。限定ではなく例として、ネットワーク装置は、ＴＢＳセット＃Ａに対応する複数の係数のうち最大（又は最小）係数を係数＃Ａとして使用してよい。
【０３１２】
別の例では、ＴＢＳセット＃Ａに対応する複数の係数は、複数のパラメータグループと１対１対応であってよく、ネットワーク装置は、端末装置＃Ａにより現在使用されている（又はそれに対応する）パラメータグループに基づき、ＴＢＳセット＃Ａに対応する複数の係数から、端末装置＃Ａにより現在使用されている（又はそれに対応する）パラメータグループに対応する係数を係数＃Ａとして決定してよい。限定ではなく例として、本発明の本実施形態では、複数のパラメータグループのうちの任意の１つは、以下のパラメータ：オーバヘッド、ＭＣＳ、周波数ドメインリソース数範囲、及びＣＳＩのうちの少なくとも１つを含んでよい。
【０３１３】
理解されるべきことに、係数＃Ａを決定する前述の列挙された方法及びプロセスは説明のための単なる例であり、本発明の本実施形態はこれに限定されない。例えば、ケースα〜ケースηで記載された方法は、別個に使用され又は組み合わせて使用されてよい。これは、本発明の本実施形態において特に限定されない。言い換えると、本発明の本実施形態では、ネットワーク装置は、以下のパラメータ：時間周波数リソース＃Ａの中のオーバヘッド、時間周波数リソース＃Ａ上のＭＣＳ、時間周波数リソース＃Ａに対応する周波数ドメインリソース数、及び時間周波数リソース＃Ａ上の且つ従来技術に基づき決定されたＴＢＳ、のうちの１つ以上に基づき係数＃Ａを決定してよい。
【０３１４】
限定ではなく例として、本発明の本実施形態では、係数＃Ａを決定した後に、ネットワーク装置は、シグナリング（つまり、第１指示情報の一例）を用いて、決定した係数＃Ａを端末装置＃Ａに示してよい。
【０３１５】
Ｓ２２０で、ネットワーク装置及び端末装置＃Ａは、係数＃Ａに基づき、時間周波数リソース＃Ａ上のＴＢＳ（つまり、第１ＴＢＳの一例であり、理解及び差別化を容易にするために以下でＴＢＳ＃Ａにより示される）を決定してよい。
【０３１６】
限定ではなく例として、例えば、本発明の本実施形態では、ネットワーク装置及び端末装置＃Ａは、ＴＢＳを決定するために使用されるマッピング関係エントリを格納してよい。エントリの中の各ＴＢＳ値は、２次元のインデックスに対応してよく、一方の次元のインデックスはＲＢ値であってよく、他方の次元のインデックスはＭＣＳであってよい。したがって、ネットワーク装置及び端末装置＃Ａは、決定した係数＃Ａに基づき、ＲＢ値（ＲＢ値＃Ａにより示される）を取得するために、時間周波数リソース＃Ａに対応する周波数ドメインリソース数（例えば、ＲＢの量）を量子化してよい。さらに、ネットワーク装置及び端末装置＃Ａは、時間周波数リソース＃Ａに対応するＭＣＳ（つまり、ＭＣＳ＃Ａ）を決定してよい。このように、ネットワーク装置及び端末装置＃Ａは、マッピング関係エントリから、ＲＢ値＃Ａに対応するＴＢＳ及びＭＣＳ＃ＡをＴＢＳ＃Ａとして決定してよい。
【０３１７】
限定ではなく例として、例えば、本発明の本実施形態では、ネットワーク装置及び端末装置＃Ａは、ＴＢＳを決定するために使用されるマッピング関係エントリを格納してよい。エントリの中の各ＴＢＳ値は、２次元のインデックスに対応してよく、一方の次元のインデックスはＲＢ値であってよく、他方の次元のインデックスはＭＣＳであってよい。したがって、ネットワーク装置及び端末装置＃Ａは、時間周波数リソース＃Ａに対応する周波数ドメインリソース数（例えば、ＲＢの量であって、ＲＢ値＃Ａにより示される）を決定してよい。さらに、ネットワーク装置及び端末装置＃Ａは、時間周波数リソース＃Ａに対応するＭＣＳ（つまり、ＭＣＳ＃Ａ）を決定してよい。このように、ネットワーク装置及び端末装置＃Ａは、マッピング関係エントリから、ＲＢ値＃Ａに対応するＴＢＳ及びＭＣＳ＃ＡをＴＢＳ＃Ａ１として決定してよい。最後に、ネットワーク装置及び端末装置＃Ａは、ＴＢＳを取得し及び該ＴＢＳをＴＢＳ＃Ａとして使用するために、決定した係数＃Ａに基づきＴＢＳ＃Ａ１を量子化してよい。
【０３１８】
限定ではなく例として、例えば、本発明の本実施形態では、ネットワーク装置及び端末装置＃Ａは、決定した係数＃Ａ及びプリセット固定量子化係数＃Ｂに基づき、係数＃Ｃを取得してよい。例えば、係数＃Ｃ＝（係数＃Ａ＊係数＃Ｂ）、又は係数＃Ｃ＝（係数＃Ａ＋係数＃Ｂ）である。ネットワーク装置及び端末装置＃Ａは、ＴＢＳを決定するために使用されるマッピング関係エントリを格納してよい。エントリの中の各ＴＢＳ値は、２次元のインデックスに対応してよく、一方の次元のインデックスはＲＢ値であってよく、他方の次元のインデックスはＭＣＳであってよい。したがって、ネットワーク装置及び端末装置＃Ａは、決定した係数＃Ｃに基づき、ＲＢ値（ＲＢ値＃Ａにより示される）を取得するために、時間周波数リソース＃Ａに対応する周波数ドメインリソース数（例えば、ＲＢの量）を量子化してよい。さらに、ネットワーク装置及び端末装置＃Ａは、時間周波数リソース＃Ａに対応するＭＣＳ（つまり、ＭＣＳ＃Ａ）を決定してよい。このように、ネットワーク装置及び端末装置＃Ａは、マッピング関係エントリから、ＲＢ値＃Ａに対応するＴＢＳ及びＭＣＳ＃ＡをＴＢＳ＃Ａとして決定してよい。
【０３１９】
限定ではなく例として、例えば、本発明の本実施形態では、ネットワーク装置及び端末装置＃Ａは、決定した係数＃Ａ及びプリセット固定量子化係数＃Ｂに基づき、係数＃Ｃを取得してよい。例えば、係数＃Ｃ＝（係数＃Ａ＊係数＃Ｂ）、又は係数＃Ｃ＝（係数＃Ａ＋係数＃Ｂ）である。ネットワーク装置及び端末装置＃Ａは、ＴＢＳを決定するために使用されるマッピング関係エントリを格納してよい。エントリの中の各ＴＢＳ値は、２次元のインデックスに対応してよく、一方の次元のインデックスはＲＢ値であってよく、他方の次元のインデックスはＭＣＳであってよい。したがって、ネットワーク装置及び端末装置＃Ａは、決定した係数＃Ａに基づき、時間周波数リソース＃Ａに対応する周波数ドメインリソース数（例えば、ＲＢの量であって、ＲＢ値＃Ａにより示される）を量子化してよい。さらに、ネットワーク装置及び端末装置＃Ａは、時間周波数リソース＃Ａに対応するＭＣＳ（つまり、ＭＣＳ＃Ａ）を決定してよい。このように、ネットワーク装置及び端末装置＃Ａは、マッピング関係エントリから、ＲＢ値＃Ａに対応するＴＢＳ及びＭＣＳ＃ＡをＴＢＳ＃Ａ１として決定してよい。最後に、ネットワーク装置及び端末装置＃Ａは、ＴＢＳを取得し及び該ＴＢＳをＴＢＳ＃Ａとして使用するために、決定した係数＃Ｃに基づきＴＢＳ＃Ａ１を量子化してよい。
【０３２０】
理解されるべきことに、係数＃Ａに基づきＴＢＳ＃Ａを決定する前述の列挙された方法及びプロセスは説明のための単なる例であり、本発明の本実施形態はこれに限定されない。方法及びプロセスは、代替として、従来技術における且つ量子化係数に基づきＴＢＳを決定するために使用可能な別の方法及びプロセスと同様であってよい。繰り返しを回避するために、詳細な説明はここでは省略される。
【０３２１】
Ｓ２３０で、ネットワーク装置及び端末装置＃Ａは、ＴＢＳ＃Ａに基づきデータ送信を実行してよい。プロセスは、従来技術のプロセスと同様であってよい。繰り返しを回避するために、詳細な説明はここでは省略される。
【０３２２】
本発明の本実施形態における無線通信方法によると、１つのＴＴＩについて、ＴＴＩに対応するアップリンク送信のためのＴＢＳ又はＴＴＩに対応するダウンリンク送信のためのＴＢＳを決定するために使用される２以上の係数が構成され、その結果、ＴＢＳを決定するために適正な係数がＴＴＩの現在の使用に基づき選択でき、決定されたＴＢＳは現在の通信状態に対応可能であり、それにより、無線通信の信頼性及び精度を向上する。
【０３２３】
（ＴＴＩ長が１ｍｓ未満の）短ＴＴＩに対応するデータ送信では、サポート可能な最大ＴＢＳは更に小さい。１ｍｓのＴＴＩに対応するソフトバッファ上限値がエンコーディングの前提として依然として使用される場合、この短ＴＴＩに対応する全てのＴＢＳに基づく送信では、１／３の符号レートにより冗長性に基づきソフトビットがバッファリングされてよい。しかしながら、高次ＭＣＳに対応する比較的大きいＴＢＳ、例えばピークＴＢＳでは、送信は、通常、高い信号対雑音比で実行され、正しくない復号の可能性が比較的低い。この場合、ソフトバッファ上限値は、２／３の符号レートに基づき、１ｍｓのＴＴＩについて設計され、短ＴＴＩでは、ソフトバッファ上限値が依然として１／３の符号レートにより冗長性に基づき設計される場合、ソフトバッファの浪費が引き起こされる。
【０３２４】
本発明の一実施形態における無線通信方法３００の特定処理は、図９を参照して以下に詳述される。図９は、本発明の本実施形態による無線通信方法３００の一例の概略相互作用図である。
【０３２５】
図９に示すように、Ｓ３１０で、ネットワーク装置及び端末装置＃Ｂ（つまり、端末装置の一例）は、ＴＴＩ＃Ｂに対応し且つソフトバッファ（Soft  buffer）上限値を決定するために使用される係数（理解及び差別化を容易にするために以下で係数＃Ｄにより示される）を決定してよい。
【０３２６】
限定ではなく例として、本発明の本実施形態では、ＴＴＩ＃Ｂは、７個以下のシンボルを含むＴＴＩであってよい。例えば、ＴＴＩ＃Ｂに含まれるシンボルの数は、｛１，２，３，４，５，６，７｝の中の任意の値であってよい。
【０３２７】
限定ではなく例として、本発明の本実施形態では、ＴＴＩ＃Ｂに対応する係数＃Ｄは、ＴＴＩ＃Ｂに含まれるシンボルの数に基づき決定されてよい。例えば、ＴＴＩ＃Ｂに対応する係数＃Ｄは、ＴＴＩ＃Ｂに含まれるシンボルの数の１ｍｓのＴＴＩに含まれる有効データシンボルの数に対する比に基づき決定されてよい。例えば、ＴＴＩ＃Ｂは２個のシンボルを含み、１ｍｓのＴＴＩは１２個の有効データシンボルを含み、係数＃Ｄは１／６であってよい。
【０３２８】
限定ではなく例として、本発明の本実施形態では、ＴＴＩ＃Ｂに対応する係数＃Ｄは、ＴＴＩ＃Ｂの属するサブフレーム（理解及び差別化を容易にするために以下でサブフレーム＃Ｂにより示される）のＴＴＩ構造に基づき決定されてよい。例えば、ＴＴＩ＃Ｂに対応する係数＃Ｄは、サブフレーム＃ＢのＴＴＩに含まれるシンボルの最大数の１ｍｓのＴＴＩに含まれる有効データシンボルの数に対する比に基づき決定されてよい。例えば、サブフレーム＃Ｂに対応するＴＴＩ構造は図２に示され、サブフレーム＃ＢのＴＴＩに含まれるシンボルの最大数は３であり、１ｍｓのＴＴＩは１２個の有効データシンボルを含み、係数＃Ｄは１／４であってよい。
【０３２９】
限定ではなく例として、本発明の本実施形態では、ＴＴＩ＃Ｂに対応する係数＃Ｄは、ＴＴＩ＃Ｂにおける送信のために使用可能な最大ＴＢＳに対応するソフトバッファに基づき決定されてよい。例えば、ＴＴＩ＃Ｂに対応する係数＃Ｄは、ＴＴＩ＃Ｂにおける送信のために使用可能な最大ＴＢＳに対応するソフトバッファの、１ｍｓのＴＴＩにおける送信のために使用可能な最大ＴＢＳに対応するソフトバッファに対する比に基づき決定されてよい。例えば、ＴＴＩ＃Ｂが２個のシンボルを含む場合、送信のために使用可能な最大ＴＢＳは１３５３６であり、対応するソフトバッファは２０５９２であり、１ｍｓのＴＴＩにおいて送信のために使用可能な最大ＴＢＳは７５３７６であり、対応するソフトバッファは１１４１９２であり、係数＃Ｄは（２０５９２／１１４１９２）であってよく、これは約１／５である。
【０３３０】
方法２００における記載を参照すると、限定ではなく例として、本発明の本実施形態では、ＴＴＩ＃Ｂに対応する係数＃Ｄは、ＴＴＩ＃Ｂに対応する係数セット（つまり、第１係数セットの別の例であり、理解及び差別化を容易にするために以下で係数セット＃Ｂにより示される）に基づき決定されてよい。例えば、ＴＴＩ＃Ｂに対応する係数セット＃Ｄは、係数セット＃Ｂに含まれる最大（又は最小）係数であってよい。
【０３３１】
Ｓ３２０で、ネットワーク装置及び端末装置＃Ｂは、係数＃Ｄに基づき、ＴＴＩ＃Ｂに対応するソフトバッファ（Soft  buffer）上限値（理解及び差別化を容易にするために以下でソフトバッファ上限値＃Ａにより示される）を決定してよい。
【０３３２】
限定ではなく例として、例えば、本発明の本実施形態では、ネットワーク装置及び端末装置＃Ｂは、１ｍｓのＴＴＩにおける送信に対応するソフトバッファ上限値（理解及び差別化を容易にするために以下でソフトバッファ上限値＃Ｂにより示される）を決定してよく、次にネットワーク装置及び端末装置＃Ｂは、ソフトバッファ上限値＃Ａを得るために、決定した係数＃Ｄに基づき、ソフトバッファ上限値＃Ｂ又はソフトバッファ上限値＃Ｂを決定するために使用されるパラメータを量子化してよい。
【０３３３】
例えば、限定ではなく例として、本発明の本実施形態では、ソフトバッファ上限値＃Ｂは、次式を用いて取得されてよい。
【数１】
2020500475.tif 000018
【０３３４】
Ｎｓｏｆｔは合計ソフトバッファ値である。ＫＣは、合計ソフトバッファ値及び最大サポートレイヤ数に関連する固定値である。ＭＤＬ＿ＨＡＲＱは、ダウンリンクＨＡＲＱプロセスの最大数である。Ｍｌｉｍｉｔは値が８の定数である。ＫＭＩＭＯは、送信モードに関連し、ＫＭＩＭＯの値は、送信モード３、４、８、９及び１０では２であり、別の送信モードでは１である。
【０３３５】
決定された係数＃Ｄがｋであり、ｋは１未満の正整数であると仮定すると、ソフトバッファ上限値＃Ａは次式を用いて取得されてよい。
【数２】
2020500475.tif 000019
【０３３６】
別の例では、限定ではなく例として、本発明の本実施形態では、ソフトバッファ上限値＃Ｂは、次式を用いて取得されてよい。
【数３】
2020500475.tif 000020
【０３３７】
Ｃは、トランスポートブロックがセグメント化される符号ブロックの数である。Ｎｓｏｆｔは合計ソフトバッファ値である。ＫＣは、合計ソフトバッファ値及び最大サポートレイヤ数に関連する固定値である。ＭＤＬ＿ＨＡＲＱは、ダウンリンクＨＡＲＱプロセスの最大数である。Ｍｌｉｍｉｔは値が８の定数である。ＫＭＩＭＯは、送信モードに関連し、ＫＭＩＭＯの値は、送信モード３、４、８、９及び１０では２であり、別の送信モードでは１である。
【０３３８】
決定された係数＃Ｄがｋであり、ｋは１未満の正整数であると仮定すると、ソフトバッファ上限値＃Ａは次式を用いて取得されてよい。
【数４】
2020500475.tif 000021
【０３３９】
別の例では、限定ではなく例として、本発明の本実施形態では、ソフトバッファ上限値＃Ｂは、次式を用いて取得されてよい。
【数５】
2020500475.tif 000022
【０３４０】
Ｎｓｏｆｔは合計ソフトバッファ値である。ＫＣは、合計ソフトバッファ値及び最大サポートレイヤ数に関連する固定値である。ＭＤＬ＿ＨＡＲＱは、ダウンリンクＨＡＲＱプロセスの最大数である。Ｍｌｉｍｉｔは値が８の定数である。ＫＭＩＭＯは、送信モードに関連し、ＫＭＩＭＯの値は、送信モード３、４、８、９及び１０では２であり、別の送信モードでは１である。
【０３４１】
決定された係数＃Ｄがｋであり、ｋは１未満の正整数であると仮定すると、ソフトバッファ上限値＃Ａは次式を用いて取得されてよい。
【数６】
2020500475.tif 000023
【０３４２】
Ｍｌｉｍｉｔ＿＃Ａは、プリセット定数であり、次の通りである：
【数７】
2020500475.tif 000024
【０３４３】
理解されるべきことに、係数＃Ｄに基づきソフトバッファ上限値＃Ａを決定する前述の列挙された方法及びプロセスは説明のための単なる例であり、本発明の本実施形態はこれに限定されない。方法及びプロセスは、代替として、従来技術における且つ量子化係数に基づきソフトバッファ上限値を決定するために使用可能な別の方法及びプロセスと同様であってよい。繰り返しを回避するために、詳細な説明はここでは省略される。
【０３４４】
Ｓ３３０で、ネットワーク装置及び端末装置＃Ｂは、ＴＴＩ＃Ｂにおけるソフトバッファ上限値＃Ａに基づき、ダウンリンクデータ送信を実行してよい。プロセスは、従来技術のプロセスと同様であってよい。繰り返しを回避するために、詳細な説明はここでは省略される。
【０３４５】
本発明の本実施形態における無線通信方法によると、送信時間長が１ｍｓ未満のＴＴＩでは、該ＴＴＩに一致するソフトバッファ上限値が設定され、その結果、データ送信が、高次ＭＣＳに対応する比較的大きいＴＢＳを用いて該ＴＴＩ内で実行されるとき、例えばピークＴＢＳソフトバッファオーバヘッドが削減できる。
【０３４６】
図１０は、本発明の一実施形態による無線通信機器４００の概略ブロック図である。無線通信機器４００は、方法２００に記載された端末装置（例えば、端末装置＃Ａ）に対応してよい（例えば、その中に構成されてよく又はそれであってよい）。さらに、無線通信機器４００内のモジュール又はユニットは、それぞれ、方法２００における端末装置（例えば、端末装置＃Ａ）により実行される動作又は処理プロセスを実行するよう構成される。繰り返しを回避するために、詳細な説明はここでは省略される。
【０３４７】
本発明の本実施形態では、機器４００は、プロセッサ及び通信機を含んでよく、プロセッサは通信機に接続される。任意で、装置は、メモリを更に含み、メモリはプロセッサに接続される。さらに、任意で、装置はバスシステムを含む。プロセッサ、メモリ、及び通信機は、バスシステムを用いて接続されてよい。メモリは、命令を格納するよう構成されてよい。プロセッサは、情報又は信号を送信するよう通信機を制御するために、メモリに格納された命令を実行するよう構成される。
【０３４８】
図１０に示される機器４００内の決定ユニットはプロセッサに対応してよく、図１０に示される機器４００内の通信ユニットは通信機に対応してよい。
【０３４９】
図１１は、本発明の一実施形態による無線通信機器５００の概略ブロック図である。無線通信機器５００は、方法２００に記載されたネットワーク装置に対応してよい（例えば、その中に構成されてよく又はそれであってよい）。さらに、無線通信機器５００内のモジュール又はユニットは、それぞれ、方法２００におけるネットワーク装置により実行される動作又は処理プロセスを実行するよう構成される。繰り返しを回避するために、詳細な説明はここでは省略される。
【０３５０】
本発明の本実施形態では、機器５００は、プロセッサ及び通信機を含んでよく、プロセッサは通信機に接続される。任意で、装置は、メモリを更に含み、メモリはプロセッサに接続される。さらに、任意で、装置はバスシステムを含む。プロセッサ、メモリ、及び通信機は、バスシステムを用いて接続されてよい。メモリは、命令を格納するよう構成されてよい。プロセッサは、情報又は信号を送信するよう通信機を制御するために、メモリに格納された命令を実行するよう構成される。
【０３５１】
図１１に示される機器５００内の決定ユニットはプロセッサに対応してよく、図１１に示される機器５００内の通信ユニットは通信機に対応してよい。
【０３５２】
図１２は、本発明の一実施形態による無線通信機器６００の概略ブロック図である。無線通信機器６００は、方法３００に記載された端末装置（例えば、端末装置＃Ｂ）に対応してよい（例えば、その中に構成されてよく又はそれであってよい）。さらに、無線通信機器６００内のモジュール又はユニットは、それぞれ、方法３００における端末装置（例えば、端末装置＃Ｂ）により実行される動作又は処理プロセスを実行するよう構成される。繰り返しを回避するために、詳細な説明はここでは省略される。
【０３５３】
本発明の本実施形態では、機器６００は、プロセッサ及び通信機を含んでよく、プロセッサは通信機に接続される。任意で、装置は、メモリを更に含み、メモリはプロセッサに接続される。さらに、任意で、装置はバスシステムを含む。プロセッサ、メモリ、及び通信機は、バスシステムを用いて接続されてよい。メモリは、命令を格納するよう構成されてよい。プロセッサは、情報又は信号を送信するよう通信機を制御するために、メモリに格納された命令を実行するよう構成される。
【０３５４】
図１２に示される機器６００内の決定ユニットはプロセッサに対応してよく、図１２に示される機器６００内の通信ユニットは通信機に対応してよい。
【０３５５】
図１３は、本発明の一実施形態による無線通信機器７００の概略ブロック図である。無線通信機器７００は、方法３００に記載されたネットワーク装置に対応してよい（例えば、その中に構成されてよく又はそれであってよい）。さらに、無線通信機器７００内のモジュール又はユニットは、それぞれ、方法３００におけるネットワーク装置により実行される動作又は処理プロセスを実行するよう構成される。繰り返しを回避するために、詳細な説明はここでは省略される。
【０３５６】
本発明の本実施形態では、機器７００は、プロセッサ及び通信機を含んでよく、プロセッサは通信機に接続される。任意で、装置は、メモリを更に含み、メモリはプロセッサに接続される。さらに、任意で、装置はバスシステムを含む。プロセッサ、メモリ、及び通信機は、バスシステムを用いて接続されてよい。メモリは、命令を格納するよう構成されてよい。プロセッサは、情報又は信号を送信するよう通信機を制御するために、メモリに格納された命令を実行するよう構成される。
【０３５７】
図１３に示される機器７００内の決定ユニットはプロセッサに対応してよく、図１３に示される機器７００内の通信ユニットは通信機に対応してよい。
【０３５８】
留意すべきことに、本発明の実施形態のうち前述の方法の実施形態は、プロセッサに適用され又はプロセッサにより実施されてよい。プロセッサは、集積回路チップであってよく、信号処理能力を有する。実装過程で、前述の方法の実施形態のステップは、プロセッサ内のハードウェア集積論理回路を用いて、又はソフトウェア形式の命令を用いて実施できる。プロセッサは、汎用プロセッサ、デジタル信号プロセッサ（Digital  Signal  Processor、ＤＳＰ）、特定用途向け集積回路（Application−specific  Integrated  Circuit、ＡＳＩＣ）、フィールドプログラマブルゲートアレイ（Field  Programmable  Gate  Array、ＦＰＧＡ）又は別のプログラマブル論理素子、個別ゲート又はトランジスタ論理装置、又は個別ハードウェアコンポーネントであってよい。プロセッサは、本発明の実施形態において開示された方法、ステップ、及び論理ブロック図を実装し又は実行してよい。汎用プロセッサはマイクロプロセッサであってよく、又はプロセッサは任意の従来のプロセッサ等であってよい、等である。本発明の実施形態を参照して開示された方法のステップは、ハードウェアデコーディングプロセッサにより直接実行され達成されてよく、又はデコーディングプロセッサ内のハードウェア及びソフトウェアモジュールの組合せを用いることにより実行され達成されてよい。ソフトウェアモジュールは、ランダムアクセスメモリ、フラッシュメモリ、読み出し専用メモリ、プログラマブル読み出し専用メモリ、電気的消去可能プログラマブルメモリ、レジスタ等のような、当分野で成熟した記憶媒体の中に配置されてよい。記憶媒体はメモリ内に配置され、プロセッサはメモリ内の情報を読み出し、プロセッサのハードウェアと組み合わせて、前述の方法のステップを実施する。
【０３５９】
本発明の実施形態におけるメモリは、揮発性メモリ又は不揮発性メモリであってよく、或いは揮発性メモリ及び不揮発性メモリを含んでよいことが理解され得る。不揮発性メモリは、読み出し専用メモリ（Read−Only  Memory、ＲＯＭ）、プログラマブル読み出し専用メモリ（Programmable  ROM、ＰＲＯＭ）、消去可能プログラマブル読み出し専用メモリ（Erasable  PROM、ＥＰＲＯＭ）、電気的消去可能プログラマブル読み出し専用メモリ（Electrically  EPROM、ＥＥＰＲＯＭ）、又はフラッシュメモリであってよい。揮発性メモリは、外部キャッシュとして使用されるランダムアクセスメモリ（Random  Access  Memory、ＲＡＭ）であってよい。例えば、限定的記載ではなく、多くの形式のＲＡＭ、例えば、静的ランダムアクセスメモリ（Static  RAM、ＳＲＡＭ）、動的ランダムアクセスメモリ（Dynamic  RAM、ＤＲＡＭ）、同期動的ランダムアクセスメモリ（Synchronous  DRAM、ＳＤＲＡＭ）、ダブルデータレート同期動的ランダムアクセスメモリ（Double  Data  Rate  SDRAM、ＤＤＲ  ＳＤＲＡＭ）、拡張同期動的ランダムアクセスメモリ（Enhanced  SDRAM、ＥＳＤＲＡＭ）、同期リンク動的ランダムアクセスメモリ（Synch  Link  DRAM、ＳＬＤＲＡＭ）、及び直接ランバス動的ランダムアクセスメモリ（Direct  Rambus  RAM、ＤＲ  ＲＡＭ）が使用されてよい。留意すべきことに、本願明細書に記載されたシステムのメモリ及び方法は、限定ではないが、上述の及び別の適正な種類の任意のメモリを含む。
【０３６０】
留意すべきことに、本発明の実施形態では、端末装置＃Ａ及び端末装置＃Ｂは、同じ端末装置であってよく、又は異なる端末装置であってよい。これは、本発明の実施形態において特に限定されない。
【０３６１】
本願明細書において用語「及び／又は」は、関連するオブジェクトを説明するための関連付け関係を記載するだけであり、３つの関係が存在し得ることを表すことが理解されるべきである。例えば、Ａ及び／又はＢは、以下の３つの場合を表すことがある。Ａのみが存在する、ＡとＢの両方が存在する、並びに、Ｂのみが存在する。さらに、本願明細書中の記号「／」は、概して、関連するオブジェクト間の「又は」の関係を示す。
【０３６２】
理解されるべきことに、本発明の実施形態では、前述の処理のシーケンス番号は、特定の実行順を意味しない。処理の実行順序は、機能及び処理の内部ロジックに基づき決定されるべきであり、本発明の実施形態の実装過程に対するいかなる制限として考えられるべきではない。
【０３６３】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。これらの機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の実施形態の範囲を超えると考えられるべきではない。
【０３６４】
便宜上及び簡潔な説明のために、前述のシステム、装置、及びユニットの詳細な動作処理については、前述の方法における対応する処理を参照し、詳細事項はここで再び記載されないことが、当業者により明らかに理解され得る。
【０３６５】
本願において提供される実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを用いて実装されてもよい。機器又はユニット間の間接結合又は通信接続は、電子的、機械的又は他の形式で実装されてよい。
【０３６６】
別個の部分として記載されたユニットは、物理的に別個であってよく又はそうでなくてよい。また、ユニットとして表示された部分は、物理的なユニットであってよく又はそうでなくてよく、１カ所に置かれてよく或いは複数のネットワークユニットに分散されてよい。一部又は全部のユニットは、実施形態のソリューションの目的を達成するために実際の要件に基づき選択されてよい。
【０３６７】
さらに、本発明の実施形態における機能ユニットは、１つの処理ユニットに統合されてよく、或いは各ユニットが物理的に単独で存在してよく、或いは２以上のユニットが１つのユニットに統合されてよい。
【０３６８】
機能がソフトウェア機能ユニットの形式で実装され、独立した製品として販売され又は使用されるとき、機能は、コンピュータ可読記憶媒体に格納されてよい。このような理解に基づき、本発明の実施形態の基本的技術的ソリューション、又は従来技術に貢献する部分、又は一部の技術的ソリューションは、ソフトウェア製品の形式で実施されてうｐい。コンピュータソフトウェアプロダクトは、記憶媒体に格納され、コンピュータ装置（パーソナルコンピュータ、サーバ、ネットワーク装置、等であってよい）に、本発明の実施形態で記載された方法のステップの全部又は一部を実行するよう指示する命令を含む。前述の種々の記憶媒体は、ＵＳＢフラッシュドライブ、取り外し可能ハードディスク、読み出し専用メモリ（Read−Only  Memory、ROM）、ランダムアクセスメモリ（Random  Access  Memory、RAM）、磁気ディスク又は光ディスクのような、プログラムコードを格納可能な任意の媒体を有する。
【０３６９】
上述の説明は、本発明の単なる特定の実装であり、本発明の保護範囲を制限するものではない。本発明で開示された技術範囲内にある、当業者により直ちに考案される変形又は置換は、本発明の保護範囲に含まれるべきである。
【図１】
2020500475.tif 000025
【図２】
2020500475.tif 000026
【図３】
2020500475.tif 000027
【図４】
2020500475.tif 000028
【図５】
2020500475.tif 000029
【図６】
2020500475.tif 000030
【図７】
2020500475.tif 000031
【図８】
2020500475.tif 000032
【図９】
2020500475.tif 000033
【図１０】
2020500475.tif 000034
【図１１】
2020500475.tif 000035
【図１２】
2020500475.tif 000036
【図１３】
2020500475.tif 000037
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
無線通信方法であって、前記方法は、
送信時間間隔（ＴＴＩ）に対応する係数を決定するステップであって、前記ＴＴＩ内のシンボルの数は７以下である、ステップと、
前記係数に従い前記ＴＴＩに対応するソフトバッファ上限値を決定するステップと、
前記ＴＴＩ内の前記ソフトバッファ上限値に基づき、ダウンリンクデータ通信を実行するステップと、
を含む方法。
【請求項２】
前記係数は、前記ＴＴＩに含まれるシンボルの数に基づき決定され、前記ソフトバッファ上限値は以下の式：
【数１】
2020500475.tif 000038
を満たし、Ｎｓｏｆｔは合計ソフトバッファ値であり、ＫＣは前記合計ソフトバッファ値及び最大サポートレイヤ数に関連する固定値であり、ＭＤＬ＿ＨＡＲＱは最大ダウンリンクハイブリッド自動再送要求（ＨＡＲＱ）プロセス数であり、Ｍｌｉｍｉｔは値が８の定数であり、ＫＭＩＭＯは通信モードに関連する定数であり、ｋは前記係数であり、ｋは１未満の正数である、請求項１に記載の方法。
【請求項３】
前記ＴＴＩは２個のシンボルで構成され、前記係数は１／６である、請求項１又は２に記載の方法。
【請求項４】
機器であって、
送信時間間隔（ＴＴＩ）に対応する係数を決定する手段であって、前記ＴＴＩ内のシンボルの数は７以下である、手段と、
前記係数に従い前記ＴＴＩに対応するソフトバッファ上限値を決定する手段と、
前記ＴＴＩ内の前記ソフトバッファ上限値に基づき、ダウンリンクデータ通信を実行する手段と、
を含む機器。
【請求項５】
前記係数は、前記ＴＴＩに含まれるシンボルの数に基づき決定され、前記ソフトバッファ上限値は以下の式：
【数２】
2020500475.tif 000039
を満たし、Ｎｓｏｆｔは合計ソフトバッファ値であり、ＫＣは前記合計ソフトバッファ値及び最大サポートレイヤ数に関連する固定値であり、ＭＤＬ＿ＨＡＲＱは最大ダウンリンクハイブリッド自動再送要求（ＨＡＲＱ）プロセス数であり、Ｍｌｉｍｉｔは値が８の定数であり、ＫＭＩＭＯは通信モードに関連する定数であり、ｋは前記係数であり、ｋは１未満の正数である、請求項４に記載の機器。
【請求項６】
前記ＴＴＩは２個のシンボルで構成され、前記係数は１／６である、請求項４又は５に記載の機器。
【請求項７】
前記機器は、端末装置又はネットワーク装置である、請求項４乃至６のいずれか一項に記載の機器。
【請求項８】
通信システムであって、請求項４乃至６のいずれか一項に記載の第１機器と、請求項４乃至６のいずれか一項に記載の第２機器と、を含み、前記第１機器は端末装置であり、前記第２機器はネットワーク装置である、通信システム。
【請求項９】
コンピュータにより実行されると前記コンピュータに請求項１乃至３のいずれか一項に記載の方法を実行させるコンピュータプログラムを含むコンピュータ可読記憶媒体。
【請求項１０】
請求項１乃至３のいずれか一項に記載の方法を実行するよう構成される機器。
【手続補正２】
【補正対象書類名】明細書
【補正対象項目名】全文
【補正方法】変更
【補正の内容】
【発明の詳細な説明】
【技術分野】
【０００１】
［関連出願］
本願は、中国特許出願番号第２０１６１０９５９１０６．３号、２０１６年１１月３日出願、名称「WIRELESS  COMMUNICATIONS  METHOD  AND  APPARATUS」の優先権を主張する。該中国特許出願は、参照によりその全体がここに組み込まれる。
【０００２】
［技術分野］
本願は、通信分野に関し、より具体的に、無線通信方法及び機器に関する。
【背景技術】
【０００３】
現在、知られている無線通信技術では、データパケットが１ｍｓのＴＴＩで送信される場合、１つ以上のリソースブロック（Resource  Block、ＲＢ）のようなネットワーク装置がデータを送信するために使用される時間周波数リソース（又は端末装置に対してネットワーク装置によりスケジューリングされた若しくはネットワーク装置により割り当てられた時間周波数リソース）を決定した後に、ネットワーク装置は、通常、端末装置のチャネル状態に基づき、トランスポートブロックサイズ（Transport  Block  Size、ＴＢＳ）テーブルに含まれ得且つ時間周波数リソースに対応する複数のＴＢＳ値から、端末装置の送信要件に適合するＴＢＳを選択し、端末装置に該ＴＢＳに対応する変調及び符号化方式（Modulation  and  Coding  Scheme、ＭＣＳ）インデックス及び該時間周波数リソースに関する情報を通知する。端末装置は、ＭＣＳインデックス及び時間周波数リソースに関する情報に基づき、ＴＴＩ内で送信されるデータパケットのＴＢＳを決定する。
【０００４】
データパケットが１ｍｓ未満のＴＴＩ内で送信される場合、既存のＴＢＳテーブルは、特定オーバヘッドの前提に基づく１ｍｓのＴＴＩ長と整合するので、ネットワーク装置がデータを送信するために使用される時間周波数リソースを決定した後に、ネットワーク装置は、通常、プリセット量子化係数（例えば、０乃至１の間の任意の値）に基づき時間周波数リソースを量子化する。ネットワーク装置は、端末装置のチャネル状態に基づき、ＴＢＳテーブルに含まれ且つ量子化時間周波数リソースに対応する複数のＴＢＳ値から、端末装置の送信要件に適合するＴＢＳを選択し、端末装置に該ＴＢＳに対応するＭＣＳインデックス及び時間周波数リソースに関する情報を通知する。端末装置は、同じ量子化係数及び同じ量子化ルールを用いて時間周波数リソースを量子化して、量子化時間周波数リソースを取得し、ＭＣＳインデックス及び量子化時間周波数リソースに基づき、１ｍｓ未満のＴＴＩ内で送信されるデータパケットのＴＢＳを決定する。さらに、従来、１つのＴＴＩ長は、１つの固定量子化係数にのみ対応する。
【０００５】
従来、１ｍｓ未満のＴＴＩ内のＴＢＳを決定する前述の方法は、通常、ＴＤＤシステムにおける特別サブフレームに適用される。参照信号又は制御信号送信のような通信により必要とされるオーバヘッドはこのＴＢＳ決定方法の使用される通信の信頼性及び精度を低下させることがあるが、特別サブフレームはＴＤＤシステムにおいてのみ現れ、１０ｍｓ無線フレーム内で最大２回現れるので、システム性能は有意に提供を受けない。
【０００６】
通信技術の発展に伴い、短送信時間間隔（short  Transmission  Time  Interval、ｓＴＴＩ）、具体的に言うと、長さが１サブフレーム（又は１ｍｓ）未満の送信時間間隔（Transmission  Time  Interval、ＴＴＩ）がシステムに導入され、スケジューリング間隔を短縮し、低遅延サービス要件を満たし、及びユーザの使用経験を向上する。しかしながら、ｓＴＴＩ送信では、参照信号又は制御チャネル送信のような通信により必要とされるオーバヘッドは、ＴＢＳ決定に対して無視できない影響を与え、１ｍｓ未満のＴＴＩ内のＴＢＳを決定する前述の方法の使用は、通信信頼性、精度、及び柔軟性に影響し、それによりユーザの使用経験及びシステム性能に影響する。
【発明の概要】
【０００７】
本発明の実施形態は、無線通信の信頼性及び精度を向上するために、無線通信方法及び機器を提供する。
【０００８】
第１の態様によると、無線通信方法が提供される。当該方法は、端末装置により、第１係数を決定するステップであって、前記第１係数は第１送信時間間隔ＴＴＩに対応する第１係数セットに属し、前記第１係数セットはＮ個の係数を含み、Ｎ≧２であり、前記Ｎ個の係数は前記第１ＴＴＩにおけるアップリンク送信のために使用される少なくとも２つの係数、又は前記第１ＴＴＩにおけるダウンリンク送信のために使用される少なくとも２つの係数を含む、ステップと、前記端末装置により、前記第１係数に基づき第１トランスポートブロックサイズＴＢＳを決定するステップと、前記端末装置により、前記第１ＴＴＩにおける前記第１ＴＢＳに基づき、無線通信を実行するステップと、を含む。
【０００９】
ＴＢＳを決定するために使用される２つ以上の係数は、１つのＴＴＩについて構成され、その結果、ＴＢＳを決定するために、ＴＴＩの現在の使用に基づき適正な係数が選択可能であり、決定されたＴＢＳは現在の通信状態に対応でき、それにより無線通信の信頼性及び精度を向上する。
【００１０】
第１の態様を参照し、第１の態様の第１の実装では、前記Ｎ個の係数はＫ個のオーバヘッド範囲に対応し、Ｋ≧１であり、各オーバヘッド範囲は少なくとも１つの係数に対応し、任意の２つのオーバヘッド範囲に対応する係数の中に少なくとも１つの異なる係数があり、前記第１係数は、第１オーバヘッド範囲に対応する係数であり、前記第１オーバヘッド範囲は、第１時間周波数リソースのオーバヘッドが属するオーバヘッド範囲であり、前記第１時間周波数リソースは前記第１ＴＴＩにおいて前記端末装置により使用される時間周波数リソースである。
【００１１】
第１の態様及び第１の態様の前述の実装を参照して、第１の態様の第２の実装では、Ｎ個のオーバヘッド範囲があり（言い換えると、Ｋ＝Ｎ）、Ｎ個の係数はＮ個のオーバヘッド範囲と１対１対応にある。
【００１２】
第１の態様及び第１の態様の前述の実装を参照して、第１の態様の第３の実装では、前記第１時間周波数リソースのオーバヘッドは、以下のパラメータ：前記第１時間周波数リソースの中で制御情報により占有されるリソースエレメントＲＥの数、前記第１時間周波数リソースの中で前記制御情報により占有されるリソースブロックＲＢの数、前記第１時間周波数リソースの中で前記制御情報により占有される制御チャネルエレメントＣＣＥの数、前記第１時間周波数リソースの中で参照信号により占有されるリソースエレメントＲＥの数、前記第１時間周波数リソースの中で前記参照信号により占有されるシンボルの数、のうちの少なくとも１つを含む。
【００１３】
第１の態様及び第１の態様の前述の実装を参照して、第１の態様の第４の実装では、前記第１ＴＴＩがダウンリンク送信のために使用されるとき、前記第１時間周波数リソースの前記オーバヘッドは、以下の場合のうちの少なくとも１つを含む：前記第１時間周波数リソースの前記オーバヘッドは、前記第１時間周波数リソースの中でセル固有参照信号ＣＲＳにより占有されるリソースの数又は比率を含む；前記第１時間周波数リソースの前記オーバヘッドは、前記第１時間周波数リソースの中で端末装置固有参照信号ＤＭＲＳにより占有されるリソースの数又は比率を含む；又は、前記第１時間周波数リソースの前記オーバヘッドは、前記第１時間周波数リソースの中でダウンリンク制御チャネルにより占有されるリソースの数又は比率を含む。
【００１４】
ＴＢＳを決定するために使用される係数は、異なるオーバヘッド範囲について別個に構成され、その結果、係数は、異なるオーバヘッドのケースに適応でき、決定されたＴＢＳは、ＴＴＩの現在のオーバヘッドのケースに適合し、それにより無線通信の信頼性及び精度を更に向上する。
【００１５】
第１の態様及び第１の態様の前述の実装を参照して、第１の態様の第５の実装では、前記第１ＴＴＩがアップリンク送信のために使用されるとき、前記第１時間周波数リソースのオーバヘッドは、以下のケースのうちの少なくとも１つを含む：前記第１時間周波数リソースの前記オーバヘッドは、前記第１時間周波数リソースの中でアップリンク制御情報により占有されるリソースの数又は比率を含み；又は、前記第１時間周波数リソースの前記オーバヘッドは、前記第１時間周波数リソースの中でアップリンク参照信号により占有されるリソースの数又は比率を含む。
【００１６】
ＴＢＳを決定するために使用される係数は、異なるオーバヘッド範囲について別個に構成され、その結果、係数は、異なるオーバヘッドのケースに適応でき、決定されたＴＢＳは、ＴＴＩの現在のオーバヘッドのケースに適応でき、それにより無線通信の信頼性及び精度を更に向上する。
【００１７】
第１の態様及び第１の態様の前述の実装を参照して、第１の態様の第６の実装では、前記Ｎ個の係数はＭ個の変調及び符号化方式ＭＣＳセットに対応し、Ｍ≧１であり、各ＭＣＳセットは少なくとも１つのＭＣＳを含み、各ＭＣＳセットは少なくとも１つの係数に対応し、任意の２つのＭＣＳセットに対応する係数の中に少なくとも１つの異なる係数があり、前記第１係数は第１ＭＣＳセットに対応する係数であり、前記第１ＭＣＳセットは、前記第１ＴＴＩにおいて前記端末装置により使用されるＭＣＳが属するＭＣＳセットである。
【００１８】
第１の態様及び第１の態様の前述の実装を参照して、第１の態様の第７の実装では、Ｎ個のＭＣＳセットがあり（言い換えると、Ｍ＝Ｎ）、Ｎ個のＭＣＳセットはＮ個のオーバヘッド範囲と１対１対応にある。
【００１９】
ＴＢＳを決定するために使用される係数は、異なるＭＣＳセットについて別個に構成され、その結果、係数は異なるＭＣＳの使用に適応でき、それによりシステムカバレッジを保証し、システムピークレートを増大し、及び／又は無線通信の信頼性及び精度を向上する。
【００２０】
第１の態様及び第１の態様の前述の実装によると、第１の態様の第８の実装では、前記Ｎ個の係数はＰ個の周波数ドメインリソース数範囲に対応し、Ｐ≧１であり、各周波数ドメインリソース数範囲は少なくとも１つの係数に対応し、任意の２つの周波数ドメインリソース数範囲に対応する係数の中に少なくとも１つの異なる係数があり、前記第１係数は第１周波数ドメインリソース数範囲に対応する係数であり、前記第１周波数ドメインリソース数範囲は、前記第１時間周波数リソースに対応する周波数ドメインリソース数の属する周波数ドメインリソース数範囲であり、前記第１周波数ドメインリソースは、前記第１ＴＴＩにおいて前記端末装置により使用される時間周波数リソースである。
【００２１】
第１の態様及び第１の態様の前述の実装を参照して、第１の態様の第９の実装では、Ｎ個の周波数ドメインリソース数範囲があり（言い換えると、Ｐ＝Ｎ）、前記Ｎ個の周波数ドメインリソース数範囲はＮ個のオーバヘッド範囲と１対１対応にある。
【００２２】
第１の態様及び第１の態様の前述の実装を参照して、第１の態様の第１０の実装では、前記周波数ドメインリソース数範囲は、ＲＢ数範囲を含み、前記周波数ドメインリソース数はＲＢ数を含む。
【００２３】
ＴＢＳを決定するために使用される係数は、異なる周波数ドメインリソース数範囲について別個に構成され、その結果、係数は、異なる周波数ドメインリソース数の使用に適応でき、決定されたＴＢＳは、ＴＴＩの現在の周波数ドメインリソース数の使用要件を満たし、それにより無線通信の信頼性及び精度を更に向上する。
【００２４】
第１の態様及び第１の態様の前述の実装を参照して、第１の態様の第１１の実装では、前記Ｎ個の係数はＱ個のＴＢＳセットに対応し、Ｑ≧１であり、各ＴＢＳセットは少なくとも１つのＴＢＳを含み、各ＴＢＳセットは少なくとも１つの係数に対応し、任意の２つのＴＢＳセットに対応する係数の中に少なくとも１つの異なる係数があり、前記第１係数は第１ＴＢＳセットに対応する係数であり、前記第１ＴＢＳセットは、前記第１ＴＴＩにおいて前記端末装置により使用されるＴＢＳが属するＴＢＳセットである。
【００２５】
第１の態様及び第１の態様の前述の実装を参照して、第１の態様の第１２の実装では、Ｎ個のＴＢＳセットがあり（言い換えると、Ｑ＝Ｎ）、Ｎ個のＴＢＳセットはＮ個のオーバヘッド範囲と１対１対応にある。
【００２６】
異なる係数が異なるＴＢＳセットについて別個に構成され、その結果、より信頼性の高い小さいＴＢＳが、異なる係数に基づく量子化を通じて取得でき、決定されたＴＢＳは異なるサービスの送信要件を満たす。
【００２７】
第１の態様及び第１の態様の前述の実装を参照して、第１の態様の第１３の実装では、端末装置により、第１係数を決定する前記ステップは、前記端末装置により、ネットワーク装置により送信された第１指示情報を受信するステップであって、前記第１指示情報は前記第１係数を含む、ステップを含む。
【００２８】
端末装置は、ネットワーク装置の指示に基づき第１係数を決定し、その結果、端末装置の負荷が低減できる。
【００２９】
第１の態様及び第１の態様の前述の実装を参照して、第１の態様の第１４の実装では、端末装置により、第１係数を決定する前記ステップは、前記端末装置により、前記第１ＴＴＩに基づき設定された前記第１係数セットから前記第１係数を決定するステップを含む。
【００３０】
端末装置は、第１係数を独立に決定し、その結果、ネットワーク装置と端末装置との間で、第１係数を示すシグナリングを送信するために使用されるオーバヘッドが削減できる。
【００３１】
第１の態様及び第１の態様の前述の実装を参照して、第１の態様の第１５の実装では、前記方法は、前記端末装置により、前記ネットワーク装置により送信された第２指示情報を受信するステップであって、前記第２指示情報は前記第１係数セットを示す、ステップを更に含む。
【００３２】
端末装置は、ネットワーク装置の指示に基づき第１係数セットを決定し、その結果、端末装置の負荷が低減できる。
【００３３】
第１の態様及び第１の態様の前述の実装を参照して、第１の態様の第１６の実装では、前記第１係数セットに含まれる前記Ｎ個の係数は、前記第１ＴＴＩに含まれるシンボルの数又は前記第１ＴＴＩの属するサブフレームのＴＴＩ構造に基づき決定される。
【００３４】
第１の態様及び第１の態様の前述の実装を参照して、第１の態様の第１７の実装では、前記第１係数セットは、第１ＴＴＩを含む複数のＴＴＩにより共有される係数セットであり、前記複数のＴＴＩは異なる数のシンボルを含み、又は前記複数のＴＴＩの属するサブフレームは異なるＴＴＩ構造を有する。
【００３５】
第１の態様及び第１の態様の前述の実装を参照して、第１の態様の第１８の実装では、前記第１係数セットは、前記第１ＴＴＩに特有の係数セットである。
【００３６】
第１の態様又は第１の態様の前述の可能な実装に関して、第１の態様の第１９の可能な実装では、前記方法は、前記端末装置により、第２係数を決定するステップであって、前記第２係数は、第２ＴＴＩに対応するユニークな係数であり、前記第２ＴＴＩの長さは前記第１ＴＴＩの長さより長い、ステップと、前記端末装置により、前記第２係数に基づき第２ＴＢＳを決定するステップと、前記端末装置により、前記第２ＴＴＩにおいて前記第２ＴＢＳに基づき無線通信を実行するステップと、を更に含む。
【００３７】
第２の態様によると、無線通信方法が提供される。当該方法は、ネットワーク装置により、第１係数を決定するステップであって、前記第１係数は第１送信時間間隔ＴＴＩに対応する第１係数セットに属し、前記第１係数セットはＮ個の係数を含み、Ｎ≧２であり、前記Ｎ個の係数は前記第１ＴＴＩにおけるアップリンク送信のために使用される少なくとも２つの係数、又は前記第１ＴＴＩにおけるダウンリンク送信のために使用される少なくとも２つの係数を含む、ステップと、前記ネットワーク装置により、前記第１係数に基づき第１トランスポートブロックサイズＴＢＳを決定するステップと、前記ネットワーク装置により、前記第１ＴＴＩにおける前記第１ＴＢＳに基づき、端末装置との無線通信を実行するステップと、を含む。
【００３８】
ＴＢＳを決定するために使用される２つ以上の係数は、１つのＴＴＩについて構成され、その結果、ＴＢＳを決定するために、ＴＴＩの現在の使用に基づき適正な係数が選択可能であり、決定されたＴＢＳは現在の通信状態に対応でき、それにより無線通信の信頼性及び精度を向上する。
【００３９】
第２の態様を参照し、第２の態様の第１の実装では、前記Ｎ個の係数はＫ個のオーバヘッド範囲に対応し、Ｋ≧１であり、各オーバヘッド範囲は少なくとも１つの係数に対応し、任意の２つのオーバヘッド範囲に対応する係数の中に少なくとも１つの異なる係数があり、前記第１係数は、第１オーバヘッド範囲に対応する係数であり、前記第１オーバヘッド範囲は、第１時間周波数リソースのオーバヘッドが属するオーバヘッド範囲であり、前記第１時間周波数リソースは前記第１ＴＴＩにおいて前記端末装置により使用される時間周波数リソースである。
【００４０】
第２の態様及び第２の態様の前述の実装を参照して、第２の態様の第２の実装では、Ｎ個のオーバヘッド範囲があり（言い換えると、Ｋ＝Ｎ）、Ｎ個の係数はＮ個のオーバヘッド範囲と１対１対応にある。
【００４１】
第２の態様及び第２の態様の前述の実装を参照して、第２の態様の第３の実装では、前記第１時間周波数リソースのオーバヘッドは、以下のパラメータ：前記第１時間周波数リソースの中で制御情報により占有されるリソースエレメントＲＥの数、前記第１時間周波数リソースの中で前記制御情報により占有されるリソースブロックＲＢの数、前記第１時間周波数リソースの中で前記制御情報により占有される制御チャネルエレメントＣＣＥの数、前記第１時間周波数リソースの中で参照信号により占有されるリソースエレメントＲＥの数、前記第１時間周波数リソースの中で前記参照信号により占有されるシンボルの数、のうちの少なくとも１つを含む。
【００４２】
第２の態様及び第２の態様の前述の実装を参照して、第２の態様の第４の実装では、前記第１ＴＴＩがダウンリンク送信のために使用されるとき、前記第１時間周波数リソースの前記オーバヘッドは、以下の場合のうちの少なくとも１つを含む：前記第１時間周波数リソースの前記オーバヘッドは、前記第１時間周波数リソースの中でセル固有参照信号ＣＲＳにより占有されるリソースの数又は比率を含む；前記第１時間周波数リソースの前記オーバヘッドは、前記第１時間周波数リソースの中で端末装置固有参照信号ＤＭＲＳにより占有されるリソースの数又は比率を含む；又は、前記第１時間周波数リソースの前記オーバヘッドは、前記第１時間周波数リソースの中でダウンリンク制御チャネルにより占有されるリソースの数又は比率を含む。
【００４３】
ＴＢＳを決定するために使用される係数は、異なるオーバヘッド範囲について別個に構成され、その結果、係数は、異なるオーバヘッドのケースに適応でき、決定されたＴＢＳは、ＴＴＩの現在のオーバヘッドのケースに適応でき、それにより無線通信の信頼性及び精度を更に向上する。
【００４４】
第２の態様及び第２の態様の前述の実装を参照して、第２の態様の第５の実装では、前記第１ＴＴＩがアップリンク送信のために使用されるとき、前記第１時間周波数リソースのオーバヘッドは、以下のケースのうちの少なくとも１つを含む：前記第１時間周波数リソースの前記オーバヘッドは、前記第１時間周波数リソースの中でアップリンク制御情報により占有されるリソースの数又は比率を含み；又は、前記第１時間周波数リソースの前記オーバヘッドは、前記第１時間周波数リソースの中でアップリンク参照信号により占有されるリソースの数又は比率を含む。
【００４５】
ＴＢＳを決定するために使用される係数は、異なるオーバヘッド範囲について別個に構成され、その結果、係数は、異なるオーバヘッドのケースに適応でき、決定されたＴＢＳは、ＴＴＩの現在のオーバヘッドのケースに適応でき、それにより無線通信の信頼性及び精度を更に向上する。
【００４６】
第２の態様及び第２の態様の前述の実装を参照して、第２の態様の第６の実装では、前記Ｎ個の係数はＭ個の変調及び符号化方式ＭＣＳセットに対応し、Ｍ≧１であり、各ＭＣＳセットは少なくとも１つのＭＣＳを含み、各ＭＣＳセットは少なくとも１つの係数に対応し、任意の２つのＭＣＳセットに対応する係数の中に少なくとも１つの異なる係数があり、前記第１係数は第１ＭＣＳセットに対応する係数であり、前記第１ＭＣＳセットは、前記第１ＴＴＩにおいて前記端末装置により使用されるＭＣＳが属するＭＣＳセットである。
【００４７】
第２の態様及び第２の態様の前述の実装を参照して、第２の態様の第７の実装では、Ｎ個のＭＣＳセットがあり（言い換えると、Ｍ＝Ｎ）、Ｎ個のＭＣＳセットはＮ個のオーバヘッド範囲と１対１対応にある。
【００４８】
ＴＢＳを決定するために使用される係数は、異なるＭＣＳセットについて別個に構成され、その結果、係数は異なるＭＣＳの使用に適応でき、それによりシステムカバレッジを保証し、システムピークレートを増大し、及び／又は無線通信の信頼性及び精度を向上する。
【００４９】
第２の態様及び第２の態様の前述の実装によると、第２の態様の第８の実装では、前記Ｎ個の係数はＰ個の周波数ドメインリソース数範囲に対応し、Ｐ≧１であり、各周波数ドメインリソース数範囲は少なくとも１つの係数に対応し、任意の２つの周波数ドメインリソース数範囲に対応する係数の中に少なくとも１つの異なる係数があり、前記第１係数は第１周波数ドメインリソース数範囲に対応する係数であり、前記第１周波数ドメインリソース数範囲は、前記第１時間周波数リソースに対応する周波数ドメインリソース数の属する周波数ドメインリソース数範囲であり、前記第１周波数ドメインリソースは、前記第１ＴＴＩにおいて前記端末装置により使用される時間周波数リソースである。
【００５０】
第２の態様及び第２の態様の前述の実装を参照して、第２の態様の第９の実装では、Ｎ個の周波数ドメインリソース数範囲があり（言い換えると、Ｐ＝Ｎ）、前記Ｎ個の周波数ドメインリソース数範囲はＮ個のオーバヘッド範囲と１対１対応にある。
【００５１】
第２の態様及び第２の態様の前述の実装を参照して、第２の態様の第１０の実装では、前記周波数ドメインリソース数範囲は、ＲＢ数範囲を含み、前記周波数ドメインリソース数はＲＢ数を含む。
【００５２】
ＴＢＳを決定するために使用される係数は、異なる周波数ドメインリソース数範囲について別個に構成され、その結果、係数は、異なる周波数ドメインリソース数の使用に適応でき、決定されたＴＢＳは、ＴＴＩの現在の周波数ドメインリソース数の使用要件を満たし、それにより無線通信の信頼性及び精度を更に向上する。
【００５３】
第２の態様及び第２の態様の前述の実装を参照して、第２の態様の第１１の実装では、前記Ｎ個の係数はＱ個のＴＢＳセットに対応し、Ｑ≧１であり、各ＴＢＳセットは少なくとも１つのＴＢＳを含み、各ＴＢＳセットは少なくとも１つの係数に対応し、任意の２つのＴＢＳセットに対応する係数の中に少なくとも１つの異なる係数があり、前記第１係数は第１ＴＢＳセットに対応する係数であり、前記第１ＴＢＳセットは、前記第１ＴＴＩにおいて前記端末装置により使用されるＴＢＳが属するＴＢＳセットである。
【００５４】
第２の態様及び第２の態様の前述の実装を参照して、第２の態様の第１２の実装では、Ｎ個のＴＢＳセットがあり（言い換えると、Ｑ＝Ｎ）、Ｎ個のＴＢＳセットはＮ個のオーバヘッド範囲と１対１対応にある。
【００５５】
異なる係数が異なるＴＢＳセットについて別個に構成され、その結果、より信頼性の高い小さいＴＢＳが、異なる係数に基づく量子化を通じて取得でき、決定されたＴＢＳは異なるサービスの送信要件を満たす。
【００５６】
第２の態様及び第２の態様の前述の実装を参照して、第２の態様の第１３の実装では、ネットワーク装置により、第１係数を決定する前記ステップは、前記ネットワーク装置により、前記第１係数セットを決定するステップと、前記ネットワーク装置により、前記第１ＴＴＩに基づき前記第１係数セットから前記第１係数を決定するステップと、を含む。
【００５７】
第２の態様及び第２の態様の前述の実装を参照して、第２の態様の第１４の実装では、前記方法は、前記ネットワーク装置により、前記端末装置へ第１指示情報を送信するステップであって、前記第１指示情報は前記第１係数を示す、ステップを更に含む。
【００５８】
ネットワーク装置は、第１係数として、ＴＴＩの現在の使用要件を満たす係数を柔軟に選択でき、それにより、無線通信の信頼性及び精度を更に向上する。
【００５９】
第２の態様及び第２の態様の前述の実装を参照して、第２の態様の第１５の実装では、前記方法は、前記ネットワーク装置により、前記端末装置へ第２指示情報を送信するステップであって、前記第２指示情報は前記第１係数セットを示す、ステップを更に含む。
【００６０】
第２の態様及び第２の態様の前述の実装を参照して、第２の態様の第１６の実装では、前記第１係数セットに含まれる前記Ｎ個の係数は、前記第１ＴＴＩに含まれるシンボルの数又は前記第１ＴＴＩの属するサブフレームのＴＴＩ構造に基づき決定される。
【００６１】
第２の態様及び第２の態様の前述の実装を参照して、第２の態様の第１７の実装では、前記第１係数セットは、第１ＴＴＩを含む複数のＴＴＩにより共有される係数セットであり、前記複数のＴＴＩは異なる数のシンボルを含み、又は前記複数のＴＴＩの属するサブフレームは異なるＴＴＩ構造を有する。
【００６２】
第２の態様及び第２の態様の前述の実装を参照して、第２の態様の第１８の実装では、前記第１係数セットは、前記第１ＴＴＩに特有の係数セットである。
【００６３】
第２の態様又は第２の態様の前述の可能な実装に関して、第２の態様の第１９の可能な実装では、前記方法は、前記ネットワーク装置により、第２係数を決定するステップであって、前記第２係数は、第２ＴＴＩに対応するユニークな係数であり、前記第２ＴＴＩの長さは前記第１ＴＴＩの長さより長い、ステップと、前記ネットワーク装置により、前記第２係数に基づき第２ＴＢＳを決定するステップと、前記ネットワーク装置により、前記第２ＴＴＩにおいて前記第２ＴＢＳに基づき無線通信を実行するステップと、を更に含む。
【００６４】
第３の態様によると、第１の態様及び第１の態様の任意の可能な実装における方法を実行するよう構成される、又は第２の態様及び第２の態様の任意の可能な実装における方法を実行するよう構成される無線通信機器が提供される。具体的に、前記無線通信機器は、第１の態様及び第１の態様の任意の可能な実装における方法を実行するよう構成されるユニット、又は第２の態様及び第２の態様の任意の可能な実装における方法を実行するよう構成されるユニットを含んでよい。
【００６５】
第４の態様によると、メモリとプロセッサとを含む無線通信装置が提供される。前記メモリは、コンピュータプログラムを格納するよう構成され、前記プロセッサは、前記メモリから前記コンピュータプログラムを呼び出し及び前記コンピュータプログラムを実行するよう構成され、その結果、無線通信装置は、第１の態様及び第１の態様の任意の可能な実装における方法を実行し、又は第２の態様及び第２の態様の任意の可能な実装における方法を実行する。
【００６６】
第５の態様によると、コンピュータプログラムプロダクトが提供される。前記コンピュータプログラムプロダクトは、コンピュータプログラムコードを含み、前記コンピュータプログラムコードが受信ユニット、処理ユニット、及び送信ユニットにより、又は通信装置（例えば、ネットワーク装置又は端末装置）の受信機、プロセッサ、及び送信機により実行されると、前記通信装置は、第１の態様及び第１の態様の任意の可能な実装における方法を実行し、又は第２の態様及び第２の態様の任意の可能な実装における方法を実行する。
【００６７】
第６の態様によると、コンピュータ可読記憶媒体が提供される。前記コンピュータ可読記憶媒体は、プログラムを格納し、前記プログラムは、通信装置（例えば、ネットワーク装置又は端末装置）が、第１の態様及び第１の態様の任意の可能な実装における方法を実行し、又は第２の態様及び第２の態様の任意の可能な実装における方法を実行することを可能にする。
【図面の簡単な説明】
【００６８】
【図１】本発明の実施形態による無線通信方法及び機器の適用される通信システムの概略アーキテクチャ図である。
【００６９】
【図２】サブフレーム内の２シンボルＴＴＩ構造の一例の概略図である。
【００７０】
【図３】サブフレーム内の２シンボルＴＴＩ構造の別の例の概略図である。
【００７１】
【図４】サブフレーム内の２シンボルＴＴＩ構造の更に別の例の概略図である。
【００７２】
【図５】オーバヘッド又はＴＴＩ内の利用可能リソース上で生じ得る異なる場合の一例の概略図である。
【００７３】
【図６】オーバヘッド又はＴＴＩ内の利用可能リソース上で生じ得る異なる場合の別の例の概略図である。
【００７４】
【図７】ＴＴＩ内のＣＲＳオーバヘッド上で生じ得る異なる場合の概略図である。
【００７５】
【図８】本発明の一実施形態による無線通信方法の一例の概略相互作用図である。
【００７６】
【図９】本発明の一実施形態による無線通信方法の別の例の概略相互作用図である。
【００７７】
【図１０】本発明の一実施形態による無線通信機器の一例の概略ブロック図である。
【００７８】
【図１１】本発明の一実施形態による無線通信機器の別の例の概略ブロック図である。
【００７９】
【図１２】本発明の一実施形態による無線通信機器の更に別の例の概略ブロック図である。
【００８０】
【図１３】本発明の一実施形態による無線通信機器の更に別の例の概略ブロック図である。
【発明を実施するための形態】
【００８１】
以下は、添付の図面を参照して本願の技術的ソリューションを記載する。
【００８２】
本願明細書で使用される「コンポーネント」、「モジュール」及び「システム」のような用語は、コンピュータ関連エンティティ、ハードウェア、ファームウェア、ハードウェアとソフトウェアの組み合わせ、ソフトウェア、又は実行中のソフトウェアを示すために使用される。例えば、コンポーネントは、プロセッサで実行するプロセス、プロセッサ、オブジェクト、実行ファイル、実行スレッド、プログラム、及び／又はコンピュータであってよいが、これらに限定されない。図示のように、コンピューティング装置上で実行するアプリケーション及びコンピューティング装置の両者はコンポーネントであってよい。１つ以上のコンポーネントは、プロセス及び／又は実行スレッド内に存在してよく、１つのコンピュータに及び／又は２以上のコンピュータに分散されて配置されてよい。さらに、これらのコンポーネントは、種々のデータ構造を格納する種々のコンピュータ可読媒体から実行されてよい。コンポーネントは、例えば１つ以上のデータパケットを有する信号（例えば、ローカルシステム内の、分散システム内の、及び／又は信号を用いて別のシステムと相互作用するインターネットのようなネットワークに渡り、別のコンポーネントと相互作用する２つのコンポーネントからのデータ）に基づき、ローカル及び／又はリモートプロセスを用いて、通信してよい。
【００８３】
理解されるべきことに、本発明の実施形態の技術的ソリューションは、グローバルシステム・フォー・モバイルコミュニケーション（Global  System  of  Mobile  communication、ＧＳＭ）、符号分割多元接続（Code  Division  Multiple  Access、ＣＤＭＡ）システム、広帯域符号分割多元接続（Wideband  Code  Division  Multiple  Access  Wireless、ＷＣＤＭＡ）システム、ジェネラルパケット無線サービス（General  Packet  Radio  Service、ＧＰＲＳ）、及びロングタームエボリューション（Long  Term  Evolution、ＬＴＥ）システム、ユニバーサル・モバイル・テレコミュニケーション・システム（Universal  Mobile  Telecommunications  System、ＵＭＴＳ）、又は次世代通信システムのような種々の通信システムに適用されてよい。
【００８４】
通常、伝統的な通信システムは、限られた数の接続をサポートし、実装が容易である。しかしながら、通信技術の進化に伴い、伝統的な通信に加えて、移動体通信システムは、例えば、装置間（Device−to−Device、Ｄ２Ｄ）通信、機械間（Machine−to−Machine、Ｍ２Ｍ）通信、機械型通信（Machine  Type  Communication、ＭＴＣ）、及び車車間（Vehicle−to−Vehicle、Ｖ２Ｖ）通信を更にサポートする。
【００８５】
種々の実施形態は、本発明の実施形態では、端末装置を参照して記載される。端末装置は、ユーザ機器（User  Equipment、ＵＥ）、アクセス端末、加入者ユニット、加入者局、移動局、移動体コンソール、リモート局、リモート端末、モバイル装置、ユーザ端末、端末、無線通信装置、ユーザエージェント、又はユーザ装置とも呼ばれてよい。端末装置は、無線ローカルエリアネットワーク（Wireless  Local  Area  Networks、ＷＬＡＮ）内にある局（Station、ＳＴＡ）であってよく、又はセルラ電話機、コードレス電話機セット、セッション開始プロトコル（Session  Initiation  Protocol、ＳＩＰ）電話機、無線ローカルループ（Wireless  Local  Loop、ＷＬＬ）局、パーソナルデジタルアシスタント（Personal  Digital  Assistant、ＰＤＡ）装置、無線通信機能を備えるハンドヘルド装置、無線モデムに接続されるコンピューティング装置又は別の処理装置、車内装置、ウェアラブル装置、第５世代（fifth−generation、５Ｇ）通信ネットワークのような次世代通信システムにおける端末装置、又は将来の進化型公衆地上移動体ネットワーク（Public  Land  Mobile  Network、ＰＬＭＮ）における端末装置、であってよい。
【００８６】
限定ではなく例として、本発明の実施形態では、端末装置は代替としてウェアラブル装置であってよい。ウェアラブル装置は、ウェアラブルスマート装置とも呼ばれることがあり、装着でき且つ知的に設計されることにより開発された、ウェアラブル技術を適用することにより毎日装着する眼鏡、グローブ、腕時計、衣服、又は靴のようなデバイスの汎用的用語である。ウェアラブル装置は、身体に直接装着される又はユーザの衣服若しくはアクセサリに統合される、ポータブル装置である。ウェアラブル装置は、ハードウェア装置を超え、ソフトウェアサポート、データ交換、及びクラウド相互作用を通じて強力な機能を実装する。一般的なウェアラブルスマート装置は、スマートウォッチ又はスマート眼鏡のような全機能搭載型の、且つスマートフォンを有しないで全部又は一部の機能を実装できる大型装置、並びに、生体信号監視のための種々のスマートバンド若しくはスマートジュエリーのような、１つの特定種類のアプリケーション機能のみに焦点を当て、スマートフォンのような別の装置と一緒に使用される必要のある装置、を含む。
【００８７】
さらに、種々の実施形態は、本発明の実施形態では、ネットワーク装置を参照して記載される。ネットワーク装置は、モバイル装置と通信するために使用される装置であってよい。ネットワーク装置は、ＷＬＡＮにおけるアクセスポイント（Access  Point、ＡＰ）、ＧＳＭ又はＣＤＭＡにおける基地通信局（Base  Transceiver  Station、ＢＴＳ）であってよく、ＷＣＤＭＡにおけるＮｏｄｅＢ（NodeB、ＮＢ）であってよく、又はＬＴＥにおける進化型ＮｏｄｅＢ（Evolutional  NodeB、eNB、又はeNodeB）、中継局、アクセスポイント、車内装置、ウェアラブル装置、将来の５Ｇネットワークにおけるネットワーク装置、又は将来の進化型ＰＬＭＮにおけるネットワーク装置、であってよい。
【００８８】
さらに、本発明の実施形態では、端末装置はセル内で無線通信を実行してよい。セルは、ネットワーク装置（例えば、基地局）に対応するセルであってよい。セルは、マクロ基地局に属してよく、又はスモールセル（small  cell）に対応する基地局に属してよい。スモールセルは、ここでは、メトロセル（Metro  cell）、マイクロセル（Micro  cell）、ピコセル（Pico  cell）、フェムトセル（Femto  cell）、等を含んでよい。これらのスモールセルは、小さなカバレッジエリア及び低い送信電力により特徴付けられ、高速データ伝送サービスを提供するのに適する。
【００８９】
さらに、複数のセルは、同じ周波数における、ＬＴＥシステム内のキャリア上で同時に動作してよい。幾つかの特別なシナリオでは、ＬＴＥシステム内のキャリア及びセルは概念上等価であると考えられてよい。例えば、キャリアアグリゲーション（Carrier  Aggregation、ＣＡ）シナリオでは、２次コンポーネントキャリアがＵＥのために構成されると、２次コンポーネントキャリアのキャリアインデックス及び２次コンポーネントキャリア上で動作する２次サービングセルのセル識別子（Cell  Identifier、Ｃｅｌｌ  ＩＤ）の両方が、伝達される。この場合、キャリア及びセルは概念上等価であると考えられてよい。例えば、ＵＥによるキャリアへのアクセスは、ＵＥによるセルへのアクセスと等価である。
【００９０】
本発明の実施形態で提供される方法及び機器は、端末装置又はネットワーク装置に適用されてよい。端末装置又はネットワーク装置は、ハードウェアレイヤ、ハードウェアレイヤの上位で動作するオペレーティングシステムレイヤ、オペレーティングシステムレイヤの上位で動作するアプリケーションレイヤを含む。ハードウェアレイヤは、中央処理ユニット（Central  Processing  Unit、ＣＰＵ）、メモリ管理ユニット（Memory  Management  Unit、ＭＭＵ）、及びメモリ（メインメモリとも呼ばれる）を含む。オペレーティングシステムは、Ｌｉｎｕｘオペレーティングシステム、Ａｎｄｒｏｉｄオペレーティングシステム、ｉＯＳオペレーティングシステム、又はＷｉｎｄｏｗｓオペレーティングシステムのような、プロセス（Process）を用いてサービス処理を実施する１つ以上のコンピュータオペレーティングシステムであってよい。アプリケーションレイヤは、ブラウザ、アドレス帳、ワードプロソフトウェア、及びインスタントメッセージングソフトウェアのようなアプリケーションを含む。さらに、本発明の実施形態では、無線通信方法を実行するエンティティの特定構造は、本発明の実施形態における無線通信方法を用いて通信を実行するために、エンティティが本発明の実施形態における無線通信方法のプログラム記録コードを実行可能ならば、本発明の実施形態において特に限定されない。例えば、本発明の実施形態における無線通信方法は、端末装置、ネットワーク装置、又は端末装置若しくはネットワーク装置内にあり且つプログラムを呼び出し実行可能な機能モジュールにより実行されてよい。
【００９１】
さらに、本発明の実施形態の種々の態様又は特徴は、標準的なプログラミング及び／又はエンジニアリング技術を使用する方法、機器、又はプロダクトとして実施されてよい。本願で使用される用語「プロダクト」は、任意のコンピュータ可読装置、キャリア、又は媒体からアクセス可能なコンピュータプログラムを包含する。例えば、コンピュータ可読媒体は、限定ではないが、磁気記憶装置（例えば、ハードディスク、フロッピーディスク、又は磁気テープ）、光ディスク（例えば、コンパクトディスク（Compact  Disk、ＣＤ）、デジタルバーサタイルディスク（Digital  Versatile  Disk、ＤＶＤ））、スマートカード及びフラッシュメモリ装置（例えば、消去可能プログラマブル読み出し専用メモリ（Erasable  Programmable  Read−Only  Memory、ＥＰＲＯＭ）、カード、スティック、又はキードライブ））を含んでよい。さらに、本願明細書に記載の種々の記憶媒体は、情報を格納するために使用される１又は複数の装置及び／又は別の機械可読媒体を示してよい。用語「機械可読媒体」は、限定ではなく、命令及び／又はデータを格納し、含み、及び／又は運ぶことが可能な無線チャネル及び種々の他の媒体を含んでよい。
【００９２】
図１は、本発明の実施形態が適用される無線通信システムの概略図である。図１に示すように、通信システム１００はネットワーク装置１０２を含む。ネットワーク装置１０２は、１つ以上のアンテナ、例えばアンテナ１０４、１０６、１０８、１１０、１１２、及び１１４を含んでよい。さらに、ネットワーク装置１０２は、追加で送信機チェーン及び受信機チェーンを含んでよい。当業者は、送信機チェーン及び受信機チェーンがそれぞれ、信号送信及び受信に関連する複数のコンポーネント（例えば、プロセッサ、変調器、マルチプレクサ、復調器、デマルチプレクサ、又はアンテナ）を含んでよいことを理解し得る。
【００９３】
ネットワーク装置１０２は、複数の端末装置（例えば、端末装置１１６及び端末装置１２２）と通信してよい。しかしながら、ネットワーク装置１０２は端末装置１１６又は１２２と類似する任意の数の端末装置と通信してよいことが理解され得る。端末装置１１６及び１２２は、それぞれ、例えば、セルラフォン、スマートフォン、ポータブルコンピュータ、ハンドヘルド通信装置、ハンドヘルドコンピューティング装置、衛星無線機器、全地球測位システム、ＰＤＡ、及び／又は無線通信システム１００における通信のために使用される任意の他の適切な装置であってよい。
【００９４】
図１に示すように、端末装置１１６は、アンテナ１１２及び１１４と通信する。アンテナ１１２及び１１４は、順方向リンク（ダウンリンクとも呼ばれる）１１８を介して端末装置１１６へ情報を送信し、及び逆方向リンク（アップリンクとも呼ばれる）１２０を介して端末装置１１６から情報を受信する。さらに、端末装置１２２は、アンテナ１０４及び１０６と通信する。アンテナ１０４及び１０６は、順方向リンク１２４を介して端末装置１２２へ情報を送信し、逆方向リンク１２６を介して端末装置１２２から情報を受信する。
【００９５】
例えば、周波数分割複信（Frequency  Division  Duplex、ＦＤＤ）システムでは、順方向リンク１１８及び逆方向リンク１２０は、異なる帯域を使用してよく、順方向リンク１２４及び逆方向リンク１２６は異なる帯域を使用してよい。
【００９６】
別の例として、時分割複信（Time  Division  Duplex、ＴＤＤ）システム及び全二重（Full  Duplex）システムでは、順方向リンク１１８及び逆方向リンク１２０は、同じ帯域を使用してよく、順方向リンク１２４及び逆方向リンク１２６は同じ帯域を使用してよい。
【００９７】
各アンテナ（又は複数のアンテナを含むアンテナグループ）及び／又は通信のために指定された領域は、ネットワーク装置１０２のセクタと呼ばれる。例えば、アンテナグループは、ネットワーク装置１０２のカバレッジ内にあるセクタ内の端末装置と通信するよう構成されてよい。ネットワーク装置は、単一のアンテナを用いて、該単一のアンテナに対応するセクタ内の全ての端末装置へ信号を送信してよい。ネットワーク装置１０２がそれぞれ順方向リンク１１８及び１２４を介して端末装置１１６及び１２２と通信するとき、ネットワーク装置１０２の送信アンテナは、ビームフォーミングを通じて順方向リンク１１８及び１２４の信号対雑音比を増大してよい。さらに、ネットワーク装置が単一アンテナを用いて該単一アンテナに対応する全ての端末装置へ信号を送信する方法と比べて、ネットワーク装置１０２によりビームフォーミングを通じて、関連カバレッジエリア内にランダムに分散した端末装置１１６及び１２２へ信号を送信することは、近隣セル内のモバイル装置との干渉をあまり生じない。
【００９８】
所与の時間内に、ネットワーク装置１０２、端末装置１１６、又は端末装置１２２は、無線通信送信機器及び／又は無線通信受信機器であってよい。データを送信するとき、無線通信送信機は、送信のためのデータを符号化してよい。具体的に、無線通信送信機器は、チャネルを通じて無線通信受信機器へ送信される必要のある特定数のデータビットを取得して（例えば、生成し、別の通信機器から受信し、又はメモリに格納して）よい。データビットは、データのトランスポートブロック（又は複数のトランスポートブロック）に含まれてよく、トランスポートブロックは複数のコードブロックを生成するためにセグメント化されてよい。
【００９９】
さらに、通信システム１００は、ＰＬＭＮ、Ｄ２Ｄネットワーク、Ｍ２Ｍネットワーク、又は別のネットワークであってよい。図１は、簡易概略図の単なる一例である。ネットワークは、図１に示されない別のネットワーク装置を更に含んでよい。
【０１００】
無線通信のために通信システム１００内で使用される時間周波数リソースは、以下に詳細に記載される。
【０１０１】
本発明の実施形態では、無線通信のために通信システム１００内で使用される時間周波数リソースは、時間ドメインにおいて複数の送信時間間隔（Transmission  Time  Interval、ＴＴＩ）に分割されてよい。ＴＴＩは、現在の通信システム（例えば、ＬＴＥシステム）において一般的に使用されるパラメータであり、無線リンク上のデータ送信をスケジューリングするスケジューリング単位である。従来、通常、１ＴＴＩ＝１ｍｓと考えられる。言い換えると、１ＴＴＩは１サブフレーム（subframe）又は２つのスロット（slot）である。ＴＴＩは、（スケジューリングのような）無線リソース管理における基本時間単位である。
【０１０２】
通信ネットワークでは、遅延は主要性能指示子であり、ユーザの使用経験に影響する。通信プロトコルの発展により、遅延に最も有意に影響する物理レイヤスケジューリング間隔が益々小さくなっている。スケジューリング間隔（つまり、ＴＴＩ）は、初めにＷＣＤＭＡでは１０ｍｓであり、次に高速パケットアクセス（High  Speed  Packet  Access、ＨＳＰＡ）では２ｍｓに短縮され、ロングタームエボリューション（Long  Term  Evolution、ＬＴＥ）では１ｍｓに短縮されている。
【０１０３】
低遅延サービス要件により、スケジューリング間隔を更に短縮するために、より短いＴＴＩフレーム構造がＬＴＥ物理レイヤのために導入される必要がある。例えば、ＴＴＩ長は、１ｍｓから、１シンボル（symbol）乃至１スロット（７個のシンボルを含む）の範囲に短縮され得る。上述のシンボルは、ＬＴＥシステムにおける直交周波数分割多重（Orthogonal  Frequency  Division  Multiplexing、ＯＦＤＭ）シンボル又はシングルキャリア周波数分割多元接続（Single  Carrier  Frequency  Division  Multiple  Access、ＳＣ−ＦＤＭＡ）シンボルであってよく、或いは別の通信システムにおけるシンボルであってよい。
【０１０４】
長さが１ｍｓのＴＴＩに基づくデータ送信では、データ送信のラウンドトリップ時間（Round  Trip  Time、ＲＴＴ）は８ｍｓである。長さが１ｍｓ未満のＴＴＩのスケジューリングの処理時間は、長さが１ｍｓの既存のＴＴＩのスケジューリングの処理時間に対して比例的に減少すると仮定する。言い換えると、依然として既存のＲＴＴ遅延パターンに従う。長さが１スロットであるｓＴＴＩに基づくデータ送信では、データ送信のＲＴＴは８スロット、つまり４ｍｓである。遅延は、長さが１ｍｓのＴＴＩに基づくデータ送信に対して半減できる。したがって、ユーザ経験が向上する。
【０１０５】
長さが１サブフレーム（又は１ｍｓ）のＴＴＩは、短送信時間間隔（short  Transmission  Time  Interval、ｓＴＴＩ）と呼ばれてよい。例えば、ｓＴＴＩの長さは、１シンボルから７シンボルまでの任意の長さであってよく、又は、ｓＴＴＩの長さは、１シンボルから７シンボルまでの中の少なくとも２個の異なる長さの組み合わせであってよい。例えば、１ｍｓは４ｓＴＴＩを含み、ｓＴＴＩの長さは、別々に４シンボル、３シンボル、４シンボル、及び３シンボルであってよく、又は、別々に４シンボル、３シンボル、３シンボル、及び４シンボルであってよく、又は他の異なる長さの組み合わせであってよい。
【０１０６】
さらに、アップリンクｓＴＴＩ長は、ダウンリンクｓＴＴＩ長と同じであってよい。例えば、アップリンクｓＴＴＩ長及びダウンリンクｓＴＴＩ長は、それぞれ２シンボルである。
【０１０７】
代替として、アップリンクｓＴＴＩ長は、ダウンリンクｓＴＴＩ長より大きくてよい。例えば、アップリンクｓＴＴＩ長は７シンボルであり、ダウンリンクｓＴＴＩ長は２シンボルである。
【０１０８】
代替として、アップリンクｓＴＴＩ長は、ダウンリンクｓＴＴＩ長より小さくてよい。例えば、アップリンクｓＴＴＩ長は４シンボルであり、ダウンリンクｓＴＴＩ長は１サブフレームである。
【０１０９】
ＴＴＩ長が１サブフレーム又は１ｍｓ未満のデータパケットは、短ＴＴＩデータパケットと呼ばれる。短ＴＴＩデータ送信は、周波数ドメインにおいて連続的に又は不連続に実行されてよい。留意すべきことに、後方互換性について、長さが１ｍｓのＴＴＩに基づくデータ送信及びｓＴＴＩに基づくデータ送信の両者がシステム内に共存してよい。
【０１１０】
本発明の実施形態では、理解及び差別化を容易にするために、従来技術（例えば、ＬＴＥシステム）で指定されたＴＴＩ（例えば、長さが１ｍｓのＴＴＩ又は長さが１ｍｓより大きいＴＴＩ）及びｓＴＴＩは、集合的にＴＴＩと呼ばれる。言い換えると、本発明の実施形態では、ＴＴＩの長さは実際の必要に基づき変更されてよい。
【０１１１】
本発明の実施形態では、通信システム１００内で使用される時間周波数リソースは、免許時間周波数リソースであってよく、又は無免許時間周波数リソースであってよい。言い換えると、本発明の実施形態では、通信システム１００内の各通信装置（例えば、ネットワーク装置又は端末装置）は、時間周波数リソースを用いて許可無し送信方式に基づき通信を実行してよく、又は時間周波数リソースを用いて許可方式で通信を実行してよい。これは、本発明の実施形態において特に限定されない。
【０１１２】
無免許時間周波数リソースは、通信システムにより共有可能な免許不要時間ドメイン及び周波数ドメインリソースである。免許不要帯域上のリソース共有は、特定スペクトルの使用のために、送信電力及び帯域外放射のような指標にのみ制限が課せられて、該帯域を共有する複数の装置が基本共存要件を満たすことを保証することを意味する。オペレータは、免許不要帯域リソースを用いてネットワーク容量オフローディングを実装できるが、免許不要帯域リソース上の異なる領域及び異なるスペクトルの規制条件に従う必要がある。これらの要件は、通常、レーダのような公共システムを保護するために、及び複数のシステムが公平に共存し、互いに可能な限り少ない悪影響しか生じないことを保証するために、課され、送信電力限度、帯域外放射指示、屋内及び屋外使用制限を含む。さらに、幾つかの領域は、幾つかの追加共存ポリシ等を更に有する。例えば、通信装置は、接続又はリスニング、例えばリッスン・ビフォー・トーク（Listen  Before  Talk、ＬＢＴ）を通じて時間周波数リソースを使用できる。
【０１１３】
将来のネットワークにおける膨大な数のＭＴＣサービスをサポートするために、及び低遅延及び高信頼性サービス送信を実施するために、許可無し送信方式が使用されてよい。許可無し送信は、英語でGrant  Freeと表され得る。許可無し送信は、ここでは、アップリンクデータ送信又はダウンリンクデータ送信であってよい。許可無し送信は、以下の意味、複数の手段のうちの幾つかの技術的意味の組み合わせ、又は別の同様の意味のうちの任意の１つ以上として理解されてよい。
【０１１４】
許可無し送信は：ネットワーク装置が複数の送信リソースを端末装置に予め割り当て、端末装置に送信リソースを通知する；端末装置がアップリンクデータ送信の必要があるとき、端末装置はネットワーク装置により予め割り当てられた複数の送信リソースから少なくとも１つの送信リソースを選択し、選択した送信リソースを用いてアップリンクデータを送信する；ネットワーク装置は複数の予め割り当てた送信リソースの中の１つ以上の送信リソースに対して、端末装置により送信されたアップリンクデータを検出する；であってよい。検出はブラインド検出であってよく、又はアップリンクデータの中の特定制御フィールドに基づき実行される検出、又は別の方法で実行される検出であってよい。
【０１１５】
許可無し送信は：ネットワーク装置が複数の送信リソースを端末装置に予め割り当て、端末装置に送信リソースを通知する；その結果、端末装置がアップリンクデータ送信の必要があるとき、端末装置はネットワーク装置により予め割り当てられた複数の送信リソースから少なくとも１つの送信リソースを選択し、選択した送信リソースを用いてアップリンクデータを送信する；であってよい。
【０１１６】
許可無し送信は：複数の予め割り当てられた送信リソースに関する情報が取得され；アップリンクデータ送信の必要があるとき、少なくとも１つの送信リソースが複数の送信リソースから選択され、選択された送信リソースを用いてアップリンクデータが送信される；であってよい。該情報はネットワーク装置から取得されてよい。
【０１１７】
許可無し送信は、端末装置のアップリンクデータ送信がネットワーク装置により実行される動的スケジューリングを伴わずに実施可能な方法であってよい。動的スケジューリングは、ネットワーク装置がシグナリングを用いて端末装置の各アップリンクデータ送信のための送信リソースを示すスケジューリング方法であってよい。任意で、端末装置のアップリンクデータ送信の実施は、同じ時間周波数リソースでアップリンクデータを送信することを２以上の装置に許可すると理解されてよい。任意で、送信リソースは、端末装置がシグナリングを受信した時点の後の、１つ以上の送信時間単位の送信リソースであってよい。送信時間単位は、１回の送信の、ＴＴＩのような最小時間単位であってよい。
【０１１８】
許可無し送信は：端末装置が、ネットワーク装置により許可されることなく、アップリンクデータを送信することであってよい。許可は：端末装置がアップリンクスケジューリング要求をネットワーク装置へ送信し、スケジューリング要求を受信した後に、ネットワーク装置がアップリンク許可を端末装置へ送信することであってよい。アップリンク許可は、端末装置に割り当てられたアップリンク送信リソースを示す。
【０１１９】
許可無し送信は、競合に基づく送信方法であってよい。具体的に、複数の端末は、基地局により許可されることなく、同じ予め割り当てられた時間周波数リソースでアップリンクデータを同時に送信してよい。
【０１２０】
データは、サービスデータ又はシグナリングデータを含んでよい。
【０１２１】
ブラインド検出は、データが到着したか否かを知ることなく、可能性のあるデータを検出することと理解されてよい。代替として、ブラインド検出は、明示的シグナリング命令を伴わずに実行される検出として理解されてよい。
【０１２２】
本発明の実施形態では、許可無し送信の基本時間単位は、１ＴＴＩ（例えば、前述のｓＴＴＩを含む）であってよい。ｓＴＴＩ技術が導入された後に、許可無し送信は、ＴＴＩ長が１ｍｓ又はＴＴＩ長が１ｍｓ未満のダウンリンクデータチャネル上で受信を実行すること、又はＴＴＩ長が１ｍｓ又はＴＴＩ長が１ｍｓ未満のアップリンクデータチャネル上で送信を実行することを含んでよい。
【０１２３】
限定ではなく例として、本発明の実施形態では、無免許スペクトルリソースは、５ＧＨｚに近い帯域、２．４ＧＨｚに近い帯域、３．５ＧＨｚに近い帯域、及び６０ＧＨｚに近い帯域を含んでよい。
【０１２４】
限定ではなく例として、例えば、通信システム１００は、ロングタームエボリューション（Licensed−Assisted  Access  Using  LTE、ＬＡＡ−ＬＴＥ）技術を用いるライセンスド・アシステッド・アクセスを使用してよく、又はStandalone  LTE  over  unlicensed  spectrumのような免許不要帯域上の独立した展開において通信システムをサポートする技術を使用してよく、又はＬＴＥ−Ｕ（LTE  Advanced  in  Unlicensed  Spectrums）技術を使用してよい。言い換えると、通信システム１００は、ＬＴＥ無線インタフェースプロトコルを用いて免許不要帯域上の通信を達成するために、免許不要帯域上でＬＴＥシステムを独立に展開してよい。システムは、免許帯域を含まない。中央スケジューリング、干渉調整、又はハイブリッド自動再送要求（Hybrid  Automatic  Repeat  Request、ＨＡＲＱ）のような技術は、免許不要帯域上に展開されるＬＴＥシステム内で使用されてよい。Ｗｉ−Ｆｉのようなアクセス技術と比べて、技術は更に良好なロバスト性を有し、より高いスペクトル効率を得、より大きなカバレッジエリア及びより良好なユーザ経験を提供することができる。
【０１２５】
さらに、限定ではなく例として、本発明の実施形態では、通信システム１００は、例えばライセンスド・アシステッド・アクセス（Licensed−Assisted  Access、ＬＡＡ）技術、同時通信（Dual  Connectivity、ＤＣ）技術、又は免許不要アシステッド・アクセス（Standalone）技術を使用してよい。ＬＡＡ技術は：キャリアアグリゲーション（Carrier  Aggregation、ＣＡ）構成及び構造を既存ＬＴＥシステム内で使用すること、並びにキャリア（免許キャリア）をオペレータの免許帯域上で構成することにより実行される通信に基づき、免許不要帯域上で複数のキャリア（免許不要キャリア）を構成し及び免許キャリアの助けにより免許不要キャリアを用いて通信を実行することを含む。言い換えると、ＬＴＥ装置は、ＣＡを通じて、免許キャリアを１次コンポーネントキャリア（Primary  Component  Carrier、ＰＣＣ）又は１次サービングセル（Primary  Cell、ＰＣｅｌｌ）として、及び免許不要キャリアを２次コンポーネントキャリア（Secondary  Component  Carrier、ＳＣＣ）又は２次サービングセル（Secondary  Cell、ＳＣｅｌｌ）として使用してよい。同時通信ＤＣ技術は、免許キャリア及び免許不要キャリアを非ＣＡ（又は非理想的バックホールbackhaul）方法で一緒に使用する技術を含み、又は複数の免許不要キャリアを非ＣＡ方法で一緒に使用する技術を含んでよい。ＬＴＥ装置は、代替として、独立的展開を通じて、免許不要キャリア上に直接展開されてよい。
【０１２６】
さらに、本発明の実施形態では、通信システム１００内の各通信装置は、免許スペクトルリソースを用いて無線通信を更に実行してよい。言い換えると、本発明の実施形態における通信システム１００は、免許帯域を使用可能な通信システムである。
【０１２７】
言い換えると、本発明の実施形態では、データは、基地局により実行されたスケジューリングに基づき送信されてよい。スケジューリングのための基本時間単位はＴＴＩ（例えば、前述のｓＴＴＩを含む）である。特定のスケジューリング手順は：基地局が制御チャネル、例えば物理ダウンリンク制御チャネル（Physical  Downlink  Control  Channel、ＰＤＣＣＨ）又は拡張物理ダウンリンク制御チャネル（Enhanced  Physical  Downlink  Control  Channel、ＥＰＤＣＣＨ）を送信し、ここで制御チャネルは異なるダウンリンク制御情報（Downlink  Control  Information、ＤＣＩ）フォーマットであり且つ物理ダウンリンク共有チャネル（Physical  Downlink  Shared  Channel、ＰＤＳＣＨ）又は物理アップリンク共有チャネル（Physical  Uplink  Shared  Channel、ＰＵＳＣＨ）をスケジューリングするために使用されるスケジューリング情報を伝達してよく、及びスケジューリング情報はリソース割り当て情報並びに変調及び符号化方式のような制御情報を含み；端末装置が、サブフレーム内の制御チャネルを検出し、検出した制御チャネルで伝達されるスケジューリング情報に基づき、ダウンリンクデータチャネルを受信し又はアップリンクデータチャネルを送信する；ことであってよい。ｓＴＴＩ技術が導入された後に、検出された制御チャネルで伝達されるスケジューリング情報は、ＴＴＩ長が１ｍｓ又はＴＴＩ長が１ｍｓ未満のダウンリンクデータチャネルを受信するよう、又はＴＴＩ長が１ｍｓ又はＴＴＩ長が１ｍｓ未満のアップリンクデータチャネルを送信するよう指示してよい。
【０１２８】
免許時間周波数リソースは、通常、国又は地域無線委員会により認可された後にのみ使用可能な時間周波数リソースである。ＬＴＥシステム及びＷｉ−Ｆｉシステムのような異なるシステム、或いは異なるオペレータのシステムは、免許時間周波数リソースを共有できない。
【０１２９】
さらに、本発明の実施形態の中の幾つかの実施形態では、ネットワーク装置は、１つ以上の免許不要セル（免許不要キャリアとも呼ばれることがある）及び１つ以上の免許セル（免許キャリアとも呼ばれることがある）を提供できる。
【０１３０】
既存の無線通信技術では、データパケットが１ｍｓのＴＴＩで送信される場合、１つ以上のリソースブロック（Resource  Block、ＲＢ）のようなネットワーク装置がデータを送信するために使用される時間周波数リソース（又は端末装置に対してネットワーク装置によりスケジューリングされた若しくはネットワーク装置により割り当てられた時間周波数リソース）を決定した後に、ネットワーク装置は、通常、端末装置のチャネル状態に基づき、トランスポートブロックサイズ（Transport  Block  Size、ＴＢＳ）テーブルに含まれ且つ時間周波数リソースに対応する複数のＴＢＳ値から、端末装置の送信要件に適合するＴＢＳを選択し、端末装置に該ＴＢＳに対応する変調及び符号化方式（Modulation  and  Coding  Scheme、ＭＣＳ）インデックス及び該時間周波数リソースに関する情報を通知する。端末装置は、ＭＣＳインデックス及び時間周波数リソースに関する情報に基づき、ＴＴＩ内で送信されるデータパケットのＴＢＳを決定する。
【０１３１】
データパケットが１ｍｓ未満のＴＴＩ内で送信される場合、既存のＴＢＳテーブルは、特定オーバヘッドの想定に基づく１ｍｓのＴＴＩ長と整合するので、ネットワーク装置がデータを送信するために使用される時間周波数リソースを決定した後に、ネットワーク装置は、通常、プリセット量子化係数（例えば、０乃至１の間の任意の値）に基づき時間周波数リソースを量子化する。ネットワーク装置は、端末装置のチャネル状態に基づき、ＴＢＳテーブルに含まれ且つ量子化時間周波数リソースに対応する複数のＴＢＳ値から、端末装置の送信要件に適合するＴＢＳを選択し、端末装置に該ＴＢＳに対応するＭＣＳインデックス及び時間周波数リソースに関する情報を通知する。端末装置は、同じ量子化係数及び同じ量子化ルールを用いて時間周波数リソースを量子化して、量子化時間周波数リソースを取得し、ＭＣＳインデックス及び量子化時間周波数リソースに基づき、１ｍｓ未満のＴＴＩ内で送信されるデータパケットのＴＢＳを決定する。さらに、従来、１つのＴＴＩ長は、１つの固定量子化係数にのみ対応する。
【０１３２】
従来、１ｍｓ未満のＴＴＩ内のＴＢＳを決定する前述の方法は、通常、ＴＤＤシステムにおける特別サブフレームに適用される。参照信号又は制御信号送信のような通信により必要とされるオーバヘッドはこのＴＢＳ決定方法の使用される通信の信頼性及び精度を低下させることがあるが、特別サブフレームはＴＤＤシステムにおいてのみ現れ、１０ｍｓ無線フレーム内で最大２回現れるので、システム性能は有意に提供を受けない。
【０１３３】
通信技術の発展に伴い、短送信時間間隔（short  Transmission  Time  Interval、ｓＴＴＩ）、具体的に言うと、長さが１サブフレーム（又は１ｍｓ）未満の送信時間間隔（Transmission  Time  Interval、ＴＴＩ）がシステムに導入され、スケジューリング間隔を短縮し、低遅延サービス要件を満たし、及びユーザの使用経験を向上する。しかしながら、ｓＴＴＩ送信では、参照信号又は制御チャネル送信のような通信により必要とされるオーバヘッドは、ＴＢＳ決定に対して無視できない影響を与え、１ｍｓ未満のＴＴＩ内のＴＢＳを決定する前述の方法の使用は、通信信頼性、精度、及び柔軟性に影響し、それによりユーザの使用経験及びシステム性能に影響する。
【０１３４】
理解されるべきことに、サブフレームに含まれるｓＴＴＩは、異なる方法で分割されてよい。限定ではなく例として、２シンボルｓＴＴＩに対応するＴＴＩ構造が、説明のための例として使用される。
【０１３５】
図２に、２シンボルに対応するｓＴＴＩ構造が示される。１サブフレームは６個のｓＴＴＩに分割され、６個のｓＴＴＩに含まれるシンボルの数は順に３、２、２、２、２、及び３であってよい。
【０１３６】
図３に、２シンボルに対応するｓＴＴＩ構造が示される。１つのサブフレームは７個のｓＴＴＩに分割され、７個のｓＴＴＩの各々は２個のシンボルを含む。
【０１３７】
図４に、２シンボルに対応するｓＴＴＩ構造が示される。１つのサブフレームは６個のｓＴＴＩに分割され、物理ダウンリンク制御チャネル（Physical  Downlink  Control  Channel、ＰＤＣＣＨ）のシンボル数からの影響はｓＴＴＩ分割において考慮される。ＰＤＣＣＨが奇数個のシンボルを占有するとき（つまり、図４のケース１及びケース３）、６個のｓＴＴＩに含まれるシンボルの数は、順に３、２、２、２、２、及び３であってよい。ＰＤＣＣＨが偶数個のシンボルを占有するとき（つまり、図４のケース２）、６個のｓＴＴＩに含まれるシンボルの数は、順に２、３、２、２、２、及び３であってよい。
【０１３８】
ｓＴＴＩ送信の間、短送信時間間隔物理ダウンリンク制御チャネル（Short  Transmission  Time  Interval  Physical  Downlink  Control  Channel、ＳＰＤＣＣＨ）は、データチャネルに対応するｓＴＴＩ内のリソースを占有してよい。ＳＰＤＣＣＨのリソース占有率は、このサブフレーム（つまり、６個のｓＴＴＩ）において、実際の使用に基づき変化し得る（例えば、図５に示されるケースＡ）。したがって、ｓＴＴＩ内のオーバヘッド（又は利用可能リソース）は変化する。ＰＤＣＣＨのためのシンボルを含むｓＴＴＩでは、このサブフレーム内のＰＤＣＣＨにより占有されるシンボルの数が変化し得るので（例えば、図５に示されるケースＢ〜ケースＤ）、ｓＴＴＩ内のオーバヘッド（又は利用可能リソース）は変化する。さらに、ｓＴＴＩ内のオーバヘッド（又は利用可能リソース）は、異なる参照信号構成パターンにより更に変化する。
【０１３９】
別の例として、図６に示すように、複数の端末装置は、例えば周波数分割多重を通じて、同じＴＴＩ（例えば、ｓＴＴＩ）を使用してよい。さらに、複数の端末装置のための制御チャネル、例えばＳＰＤＣＣＨは、１つの端末装置に割り当てられた時間周波数リソース内にのみ存在してよく、複数の端末装置は、該時間周波数リソースでＳＰＤＣＣＨを受信してよい。この場合、ＳＰＤＣＣＨが構成される時間周波数リソースを用いる端末装置のＴＴＩ内のオーバヘッドは、ＳＰＤＣＣＨが構成されない時間周波数リソースを用いる端末装置のＴＴＩ内のオーバヘッドより大きい。
【０１４０】
したがって、オーバヘッド（又は利用可能リソース）が変化するとき、１つのＴＴＩ長が依然として従来技術におけるように１つの固定量子化係数に対応する場合、通信の信頼性及び精度は劣化し得る。
【０１４１】
限定ではなく例として、セル固有参照信号（Cell−specific  Reference  Signal、ＣＲＳ）オーバヘッドは、１つのＴＴＩ長が１つの固定量子化係数に対応する既存のＴＢＳ決定方法の使用により異なるオーバヘッドシナリオにおけるデータ送信に与える影響を説明するために一例として使用される。
【０１４２】
図７は、４個のアンテナポートのＣＲＳが構成されるシナリオにおいて、異なるＴＴＩの中の、１つのＴＴＩ長に対応するＣＲＳオーバヘッドで生じ得る異なるケースの概略図である。留意すべきことに、図７では、ＰＤＣＣＨは２個のシンボルを占有すると仮定される。ｓＴＴＩが２個のシンボルを含むとき、ケース１は、図７のｓＴＴＩ３に示され、各ＲＢ内の利用可能リソースは１６個のリソースエレメント（Resource  Element、リソースエレメント、ＲＥ）を含む。或いは、言い換えると、各ＲＢ内のオーバヘッドは８個のＲＥである。ケース２は、図７のｓＴＴＩ４に示され、各ＲＢ内の利用可能リソースは２４個のＲＥを含む。言い換えると、各ＲＢ内のオーバヘッドは０個のＲＥである。
【０１４３】
例えば、ネットワーク装置が端末装置に４４個のＲＥをスケジューリングし（又は割り当て）、量子化係数が２／１１であるとき、量子化係数に基づき時間周波数リソースを量子化することにより得られる処理結果は、４４ＲＢ×２／１１＝８ＲＢである。
【０１４４】
したがって、処理結果に基づき、８個のＲＢに対応するＴＢＳ内の複数のＴＢＳ値が、端末装置のチャネル条件に一致するＴＢＳについて検索されてよい。
【０１４５】
以下の表１は、ＱＰＳＫ、１６ＱＡＭ、及び６４ＱＡＭを含む３つの変調方式のＭＣＳ（例えばＭＣＳインデックス）に対応するＴＢＳテーブルの中の、８個のＲＢに対応するＴＢＳを示す。留意すべきことに、より高次の変調次（例えば２５６ＱＡＭ）のＭＣＳのケースは、ＱＰＳＫ、１６ＱＡＭ、及び６４ＱＡＭを含む３つの変調方式のケースと類似し、例を用いて記載されない。
［表１］
【表１】
2020500475.tif 000040
【０１４６】
前述の時間周波数リソース（例えば、４４個のＲＢ）の中のオーバヘッド（例えば、参照信号又は制御チャネルにより占有される時間周波数リソース）又は利用可能リソース（つまり、データを伝達するために使用される時間周波数リソース）が変化すると、決定したＴＢＳに対応する符号レートも変化する。表２は、ケース１及びケース２に対応するオーバヘッド又は利用可能リソースについて、ＭＣＳ（例えば、ＭＣＳインデックス）に対応するＴＢＳに対応する送信符号レートを示す。
［表２］
【表２】
2020500475.tif 000041
【０１４７】
例えば、表２に示すように、ケース１の最小ＭＣＳ（詰まり、インデックスが０のＭＣＳ）は、より高い符号レートに対応する。言い換えると、ケース１の中の最小ＭＣＳに対応する符号レートは、ケース２の中の最小ＭＣＳに対応する符号レートより高い。より低い符号レートは、低符号レートに対応するトランスポートブロックを正しく復調するために必要な、より低い信号対雑音比を示し、低い信号対雑音比を有する端末装置のデータ伝送でも（例えば、ネットワーク装置から比較的長距離にある端末装置ほど、比較的低い信号対雑音比を有する可能性が高い）、低符号レートを用いてサポート可能である。したがって、より大きなカバレッジ領域がサポート可能である。言い換えると、送信精度が保証されると、ケース１において許容される、端末装置とネットワーク装置との間の最大距離は、ケース２において許容される、端末装置とネットワーク装置との間の最大距離より小さい。したがって、固定量子化係数が使用されるとき、ネットワーク装置又は端末装置のカバレッジ領域は、異なるオーバヘッド（又は異なる利用可能リソース）と共に変化し送信の信頼性及び精度に影響する。
【０１４８】
別の例として、表２に示すように、ケース１における変調次切り替え位置（つまり、インデックスが９又は１５のＭＣＳ）は、従来技術における変調次切り替えのための臨界符号レートより高い比較的高い符号レート（例えば、インデックスが９のＭＣＳは０．９０９の符号レートに対応し、インデックスが１５のＭＣＳは０．８１８の符号レートに対応する）に対応する（例えば、ＱＰＳＫから１６ＱＡＭへ又は１６ＱＡＭから６４ＱＡＭへ切り替えるための臨界符号レートは通常０．６５であり、６４ＱＡＭから２５６へ切り替える臨界符号レートは通常０．８５である）。従来技術における変調次切り替えのための臨界符号レートはシミュレーションを通じて取得されるので、低次変調に対応するトランスポートブロックが臨界符号レートに達する又は超えると、トランスポートブロックを高次変調に切り替えることにより、送信信頼性が向上でき、それによりスペクトル効率を向上する。したがって、固定量子化係数が使用されるとき、異なるオーバヘッド（又は異なる利用可能リソース）に対応する変調次切り替え位置は、異なる符号レートに対応し、送信信頼性及びスペクトル効率に影響を与える。
【０１４９】
別の例として、従来技術、例えばロングタームエボリューション（Long  Term  Evolution、略称：「ＬＴＥ」）システムにおいて要求されるように、符号レートが０．９３又は０．９３１より高い符号レートを受信するとき、受信端（例えば、端末装置）はデータパケットを復号しなくてよい。言い換えると、ＬＴＥシステムの最高符号レートは０．９３又は０．９３１である。表２に示すように、ケース１における比較的高いＭＣＳ（例えば、インデックスが２３〜２８のＭＣＳ）に対応する符号レートは、最高符号レートより高い。したがって、固定量子化係数が使用されるとき、比較的高いＭＣＳは、オーバヘッドが比較的高いとき（又は比較的少数の利用可能リソースが存在するとき）使用できず、送信信頼性、精度、及び柔軟性に影響を与える。ケース２では、インデックスが２８のＭＣＳに対応する符号レートは、最高符号レートより高い。したがって、固定量子化係数が使用されるとき、インデックスが２８のＭＣＳは使用できず、使用可能な最高符号レートは、インデックスが２７のＭＣＳに対応する０．８１８の符号レートである。言い換えると、使用可能な最高符号レートは、システムによりサポートされる最高符号レートより小さく、送信ピークレートに影響を与える。
【０１５０】
本発明の一実施形態における無線通信方法２００の特定処理は、図８を参照して以下に詳述される。図８は、本発明の一実施形態による無線通信方法２００の一例の概略相互作用図である。
【０１５１】
本発明の本実施形態では、ネットワーク装置及び端末装置は１つ以上のＴＴＩで通信してよい。全てのＴＴＩを処理するプロセスは同様である。ここでは、理解及び説明を容易にするために、ネットワーク装置及び端末装置によりＴＴＩ＃Ａを処理するプロセスが説明のための一例として使用される。
【０１５２】
図８に示すように、Ｓ２１０で、ネットワーク装置及び端末装置＃Ａ（つまり、端末装置の一例）は、ＴＴＩ＃Ａに対応する係数セット（つまり、第１係数セットの一例であり、以下で理解及び差別化を容易にするために係数セット＃Ａにより示される）を決定してよい。
【０１５３】
係数セット＃Ａは、ＴＴＩ＃Ａでのアップリンク送信のためのＴＢＳを決定するために使用される少なくとも２つの係数（量子化係数とも呼ばれることがある）、又はＴＴＩ＃Ａでのダウンリンク送信のためのＴＢＳを決定するために使用される少なくとも２つの係数を含む。
【０１５４】
限定ではなく例として、本発明の本実施形態では、各係数の値は、０及び１の間の任意の値であってよい（例えば、０及び１の間の任意の十進値、又は０及び１の間の任意の分数値であって、１を含む）。理解されるべきことに、以上に列挙された、本発明の本実施形態における係数セットに含まれる特定の係数値は、説明のための単なる例であり、本発明の本実施形態はそれに限定されず、当業者は特定の係数値を実際の必要に基づき任意の値に設定してよい。さらに、当業者は、実際の必要に基づき、係数セットに含まれる任意の特定数の係数を設定してよい。これは、本発明の本実施形態において特に限定されない。
【０１５５】
限定ではなく例として、本発明の本実施形態では、ＴＴＩ＃Ａは、７未満且つ１以上のシンボルを含むＴＴＩであってよい。例えば、ＴＴＩ＃Ａに含まれるシンボルの数は、｛１，２，３，４，５，６｝の中の任意の値であってよい。
【０１５６】
言い換えると、本発明の本実施形態では、アップリンク送信で、７個未満のシンボルを含むＴＴＩに対応する係数セットは、少なくとも２つの係数を含み、７個以上のシンボルを含むＴＴＩはＴＢＳを決定するために使用される１つの係数に対応する。代替として、ダウンリンク送信で、７個未満のシンボルを含むＴＴＩに対応する係数セットは、少なくとも２つの係数を含み、７個以上のシンボルを含むＴＴＩはＴＢＳを決定するために使用される１つの係数に対応する。
【０１５７】
７個未満のシンボルを含むＴＴＩでは、参照信号、制御チャネル、等のオーバヘッドは、ＴＢＳの決定に大きな影響を与え、送信の信頼性、精度、及び柔軟性は少なくとも２つの係数を用いて向上できる。７個以上のシンボルを含むＴＴＩでは、参照信号、制御チャネル、等のオーバヘッドは、ＴＢＳの決定に比較的小さな影響しか与えず、１つの係数の使用は、ネットワーク装置又は端末装置の実装を簡略化できる。
【０１５８】
係数セット＃Ａに含まれる係数の値を決定する方法は、例を用いて以下に記載される。
【０１５９】
方法１。
【０１６０】
任意で、係数セット＃Ａに含まれる係数（例えば、係数セット＃Ａに含まれる係数の数、又は係数セット＃Ａに含まれる係数の係数値）は、ＴＴＩ＃Ａに含まれるシンボルの数に基づき決定されてよい。
【０１６１】
言い換えると、本発明の本実施形態では、係数セットは、ＴＴＩ（例えば、ＴＴＩ＃Ａ）について、ＴＴＩに含まれるシンボルの数に基づき構成されてよい。
【０１６２】
限定ではなく例として、例えば、ＴＴＩ＃Ａが１つのシンボルを含むとき、係数セット＃Ａは少なくとも係数｛１／１１，１／１２｝を含んでよい。
【０１６３】
別の例では、ＴＴＩ＃Ａが２つのシンボルを含むとき、係数セット＃Ａは少なくとも係数｛２／１１，１／６｝を含んでよい。
【０１６４】
別の例では、ＴＴＩ＃Ａが３つのシンボルを含むとき、係数セット＃Ａは少なくとも係数｛３／１１，１／４｝を含んでよい。
【０１６５】
別の例では、ＴＴＩ＃Ａが４つのシンボルを含むとき、係数セット＃Ａは少なくとも係数｛４／１１，１／３｝を含んでよい。
【０１６６】
別の例では、ＴＴＩ＃Ａが５つのシンボルを含むとき、係数セット＃Ａは少なくとも係数｛５／１１，５／１２｝を含んでよい。
【０１６７】
別の例では、ＴＴＩ＃Ａが６つのシンボルを含むとき、係数セット＃Ａは少なくとも係数｛６／１１，１／２｝を含んでよい。
【０１６８】
方法２。
【０１６９】
任意で、係数セット＃Ａに含まれる係数（例えば、係数セット＃Ａに含まれる係数の数、又は係数セット＃Ａに含まれる係数の係数値）は、ＴＴＩ＃Ａの属するサブフレーム（理解及び差別化を容易にするために以下でサブフレーム＃Ａにより示される）のＴＴＩ構造に基づき決定されてよい。
【０１７０】
言い換えると、本発明の本実施形態では、係数セットは、ＴＴＩ（例えば、ＴＴＩ＃Ａ）について、ＴＴＩの属するサブフレーム（例えばサブフレーム＃Ａ）に含まれるＴＴＩ分割方法（又はＴＴＩパターン又はＴＴＩ構造）に基づき構成されてよい。
【０１７１】
限定ではなく例として、例えば、サブフレーム＃Ａに対応するＴＴＩ構造は、図２に示される。サブフレーム＃Ａが６個のＴＴＩに分割され、６個のＴＴＩに含まれるシンボルの数が順に３、２、２、２、２、及び３であるとき、係数セット＃Ａは少なくとも係数｛１／１２，１／６，１／４｝を含んでよい。
【０１７２】
別の例では、サブフレーム＃Ａに対応するＴＴＩ構造は、図３に示される。サブフレーム＃Ａが７個のＴＴＩに分割され、７個のＴＴＩの各々が２個のシンボルを含むとき、係数セット＃Ａは少なくとも係数｛２／１１，１／６｝を含んでよい。
【０１７３】
別の例では、サブフレーム＃Ａが６個のＴＴＩに分割され、６個のＴＴＩに含まれるシンボルの数がＰＤＣＣＨのシンボル数のパリティと異なるとき、係数セット＃Ａは少なくとも係数｛１／６，１／４｝を含んでよい。
【０１７４】
別の例では、サブフレーム＃Ａが４個のＴＴＩに分割され、４個のＴＴＩに含まれるシンボルの数が順に４、３、４、及び３であるとき、係数セット＃Ａは少なくとも係数｛１／３，１／４｝を含んでよい。
【０１７５】
理解されるべきことに、係数セット＃Ａを決定する前述の列挙された方法は説明のための単なる例であり、本発明の本実施形態はこれに限定されない。例えば、係数セット＃Ａに含まれる係数の数Ｘは、代替として、通信システム又は通信プロトコルにおける仕様、又はユーザ若しくは電子通信オペレータの要件に基づき決定されてよく、係数セット＃Ａに含まれる係数を決定するために、数値順、つまり１／（Ｘ＋１）にソートした後に２つの隣接する係数の間の差を決定するために、数量Ｘに基づき１が等分されてよい。例えば、Ｘが４であるとき、係数セット＃Ａに含まれる係数は｛０．２，０．４，０６，０．８｝であってよい。別の例では、Ｘが２であるとき、係数セット＃Ａに含まれる係数は｛１／３，２／３｝であってよい。
【０１７６】
本発明の本実施形態では、係数セット＃Ａを決定するプロセスは、ネットワーク装置により実行されてよく、ネットワーク装置は、シグナリング（つまり、第２指示情報の一例）を用いて端末装置＃Ａに決定した係数セット＃Ａを示す。代替として、係数セット＃Ａを決定するプロセスは、ネットワーク装置及び端末装置＃Ａにより同じルールに従い実行されてよい。その結果、ネットワーク装置及び端末装置＃Ａにより決定された係数セット＃Ａは同じになる。代替として、係数セット＃Ａは、通信システム又は通信プロトコルの中で指定されてよく、ネットワーク装置又は端末装置＃Ａは、通信システムにアクセスした後に係数セット＃Ａを取得してよい。代替として、係数セット＃Ａは、規定設定としてネットワーク装置又は端末装置＃Ａ内に製造者によりプリセットされてよい。代替として、係数セット＃Ａは、ユーザ又は管理者により、ネットワーク装置及び端末装置＃Ａに入力されてよい。代替として、係数セット＃Ａを決定するプロセスは、ネットワーク装置及び端末装置＃Ａ以外の装置（例えば、ＭＭＥのような装置）により実行されてよく、該装置は係数セット＃Ａをネットワーク装置又は端末装置＃Ａに配信する。言い換えると、本発明の本実施形態では、ＴＴＩ＃Ａについてネットワーク装置及び端末装置＃Ａにより決定された係数セット＃Ａが同じであるならば、特定の決定方法及びプロセスは特に限定されない。
【０１７７】
限定ではなく例として、本発明の本実施形態では、ＴＴＩは、例えば、ＴＴＩに含まれるシンボルの数又はＴＴＩの属するサブフレームのＴＴＩ構造のようなパラメータに基づき、分類されてよい。例えば、同じ数のシンボルを含むＴＴＩは同じ種類に属し、又は同じＴＴＩ構造を有するサブフレームに属するＴＴＩは同じ種類に属する。さらに、同じ種類に属するＴＴＩは同じパラメータセットを使用してよい。ある種類のＴＴＩは、１つ以上のＴＴＩ長を含んでよい。これは、本発明の本実施形態において特に限定されない。別の例では、本発明の本実施形態では、異なる種類のＴＴＩが同じパラメータセットを使用してよい。
【０１７８】
続いて、ネットワーク装置は、係数セット＃Ａから、ＴＴＩ＃Ａの現在の使用に基づき、ＴＴＩ＃Ａの現在の使用に対応するパラメータ（例えば、第１パラメータの一例であって、理解を容易にするために以下でパラメータ＃Ａにより示される）を決定してよい。
【０１７９】
本発明の本実施形態では、係数セット＃Ａの中の複数のパラメータは、異なるオーバヘッド範囲に対応してよく（つまり、ケースα）、又は異なるＭＣＳセットに対応してよく（つまり、ケースβ）、又は異なる周波数ドメインリソース数範囲に対応してよく（つまり、ケースγ）、又は異なるＴＢＳセットに対応してよい（つまり、ケースη）。前述のケースにおいてパラメータ＃Ａを決定する方法及びプロセスは、以下に別個に記載される。
【０１８０】
ケースα。
【０１８１】
先ず、本発明の本実施形態における概念「オーバヘッド」が説明される。
【０１８２】
本発明の本実施形態では、「オーバヘッド」は、時間周波数リソース（例えば、ネットワーク装置によりスケジューリングされた又は許可無し方法において使用される時間周波数リソース）の中で、データ以外の情報により占有されるリソース（具体的には、時間周波数リソースのうちの占有リソースの量又は比率）である。留意すべきことに、「オーバヘッド」は、データ以外の情報により占有される時間周波数リソースのうちの全部のリソース又は一部のリソースを含んでよい。
【０１８３】
例えば、ＴＴＩ＃Ａの中で端末装置＃Ａにより使用される時間周波数リソース（つまり、第１時間周波数リソースの一例であって、理解及び差別化を容易にするために以下で時間周波数リソース＃Ａとして示される）の中のオーバヘッドは、データ以外の情報を伝達するために使用される時間周波数リソース＃Ａの中のリソースの数又は比率であってよい。
【０１８４】
時間周波数リソース＃Ａは、ネットワーク装置により端末装置＃Ａに割り当てられたリソースであってよく、又は許可無し方法で端末装置＃Ａにより使用されるリソースであってよい。これは、本発明の本実施形態において特に限定されない。
【０１８５】
アップリンク送信について。
【０１８６】
限定ではなく例として、ＴＴＩ＃Ａがアップリンク送信のために使用されるとき、「データ以外の情報」は、アップリンク参照信号及びアップリンク制御情報のうちの少なくとも１つを含んでよい。
【０１８７】
アップリンク参照信号は、アップリンクデータチャネル復調のために使用される復調参照信号（Demodulation  Reference  Signal、ＤＭＲＳ）、及びアップリンクチャネル測定のために使用されるサウンディング参照信号（Sounding  reference  signal、ＳＲＳ）のような信号のうちの１つ以上を含む。
【０１８８】
アップリンク制御情報が送信のためにアップリンクデータチャネル上に多重化されるとき、アップリンク制御情報は、アップリンクデータチャネルに対応するＴＴＩの中のリソースを占有する。
【０１８９】
相応して、「オーバヘッド」は、アップリンク参照信号及びアップリンク制御情報のうちの少なくとも１つにより占有されるリソースの数、又は時間周波数リソース＃Ａの中の占有リソースの比率を含んでよい。
【０１９０】
アップリンク参照信号により占有されるリソースの数は、アップリンク参照信号により占有されるリソースエレメントＲＥの数、又はアップリンク参照信号により占有されるシンボルの数であってよい。
【０１９１】
アップリンク制御情報により占有されるリソースの数はアップリンク制御情報により占有されるＲＥの数、アップリンク制御情報により占有されるＲＢの数、又はアップリンク制御情報により占有されるシンボルの数であってよい。
【０１９２】
限定ではなく例として、「オーバヘッド」は、時間周波数リソース＃Ａの中で、アップリンク制御情報により占有されるリソースの数又は比率を含む。
【０１９３】
限定ではなく例として、「オーバヘッド」は、時間周波数リソース＃Ａの中で、アップリンク参照信号及びアップリンク制御情報により占有されるリソースの数又は比率を含む。
【０１９４】
ダウンリンク送信について。
【０１９５】
限定ではなく例として、ＴＴＩ＃Ａがダウンリンク送信のために使用されるとき、「データ以外の情報」は、ダウンリンク参照信号及びダウンリンク制御情報のうちの少なくとも１つを含んでよい。
【０１９６】
具体的に、ダウンリンク制御チャネルは、物理ダウンリンク制御チャネル（Physical  Downlink  Control  Channel、ＰＤＣＣＨ）、拡張物理ダウンリンク制御チャネル（Enhanced  Physical  Downlink  Control  Channel、ＥＰＤＣＣＨ）、機械型通信物理ダウンリンク制御チャネル（Machine  Type  Communication  Physical  Downlink  Control  Channel、ＭＰＤＣＣＨ）、及び短送信時間間隔物理ダウンリンク制御チャネル（Short  Transmission  Time  Interval  Physical  Downlink  Control  Channel、ＳＰＤＣＣＨ）のようなチャネルのうちの任意の１つ以上を含んでよい。
【０１９７】
ダウンリンク参照信号は、セル固有参照信号（Cell−specific  Reference  Signal、ＣＲＳ）、端末装置固有参照信号（UE−specific  Reference  Signal、ＵＥ−ＲＳであって、復調参照信号又はＤＭＲＳとも呼ばれる）、チャネル状態情報参照信号（Channel  State  Information−Reference  Signals、ＣＳＩ−ＲＳ）、グループ固有参照信号（Group−specific  Reference  Signal、ＧＲＳ）、測位のために使用される測位参照信号（Positioning  RS、ＰＲＳ）、ビーム参照信号（Beam  reference  signal、ＢＲＳ）、ビーム微調整参照信号（Beam  refinement  reference  signal、ＢＲＲＳ）、位相補償参照信号（Phase  compensation  reference  signal、ＰＣＲＳ）、２次同期信号（Secondary  synchronization  signal、ＳＳＳ）、及び発見参照信号（Discovery  reference  signal、ＤＲＳであって、発見信号とも呼ばれる）のような信号のうちの任意の１つ以上を含む。
【０１９８】
相応して、「オーバヘッド」は、ダウンリンク参照信号及びダウンリンク制御チャネルのうちの少なくとも１つにより占有されるリソースの数、又は時間周波数リソース＃Ａの中の占有リソースの比率を含んでよい。
【０１９９】
ダウンリンク参照信号により占有されるリソースの数は、ダウンリンク参照信号により占有されるＲＥの数、又はダウンリンク参照信号により占有されるシンボルの数であってよい。
【０２００】
ダウンリンク制御チャネルにより占有されるリソースの数はダウンリンク制御チャネルにより占有されるＲＥの数、ダウンリンク制御チャネルにより占有されるＲＢの数、又はダウンリンク制御チャネルにより占有される制御チャネルエレメント（control  channel  element、ＣＣＥ）の数であってよい。
【０２０１】
限定ではなく例として、「オーバヘッド」は、時間周波数リソース＃Ａの中で、ＣＲＳにより占有されるリソースの数又は比率を含む。
【０２０２】
限定ではなく例として、「オーバヘッド」は、時間周波数リソース＃Ａの中で、ＤＭＲＳにより占有されるリソースの数又は比率を含む。
【０２０３】
限定ではなく例として、「オーバヘッド」は、時間周波数リソース＃Ａの中で、ダウンリンク制御チャネルにより占有されるリソースの数又は比率を含む。
【０２０４】
限定ではなく例として、「オーバヘッド」は、時間周波数リソース＃Ａの中で、ＣＲＳ及びＤＭＲＳにより占有されるリソースの数又は比率を含む。
【０２０５】
限定ではなく例として、「オーバヘッド」は、時間周波数リソース＃Ａの中で、ＣＲＳ及びダウンリンク制御チャネルにより占有されるリソースの数又は比率を含む。
【０２０６】
限定ではなく例として、「オーバヘッド」は、時間周波数リソース＃Ａの中で、ＣＲＳ、ＤＭＲＳ、及びダウンリンク制御チャネルにより占有されるリソースの数又は比率を含む。
【０２０７】
留意すべきことに、本発明の本実施形態では、ＲＢは、時間ドメインにおいて、ＲＢの属するＴＴＩの全てのシンボルを含んでよい。言い換えると、時間ドメインにおけるＲＢの長さは、ＲＢの属するＴＴＩの長さと同じであってよい。したがって、時間ドメインにおけるＲＢの長さは、ＲＢの属する異なるＴＴＩと共に変化する。例えば、時間ドメインにおいて、長さが２シンボルであるＴＴＩ内のＲＢの長さは、２シンボルであってよい。別の例では、時間ドメインにおいて、長さが３シンボルであるＴＴＩ内のＲＢの長さは、３シンボルであってよい。同じ又は同様のケースの説明は以下では省略される。
【０２０８】
さらに、本発明の本実施形態では、ＲＢは、周波数ドメインにおいて複数の（例えば１２個の）サブキャリアを含んでよい。さらに、異なるＴＴＩ内のＲＢは、周波数ドメインにおいて同じ数のサブキャリアを含んでよい。同じ又は同様のケースの説明は以下では省略される。
【０２０９】
本発明の本実施形態では、係数セット＃ＡがＮ個の係数を含むと仮定すると、Ｎ個の係数はＫ個のオーバヘッド範囲に対応してよい。
【０２１０】
本発明の本実施形態では、１つのオーバヘッド範囲は、１つ以上のオーバヘッド（具体的に、１つ以上のオーバヘッド値）を含んでよく、任意の２つのオーバヘッド範囲の間の共通部分は空集合であってよい。
【０２１１】
本発明の本実施形態では、Ｋ個のオーバヘッド範囲の各々はＮ個の係数のうちの少なくとも１つに対応する。
【０２１２】
留意すべきことに、本発明の本実施形態では、任意の２つのオーバヘッド範囲は、同じ数の又は異なる数のオーバヘッド値を含んでよい。これは、本発明の本実施形態において特に限定されない。
【０２１３】
さらに、本発明の本実施形態では、任意の２つのオーバヘッド範囲は、同じ数の又は異なる数の係数に対応してよい。これは、本発明の本実施形態において特に限定されない。
【０２１４】
さらに、本発明の本実施形態では、任意の２つのオーバヘッド範囲に対応する係数の中に少なくとも１つの異なる係数がある。
【０２１５】
通常、Ｋ個のオーバヘッド範囲の中の任意のオーバヘッド範囲について（理解を容易にするために以下でオーバヘッド範囲＃１により示される）、オーバヘッド範囲＃１は、Ｎ個の係数のうちの１つ以上の係数（理解を容易にするために以下で係数グループ＃１−１により示される）に対応してよい。
【０２１６】
さらに、Ｋ個のオーバヘッド範囲の中の別のオーバヘッド範囲について（理解を容易にするために以下でオーバヘッド範囲＃２により示される）、オーバヘッド範囲＃２は、Ｎ個の係数のうちの１つ以上の係数（理解を容易にするために以下で係数グループ＃１−２により示される）に対応してもよい。
【０２１７】
留意すべきことに、本発明の本実施形態では、係数グループ＃１−１は係数グループ＃１−２と異なる。具体的に、係数グループ＃１−１及び係数グループ＃１−２の中に少なくとも１つの異なる係数がある。
【０２１８】
望ましくは、本発明の本実施形態では、Ｋ＝Ｎである。言い換えると、係数セット＃Ａに含まれるＮ個の係数は、Ｎ個のオーバヘッド範囲と１対１対応にあってよい。
【０２１９】
したがって、上述のように、本発明の本実施形態では、係数セット＃Ａに含まれるＮ個の係数と複数の（例えばＮ個の）オーバヘッド範囲との間にマッピング関係（理解及び差別化を容易にするために以下でマッピング関係＃Ａにより示される）があってよく、各オーバヘッド範囲は少なくとも１つの係数に対応してよい。
【０２２０】
各オーバヘッド範囲の特定値（又は各オーバヘッド範囲に含まれる１つ以上のオーバヘッドの特定値）は、任意の値に設定されてよい。
【０２２１】
例えば、限定ではなく例として、ＴＴＩ＃Ａの中の時間周波数リソース＃Ａの中の可能な最大オーバヘッドは、オーバヘッド＃ＭＡＸにより記され、Ｋ個のオーバヘッド範囲はオーバヘッド範囲＃Ｋ１を含んでよく、オーバヘッド範囲＃Ｋ１は少なくともオーバヘッド＃ＭＡＸを含み、オーバヘッド範囲＃Ｋ１に対応する係数はＮ個の係数のうちの最大係数を含まない。このように、比較的小さい係数が、オーバヘッド＃ＭＡＸを含むオーバヘッド範囲＃Ｋ１のために使用され、その結果、比較的大きなオーバヘッドのシナリオで、ＴＴＩ＃Ａでの送信に適応するために比較的小さいＴＢＳが選択でき、送信信頼性を向上する。
【０２２２】
例えば、限定ではなく例として、ＴＴＩ＃Ａの中の時間周波数リソース＃Ａの中の可能な最小オーバヘッドは、オーバヘッド＃ＭＩＮにより記され、Ｋ個のオーバヘッド範囲はオーバヘッド範囲＃Ｋ２を含んでよく、オーバヘッド範囲＃Ｋ２は少なくともオーバヘッド＃ＭＩＮを含み、オーバヘッド範囲＃Ｋ２に対応する係数はＮ個の係数のうちの最小係数を含まない。このように、比較的大きい係数が、オーバヘッド＃ＭＩＮを含むオーバヘッド範囲＃Ｋ２のために使用され、その結果、比較的小さなオーバヘッドのシナリオで、ＴＴＩ＃Ａでの送信に適応するために比較的大きいＴＢＳが選択でき、送信スループットを増大する。
【０２２３】
例えば、限定ではなく例として、ＴＴＩ＃Ａの中の時間周波数リソースの中で、可能な最大オーバヘッドはオーバヘッド＃ＭＡＸにより記され、可能な最小オーバヘッドはオーバヘッド＃ＭＩＮにより示される。Ｎ個のオーバヘッド範囲は、オーバヘッド＃ＭＡＸ及びオーバヘッド＃ＭＩＮに対応する値の間で線形又は非線形補間を実行することにより得られてよい。次に、オーバヘッド＃ＭＡＸに対応する係数がＳ１として決定され、オーバヘッド＃ＭＩＮに対応する係数がＳ２として決定され、係数セット＃Ａに含まれる係数の数はＮとして決定される。最後に、係数セット＃Ａに含まれる係数を決定するために、線形又は非線形補間が、係数Ｓ１及び係数Ｓ２の間で、数Ｎに基づき実行される。例えば、係数Ｓ１及び係数Ｓ２の間で線形補間が実行される場合、係数Ｓ２が係数Ｓ１より大きく、係数セット＃ＡがＮ個の係数を含むと仮定すると、係数セット＃Ａに含まれる係数の間の差は（Ｓ２−Ｓ１）／（Ｎ−１）である。
【０２２４】
例えば、限定ではなく例として、２シンボルＴＴＩで、オーバヘッド＃ＭＡＸが６０％であり、１／１０の係数Ｓ１に対応し、オーバヘッド＃ＭＩＮが０であり１／５の係数Ｓ２に対応すると仮定する。Ｎが４のとき、以下の表３はマッピング関係＃Ａの一例を示す。留意すべきことに、表３のオーバヘッド範囲及び係数は例であり、実際の必要に基づく任意の特定値に設定されてよい。
［表３］
【表３】
2020500475.tif 000042
【０２２５】
別の例では、限定ではなく例として、２シンボルＴＴＩで、オーバヘッド＃ＭＡＸが６０％であり、１／１０の係数Ｓ１に対応し、オーバヘッド＃ＭＩＮが０であり１／５の係数Ｓ２に対応すると仮定する。Ｎが２のとき、以下の表４はマッピング関係＃Ａの一例を示す。留意すべきことに、表４のオーバヘッド範囲及び係数は例であり、実際の必要に基づく任意の特定値に設定されてよい。
［表４］
【表４】
2020500475.tif 000043
【０２２６】
別の例では、限定ではなく例として、以下の表５はマッピング関係＃Ａの別の例を示す。留意すべきことに、表５のオーバヘッド範囲及び係数は例であり、実際の必要に基づく任意の特定値に設定されてよい。
［表５］
【表５】
2020500475.tif 000044
【０２２７】
したがって、ネットワーク装置は、時間周波数リソース＃Ａの中の、オーバヘッド（つまり、第１オーバヘッドの一例であって、理解及び差別化を容易にするために以下でオーバヘッド＃Ａにより示される）に基づき、係数セット＃Ａに対応する複数のオーバヘッド範囲から、オーバヘッド＃Ａの属するオーバヘッド範囲（つまり、第１オーバヘッド範囲の一例であって、理解及び差別化を容易にするために以下でオーバヘッド範囲＃Ａにより示される）を決定してよい。次に、ネットワーク装置は、オーバヘッド範囲＃Ａ及びマッピング関係＃Ａに基づき、オーバヘッド範囲＃Ａに対応する係数を、端末装置＃ＡによりＴＴＩ＃Ａの中で使用される係数（つまり、第１係数の一例であって、理解及び説明を容易にするために以下で係数＃Ａにより示される）として決定してよい。
【０２２８】
限定ではなく例として、端末装置＃Ａは、さらに、オーバヘッド＃Ａに基づき係数セット＃Ａから係数＃Ａを決定してよい。さらに、端末装置＃Ａが係数セット＃Ａからオーバヘッド＃Ａに基づき係数＃Ａを決定する特定の方法及びプロセスは、ネットワーク装置が係数セット＃Ａからオーバヘッド＃Ａに基づき係数＃Ａを決定する特定の方法及びプロセスと同様であってよい。繰り返しを回避するために、詳細な説明はここでは省略される。
【０２２９】
ネットワーク装置又は端末装置＃Ａは、第１係数として、ＴＴＩの現在の使用要件を満たす係数を柔軟に選択でき、それにより、無線通信の信頼性及び精度を更に向上する。
【０２３０】
さらに、本発明の本実施形態では、時間周波数リソース＃Ａの中の参照信号は、端末装置＃Ａにより使用される参照信号を含んでよく、別の端末装置により使用される参照信号も含んでよい。時間周波数リソース＃Ａの中の制御チャネルは、端末装置＃Ａにより使用される（又は送信される又は受信される）制御チャネルを含んでよく、別の端末装置により使用される（又は送信される又は受信される）制御チャネルも含んでよい。これは、本発明の本実施形態において特に限定されない。
【０２３１】
留意すべきことに、上述のように、オーバヘッド範囲＃Ａは複数の係数に対応してよい。この場合、以下の処理方法が使用されてよい。
【０２３２】
例えば、ネットワーク装置は、プリセットルールに従い、オーバヘッド範囲＃Ａに対応する複数の係数から、係数＃Ａを決定してよい。限定ではなく例として、ネットワーク装置は、オーバヘッド範囲＃Ａに対応する複数の係数のうち最大（又は最小）係数を係数＃Ａとして使用してよい。
【０２３３】
別の例では、オーバヘッド範囲＃Ａに対応する複数の係数は、複数のパラメータグループと１対１対応であってよく、ネットワーク装置は、端末装置＃Ａにより現在使用されている（又はそれに対応する）パラメータグループに基づき、オーバヘッド範囲＃Ａに対応する複数の係数から、端末装置＃Ａにより現在使用されている（又はそれに対応する）パラメータグループに対応する係数を係数＃Ａとして決定してよい。限定ではなく例として、本発明の本実施形態では、複数のパラメータグループのうちの任意の１つは、以下のパラメータ：ＭＣＳ、周波数ドメインリソース数範囲、及びチャネル状態情報ＣＳＩ（Channel  State  Information、ＣＳＩ）のうちの少なくとも１つを含んでよい。ＣＳＩは、チャネル品質指示子（Channel  Quality  Indicator、ＣＱＩ）、プリコーディング行列指示子（Precoding  Matrix  Indicator、ＰＭＩ）、及びランク指示子（Rank  Indicator、ＲＩ）のうちの少なくとも１つを含んでよい。
【０２３４】
限定ではなく例として、係数セット＃Ａの中の複数のパラメータは、異なる利用可能リソース範囲に対応してよい。利用可能リソースは、前述のオーバヘッドに対応してよい。言い換えると、オーバヘッドは、時間周波数リソースのうち、データ以外の情報により占有されるリソースの数又は比率であってよく、場合によっては、利用可能リソースは、時間周波数リソースのうち、データにより占有されるリソースの数又は比率であってよい。データは、ＰＤＳＣＨ又はＰＵＳＣＨで伝達されてよい。さらに、時間周波数リソース＃Ａのうちの利用可能リソースに基づき係数を決定する方法及びプロセスは、オーバヘッド＃Ａに基づく係数を決定する方法及びプロセスと同様であってよい。繰り返しを回避するために、詳細な説明はここでは省略される。
【０２３５】
例えば、限定ではなく例として、２シンボルＴＴＩで、最大利用可能リソースが１００％であり、１／５の係数に対応し最小利用可能リソースが４０％であり１／１０の係数に対応すると仮定する。係数セット＃Ａが４個の係数を含むとき、以下の表６は、利用可能リソース範囲と係数セット＃Ａの中の係数との間のマッピング関係の一例を示す。留意すべきことに、表６の利用可能リソース範囲及び係数は例であり、実際の必要に基づく任意の特定値に設定されてよい。
［表６］
【表６】
2020500475.tif 000045
【０２３６】
別の例では、限定ではなく例として、以下の表７は利用可能リソース範囲と係数セット＃Ａの中の係数との間のマッピング関係の一例を示す。留意すべきことに、表７の利用可能リソース範囲及び係数は例であり、実際の必要に基づく任意の特定値に設定されてよい。
［表７］
【表７】
2020500475.tif 000046
【０２３７】
したがって、ネットワーク装置は、時間周波数リソース＃Ａの中の、利用可能リソース（つまり、第１オーバヘッドの一例であって、理解及び差別化を容易にするために以下で利用可能リソース＃Ａにより示される）に基づき、係数セット＃Ａに対応する複数の利用可能リソース範囲から、利用可能リソース＃Ａの属する利用可能リソース範囲（第１利用可能リソース範囲の一例であって、理解及び差別化を容易にするために以下で利用可能リソース範囲＃Ａにより示される）を決定してよい。次に、ネットワーク装置は、利用可能リソース範囲＃Ａ及びマッピング関係＃Ａ’に基づき、利用可能リソース範囲＃Ａに対応する係数を、ＴＴＩ＃Ａで端末装置＃Ａにより使用される係数＃Ａとして決定してよい。
【０２３８】
限定ではなく例として、本発明の本実施形態では、端末装置＃Ａは、さらに、利用可能リソース＃Ａに基づき係数セット＃Ａから係数＃Ａを決定してよい。さらに、端末装置＃Ａが係数セット＃Ａから利用可能リソース＃Ａに基づき係数＃Ａを決定する特定の方法及びプロセスは、ネットワーク装置が係数セット＃Ａから利用可能リソース＃Ａに基づき係数＃Ａを決定する特定の方法及びプロセスと同様であってよい。繰り返しを回避するために、詳細な説明はここでは省略される。
【０２３９】
ネットワーク装置又は端末装置＃Ａは、第１係数として、ＴＴＩの現在の使用要件を満たす係数を柔軟に選択でき、それにより、無線通信の信頼性及び精度を更に向上する。
【０２４０】
ケースβ。
【０２４１】
本発明の本実施形態では、係数セット＃ＡがＮ個の係数を含むと仮定すると、Ｎ個の係数はＭ個のＭＣＳセットに対応してよい。
【０２４２】
本発明の本実施形態では、１つのＭＣＳセットは、１つ以上のＭＣＳセットを含んでよく、任意の２つのＭＣＳセットの間の共通部分は空集合であってよい。
【０２４３】
本発明の本実施形態では、Ｍ個のＭＣＳセットの各々はＮ個の係数のうちの少なくとも１つに対応する。
【０２４４】
留意すべきことに、本発明の本実施形態では、任意の２つのＭＣＳセットは、同じ数の又は異なる数のＭＣＳを含んでよい。これは、本発明の本実施形態において特に限定されない。
【０２４５】
さらに、本発明の本実施形態では、任意の２つのＭＣＳセットは、同じ数の又は異なる数の係数に対応してよい。これは、本発明の本実施形態において特に限定されない。
【０２４６】
さらに、本発明の本実施形態では、任意の２つのＭＣＳセットに対応する係数の中に少なくとも１つの異なる係数がある。
【０２４７】
通常、Ｍ個のＭＣＳセットの中の任意のＭＣＳセットについて（理解を容易にするために以下でＭＣＳセット＃１により示される）、ＭＣＳセット＃１は、Ｎ個の係数のうちの１つ以上の係数（理解を容易にするために以下で係数グループ＃２−１により示される）に対応してよい。
【０２４８】
さらに、Ｍ個のＭＣＳセットの中の別のＭＣＳセットについて（理解を容易にするために以下でＭＣＳセット＃２により示される）、ＭＣＳセット＃２は、Ｎ個の係数のうちの１つ以上の係数（理解を容易にするために以下で係数グループ＃２−２により示される）に対応してよい。
【０２４９】
留意すべきことに、本発明の本実施形態では、係数グループ＃２−１は係数グループ＃２−２と異なる。具体的に、係数グループ＃２−１及び係数グループ＃２−２の中に少なくとも１つの異なる係数がある。
【０２５０】
望ましくは、本発明の本実施形態では、Ｍ＝Ｎである。言い換えると、係数セット＃Ａに含まれるＮ個の係数は、Ｍ個のＭＣＳセットと１対１対応にあってよい。
【０２５１】
したがって、上述のように、本発明の本実施形態では、係数セット＃Ａに含まれるＮ個の係数と複数の（例えばＮ個の）ＭＣＳセットとの間にマッピング関係（理解及び差別化を容易にするために以下でマッピング関係＃Ｂにより示される）があってよく、各ＭＣＳセットは少なくとも１つの係数に対応してよい。
【０２５２】
各ＭＣＳセットの中の特定値（又は各ＭＣＳセットに含まれる１つ以上のＭＣＳの特定値）は、任意の値に設定されてよい。
【０２５３】
例えば、限定ではなく例として、最小ＭＣＳに対応するＴＢＳはネットワーク装置又は端末装置のカバレッジ領域に影響するので、Ｍ個のＭＣＳセットはＭＣＳセット＃Ｍ１を含んでよく、ＭＣＳセット＃Ｍ１は少なくとも最小ＭＣＳを含み、ＭＣＳセット＃Ｍ１に対応する係数はＮ個の係数のうちの最大係数を含まない。このように、比較的小さい係数が最小ＭＣＳのために使用され、その結果、より大きなカバレッジ領域をサポートするために最小ＭＣＳに対応するトランスポートブロックの符号レートは低減できる。
【０２５４】
例えば、限定ではなく例として、最大ＭＣＳに対応するＴＢＳはネットワーク装置又は端末装置のピーク送信レートに影響するので、Ｍ個のＭＣＳセットはＭＣＳセット＃Ｍ２を含んでよく、ＭＣＳセット＃Ｍ２は少なくとも最小ＭＣＳを含み、ＭＣＳセット＃Ｍ２に対応する係数はＮ個の係数のうちの最大係数を含まない。このように、Ｎ個の係数のうちの最大係数を使用して取得した最大ＭＣＳに対応する符号レートは０．９３又は０．９３１を超え得るので、Ｎ個の係数のうちの最大係数は選択されず、その結果、ＭＣＳセット＃Ｍ２に対応する係数を用いて取得した有効最大ＭＣＳは、システムピークレートを増大できる。
【０２５５】
例えば、限定ではなく例として、変調次切り替え位置に対応するＭＣＳに値追うする比較的高い符号レートは送信信頼性及びスペクトル効率に影響するので、Ｍ個のＭＣＳセットはＭＣＳセット＃Ｍ３を含んでよく、ＭＣＳセット＃Ｍ３は少なくとも変調次切り替え位置に対応するＭＣＳを含み、ＭＣＳセット＃Ｍ３に対応する係数はＮ個の係数のうちの最大係数を含まない。このように、比較的小さい係数が、変調次切り替え位置に対応するＭＣＳのために使用され、その結果、送信信頼性及びスペクトル効率を向上するために、変調次切り替え位置に対応するＭＣＳに対応するトランスポートブロックの符号レートは、低減できる。
【０２５６】
例えば、限定ではなく例として、以下の表８はマッピング関係＃Ｂの一例を示す。留意すべきことに、表８の係数は例であり、実際の必要に基づく任意の特定値に設定されてよい。
［表８］
【表８】
2020500475.tif 000047
【０２５７】
別の例では、限定ではなく例として、以下の表９はマッピング関係＃Ｂの別の例を示す。留意すべきことに、表９の係数は例であり、実際の必要に基づく任意の特定値に設定されてよい。
［表９］
【表９】
2020500475.tif 000048
【０２５８】
別の例では、限定ではなく例として、以下の表１０はマッピング関係＃Ｂの別の例を示す。留意すべきことに、表１０の係数は例であり、実際の必要に基づく任意の特定値に設定されてよい。
［表１０］
【表１０】
2020500475.tif 000049
【０２５９】
別の例では、限定ではなく例として、以下の表１１はマッピング関係＃Ｂの別の例を示す。留意すべきことに、表１１の係数は例であり、実際の必要に基づく任意の特定値に設定されてよい。
［表１１］
【表１１】
2020500475.tif 000050
【０２６０】
したがって、ネットワーク装置は、時間周波数リソース＃Ａの中の、ＭＣＳ（つまり、第１ＭＣＳの一例であって、理解及び差別化を容易にするために以下でＭＣＳ＃Ａにより示される）に基づき、係数セット＃Ａに対応する複数のＭＣＳセットから、ＭＣＳセット＃Ａの属するＭＣＳセット（つまり、第１ＭＣＳセットの一例であって、理解及び差別化を容易にするために以下でＭＣＳセット＃Ａにより示される）を決定してよい。次に、ネットワーク装置は、ＭＣＳセット＃Ａ及びマッピング関係＃Ｂに基づき、ＭＣＳセット＃Ａに対応する係数を、ＴＴＩ＃Ａで端末装置＃Ａにより使用される係数（つまり係数＃Ａ）として決定してよい。
【０２６１】
限定ではなく例として、端末装置＃Ａは、さらに、ＭＣＳセット＃Ａに基づき係数セット＃Ａから係数＃Ａを決定してよい。さらに、端末装置＃Ａが係数セット＃ＡからＭＣＳセット＃Ａに基づき係数＃Ａを決定する特定の方法及びプロセスは、ネットワーク装置が係数セット＃ＡからＭＣＳセット＃Ａに基づき係数＃Ａを決定する特定の方法及びプロセスと同様であってよい。繰り返しを回避するために、詳細な説明はここでは省略される。
【０２６２】
ネットワーク装置又は端末装置＃Ａは、第１係数として、ＴＴＩの現在の使用要件を満たす係数を柔軟に選択でき、それにより、無線通信の信頼性及び精度を更に向上する。
【０２６３】
留意すべきことに、上述のように、ＭＣＳセット＃Ａは複数の係数に対応してよい。この場合、以下の処理方法が使用されてよい。
【０２６４】
例えば、ネットワーク装置は、プリセットルールに従い、ＭＣＳセット＃Ａに対応する複数の係数から、係数＃Ａを決定してよい。限定ではなく例として、ネットワーク装置は、ＭＣＳセット＃Ａに対応する複数の係数のうち最大（又は最小）係数を係数＃Ａとして使用してよい。
【０２６５】
別の例では、ＭＣＳセット＃Ａに対応する複数の係数は、複数のパラメータグループと１対１対応であってよく、ネットワーク装置は、端末装置＃Ａにより現在使用されている（又はそれに対応する）パラメータグループに基づき、ＭＣＳセット＃Ａに対応する複数の係数から、端末装置＃Ａにより現在使用されている（又はそれに対応する）パラメータグループに対応する係数を係数＃Ａとして決定してよい。限定ではなく例として、本発明の本実施形態では、複数のパラメータグループのうちの任意の１つは、以下のパラメータ：オーバヘッド、周波数ドメインリソース数範囲、及びＣＳＩのうちの少なくとも１つを含んでよい。
【０２６６】
限定ではなく例として、本発明の本実施形態では、ＴＴＩ＃Ａに対応するパラメータセット＃Ａは、複数の特定パラメータを含んでよく、複数の特定パラメータは、複数の特定ＭＣＳ値と１対１対応であってよい。特定ＭＣＳ値は、通信システム又は通信プロトコルの中で指定され且つネットワーク装置又は端末装置により使用可能な最小ＭＣＳを含んでよい。或いは、特定ＭＣＳ値は、通信システム又は通信プロトコルの中で指定され且つネットワーク装置又は端末装置により使用可能な最大ＭＣＳを含んでよい。或いは、特定ＭＣＳ値は、変調次切り替え点に対応するＭＣＳを含んでよい。
【０２６７】
ケースγ。
【０２６８】
本発明の本実施形態では、係数セット＃ＡがＮ個の係数を含むと仮定すると、Ｎ個の係数はＰ個の周波数ドメインリソース数範囲に対応してよい。
【０２６９】
本発明の本実施形態では、１つの周波数ドメインリソース数範囲は、１つ以上の周波数ドメインリソース数値を含んでよく、任意の２つの周波数ドメインリソース数範囲の間の共通部分は空集合であってよい。
【０２７０】
本発明の本実施形態では、Ｐ個の周波数ドメインリソース数範囲の各々はＮ個の係数のうちの少なくとも１つに対応する。
【０２７１】
留意すべきことに、本発明の本実施形態では、任意の２つの周波数ドメインリソース数範囲は、同じ数の又は異なる数の周波数ドメインリソース数値を含んでよい。これは、本発明の本実施形態において特に限定されない。
【０２７２】
さらに、本発明の本実施形態では、任意の２つの周波数ドメインリソース数範囲は、同じ数の又は異なる数の係数に対応してよい。これは、本発明の本実施形態において特に限定されない。
【０２７３】
さらに、本発明の本実施形態では、任意の２つの周波数ドメインリソース数範囲に対応する係数の中に少なくとも１つの異なる係数がある。
【０２７４】
通常、Ｐ個の周波数ドメインリソース数範囲の中の任意の周波数ドメインリソース数範囲について（理解を容易にするために以下で周波数ドメインリソース数範囲＃１により示される）、周波数ドメインリソース数範囲＃１は、Ｎ個の係数のうちの１つ以上の係数（理解を容易にするために以下で係数グループ＃３−１により示される）に対応してよい。
【０２７５】
さらに、Ｐ個の周波数ドメインリソース数範囲の中の別の周波数ドメインリソース数範囲について（理解を容易にするために以下で周波数ドメインリソース数範囲＃２により示される）、周波数ドメインリソース数範囲＃２は、Ｎ個の係数のうちの１つ以上の係数（理解を容易にするために以下で係数グループ＃３−２により示される）に対応してよい。
【０２７６】
留意すべきことに、本発明の本実施形態では、係数グループ＃３−１は係数グループ＃３−２と異なる。具体的に、係数グループ＃３−１及び係数グループ＃３−２の中に少なくとも１つの異なる係数がある。
【０２７７】
望ましくは、本発明の本実施形態では、Ｐ＝Ｎである。言い換えると、係数セット＃Ａに含まれるＮ個の係数は、Ｐ個の周波数ドメイン数範囲と１対１対応にあってよい。
【０２７８】
したがって、上述のように、本発明の本実施形態では、係数セット＃Ａに含まれるＮ個の係数と複数の（例えばＮ個の）周波数ドメインリソース数範囲との間にマッピング関係（理解及び差別化を容易にするために以下でマッピング関係＃Ｃにより示される）があってよく、各周波数ドメインリソース数範囲は少なくとも１つの係数に対応してよい。
【０２７９】
各周波数ドメインリソース数範囲の特定値（又は各周波数ドメインリソース数範囲に含まれる１つ以上の時間周波数リソース数の特定値）は、任意の値に設定されてよい。
【０２８０】
例えば、限定ではなく例として、複数の周波数ドメインリソース（例えば、ＲＢの数）は、異なるサービスの送信に適応するために比較的より小さいＴＢＳが選択できることを保証するために、同じ周波数ドメインリソースへと量子化され得るので、Ｐ個の周波数ドメインリソース数範囲は周波数ドメインリソース数範囲＃Ｐ１を含んでよく、周波数ドメインリソース数範囲＃Ｐ１は、最小周波数ドメインリソースを含む少なくとも複数の周波数ドメインリソースを含み、周波数ドメインリソース数範囲＃Ｐ１に対応する係数は、Ｎ個の係数のうちの最大係数を含まない。このように、比較的小さい係数が周波数ドメインリソース数範囲＃Ｐ１のために使用されるので、その結果、異なるサービスの送信に適応するために、係数を使用して量子化された周波数ドメインリソースに基づき、比較的より小さいＴＢＳが選択できる。
【０２８１】
例えば、限定ではなく例として、複数の周波数ドメインリソース数（例えば、ＲＢの数）は、ピークレートを増大するために比較的より大きいＴＢＳが選択できることを保証するために、同じ周波数ドメインリソースへと量子化され得るので、Ｐ個の周波数ドメインリソース数範囲は周波数ドメインリソース数範囲＃Ｐ２を含んでよく、周波数ドメインリソース数範囲＃Ｐ２は、最大周波数ドメインリソースを含む少なくとも複数の周波数ドメインリソース数を含み、周波数ドメインリソース数範囲＃Ｐ２に対応する係数は、Ｎ個の係数のうちの最小係数を含まない。このように、比較的大きい係数が周波数ドメインリソース数範囲＃Ｐ２のために使用されるので、その結果、ピークレートを増大するために、係数を使用して量子化された周波数ドメインリソースに基づき、より大きいＴＢＳが選択できる。
【０２８２】
例えば、限定ではなく例として、以下の表１２はマッピング関係＃Ｃの一例を示す。留意すべきことに、表１２の周波数ドメインリソース数範囲及び係数は例であり、実際の必要に基づく任意の特定値に設定されてよい。
［表１２］
【表１２】
2020500475.tif 000051
【０２８３】
例えば、限定ではなく例として、以下の表１３はマッピング関係＃Ｃの別の例を示す。留意すべきことに、表１３の周波数ドメインリソース数範囲及び係数は例であり、実際の必要に基づく任意の特定値に設定されてよい。
［表１３］
【表１３】
2020500475.tif 000052
【０２８４】
したがって、ネットワーク装置は、時間周波数リソース＃Ａに対応する周波数ドメインリソース数（理解及び差別化を容易にするために以下で周波数ドメインリソース数＃Ａにより示される）に基づき、係数セット＃Ａに対応する複数の周波数ドメインリソース数範囲から、周波数ドメインリソース数＃Ａの属する周波数ドメインリソース数範囲（つまり、第１周波数ドメインリソース数範囲の一例であって、理解及び差別化を容易にするために以下で周波数ドメインリソース数範囲＃Ａにより示される）を決定してよい。次に、ネットワーク装置は、周波数ドメインリソース数範囲＃Ａ及びマッピング関係＃Ｃに基づき、周波数ドメインリソース数範囲＃Ａに対応する係数を、ＴＴＩ＃Ａで端末装置＃Ａにより使用される係数（つまり係数＃Ａ）として決定してよい。
【０２８５】
限定ではなく例として、端末装置＃Ａは、さらに、周波数ドメインリソース数＃Ａに基づき係数セット＃Ａから係数＃Ａを決定してよい。さらに、端末装置＃Ａが係数セット＃Ａから周波数ドメインリソース数＃Ａに基づき係数＃Ａを決定する特定の方法及びプロセスは、ネットワーク装置が係数セット＃Ａから周波数ドメインリソース数＃Ａに基づき係数＃Ａを決定する特定の方法及びプロセスと同様であってよい。繰り返しを回避するために、詳細な説明はここでは省略される。
【０２８６】
ネットワーク装置又は端末装置＃Ａは、第１係数として、ＴＴＩの現在の使用要件を満たす係数を柔軟に選択でき、それにより、無線通信の信頼性及び精度を更に向上する。
【０２８７】
留意すべきことに、上述のように、周波数ドメインリソース数範囲＃Ａは複数の係数に対応してよい。この場合、以下の処理方法が使用されてよい。
【０２８８】
例えば、ネットワーク装置は、プリセットルールに従い、周波数ドメインリソース数範囲＃Ａに対応する複数の係数から、係数＃Ａを決定してよい。限定ではなく例として、ネットワーク装置は、周波数ドメインリソース数範囲＃Ａに対応する複数の係数のうち最大（又は最小）係数を係数＃Ａとして使用してよい。
【０２８９】
別の例では、周波数ドメインリソース数範囲＃Ａに対応する複数の係数は、複数のパラメータグループと１対１対応であってよく、ネットワーク装置は、端末装置＃Ａにより現在使用されている（又はそれに対応する）パラメータグループに基づき、周波数ドメインリソース数範囲＃Ａに対応する複数の係数から、端末装置＃Ａにより現在使用されている（又はそれに対応する）パラメータグループに対応する係数を係数＃Ａとして決定してよい。限定ではなく例として、本発明の本実施形態では、複数のパラメータグループのうちの任意の１つは、以下のパラメータ：オーバヘッド、ＭＣＳ、及びＣＳＩのうちの少なくとも１つを含んでよい。
【０２９０】
ケースη。
【０２９１】
本発明の本実施形態では、係数セット＃ＡがＮ個の係数を含むと仮定すると、Ｎ個の係数はＱ個のＴＢＳセットに対応してよく、Ｑ≧１である。
【０２９２】
本発明の本実施形態では、１つのＴＢＳセットは、１つ以上のＴＢＳ値を含んでよく、任意の２つのＴＢＳセットの間の共通部分は空集合であってよい。
【０２９３】
本発明の本実施形態では、Ｑ個のＴＢＳセットの各々はＮ個の係数のうちの少なくとも１つに対応する。
【０２９４】
留意すべきことに、本発明の本実施形態では、任意の２つのＴＢＳセットは、同じ数の又は異なる数のＴＢＳを含んでよい。これは、本発明の本実施形態において特に限定されない。
【０２９５】
さらに、本発明の本実施形態では、任意の２つのＴＢＳセットは、同じ数の又は異なる数の係数に対応してよい。これは、本発明の本実施形態において特に限定されない。
【０２９６】
さらに、本発明の本実施形態では、任意の２つのＴＢＳセットに対応する係数の中に少なくとも１つの異なる係数がある。
【０２９７】
通常、Ｑ個のＴＢＳセットの中の任意のＴＢＳセットについて（理解を容易にするために以下でＴＢＳセット＃１により示される）、ＴＢＳセット＃１は、Ｎ個の係数のうちの１つ以上の係数（理解を容易にするために以下で係数グループ＃４−１により示される）に対応してよい。
【０２９８】
さらに、Ｑ個のＴＢＳセットの中の別のＴＢＳセットについて（理解を容易にするために以下でＴＢＳセット＃２により示される）、ＴＢＳセット＃２は、Ｎ個の係数のうちの１つ以上の係数（理解を容易にするために以下で係数グループ＃４−２により示される）に対応してよい。
【０２９９】
留意すべきことに、本発明の本実施形態では、係数グループ＃４−１は係数グループ＃４−２と異なる。具体的に、係数グループ＃４−１及び係数グループ＃４−２の中に少なくとも１つの異なる係数がある。
【０３００】
望ましくは、本発明の本実施形態では、Ｑ＝Ｎである。言い換えると、係数セット＃Ａに含まれるＮ個の係数は、Ｑ個のＴＢＳセットと１対１対応にあってよい。
【０３０１】
したがって、上述のように、本発明の本実施形態では、係数セット＃Ａに含まれるＮ個の係数と複数の（例えばＮ個の）ＴＢＳセットとの間にマッピング関係（理解及び差別化を容易にするために以下でマッピング関係＃Ｄにより示される）があってよく、各ＴＢＳセットは少なくとも１つの係数に対応してよい。
【０３０２】
各ＴＢＳセットの中の特定値（又は各ＴＢＳセットに含まれる１つ以上のＴＢＳの特定値）は、任意の値に設定されてよい。
【０３０３】
例えば、限定ではなく例として、候補ＴＢＳセットの中で、任意の２つの隣接ＴＢＳ間の差は、他の２つの隣接ＴＢＳ間の差と異なるので、異なるサービスの送信に適応するために比較的より小さいＴＢＳが選択できることを保証するために、Ｑ個のＴＢＳセットは、ＴＢＳセット＃Ｑ１を含んでよく、ＴＢＳセット＃Ｑ１は、最小ＴＢＳを含む少なくとも複数のＴＢＳ値を含み、ＴＢＳセット＃Ｑ１に対応する係数は、Ｎ個の係数のうちの最大係数を含まない。このように、比較的小さい係数がＴＢＳセット＃Ｑ１のために使用され、その結果、異なるサービスの送信に適応するために、該係数を用いて量子化が実行された後に、比較的より小さいＴＢＳが選択できる。
【０３０４】
例えば、限定ではなく例として、表１４はＴＢＳ候補セットを示す。
［表１４］
【表１４】
2020500475.tif 000053
【０３０５】
例えば、限定ではなく例として、以下の表１５はマッピング関係＃Ｄの一例を示す。留意すべきことに、表１５の分割を通じて取得されたＴＢＳセット及び係数は例であり、実際の必要に基づく任意の特定値に設定されてよい。
［表１５］
【表１５】
2020500475.tif 000054
【０３０６】
したがって、ネットワーク装置は、従来技術に基づき、時間周波数リソース＃Ａに対応するＴＢＳ（理解及び差別化を容易にするために以下でＴＢＳ＃Ａにより示される）を決定してよい。
【０３０７】
続いて、ネットワーク装置は、係数セット＃Ａに対応する複数のＴＢＳセットから、ＴＢＳ＃Ａの属するＴＢＳセット（理解及び差別化を容易にするためにＴＢＳセット＃Ａにより示される）を決定してよい。次に、ネットワーク装置は、ＴＢＳセット＃Ａ及びマッピング関係＃Ｄに基づき、ＴＢＳセット＃Ａに対応する係数を、ＴＴＩ＃Ａで端末装置＃Ａにより使用される係数（つまり係数＃Ａ）として決定してよい。
【０３０８】
限定ではなく例として、端末装置＃Ａは、さらに、ＴＢＳセット＃Ａに基づき係数セット＃Ａから係数＃Ａを決定してよい。さらに、端末装置＃Ａが係数セット＃ＡからＴＢＳセット＃Ａに基づき係数＃Ａを決定する特定の方法及びプロセスは、ネットワーク装置が係数セット＃ＡからＴＢＳセット＃Ａに基づき係数＃Ａを決定する特定の方法及びプロセスと同様であってよい。繰り返しを回避するために、詳細な説明はここでは省略される。
【０３０９】
ネットワーク装置又は端末装置＃Ａは、第１係数として、ＴＴＩの現在の使用要件を満たす係数を柔軟に選択でき、それにより、無線通信の信頼性及び精度を更に向上する。
【０３１０】
留意すべきことに、上述のように、ＴＢＳセット＃Ａは複数の係数に対応してよい。この場合、以下の処理方法が使用されてよい。
【０３１１】
例えば、ネットワーク装置は、プリセットルールに従い、ＴＢＳセット＃Ａに対応する複数の係数から、係数＃Ａを決定してよい。限定ではなく例として、ネットワーク装置は、ＴＢＳセット＃Ａに対応する複数の係数のうち最大（又は最小）係数を係数＃Ａとして使用してよい。
【０３１２】
別の例では、ＴＢＳセット＃Ａに対応する複数の係数は、複数のパラメータグループと１対１対応であってよく、ネットワーク装置は、端末装置＃Ａにより現在使用されている（又はそれに対応する）パラメータグループに基づき、ＴＢＳセット＃Ａに対応する複数の係数から、端末装置＃Ａにより現在使用されている（又はそれに対応する）パラメータグループに対応する係数を係数＃Ａとして決定してよい。限定ではなく例として、本発明の本実施形態では、複数のパラメータグループのうちの任意の１つは、以下のパラメータ：オーバヘッド、ＭＣＳ、周波数ドメインリソース数範囲、及びＣＳＩのうちの少なくとも１つを含んでよい。
【０３１３】
理解されるべきことに、係数＃Ａを決定する前述の列挙された方法及びプロセスは説明のための単なる例であり、本発明の本実施形態はこれに限定されない。例えば、ケースα〜ケースηで記載された方法は、別個に使用され又は組み合わせて使用されてよい。これは、本発明の本実施形態において特に限定されない。言い換えると、本発明の本実施形態では、ネットワーク装置は、以下のパラメータ：時間周波数リソース＃Ａの中のオーバヘッド、時間周波数リソース＃Ａ上のＭＣＳ、時間周波数リソース＃Ａに対応する周波数ドメインリソース数、及び時間周波数リソース＃Ａ上の且つ従来技術に基づき決定されたＴＢＳ、のうちの１つ以上に基づき係数＃Ａを決定してよい。
【０３１４】
限定ではなく例として、本発明の本実施形態では、係数＃Ａを決定した後に、ネットワーク装置は、シグナリング（つまり、第１指示情報の一例）を用いて、決定した係数＃Ａを端末装置＃Ａに示してよい。
【０３１５】
Ｓ２２０で、ネットワーク装置及び端末装置＃Ａは、係数＃Ａに基づき、時間周波数リソース＃Ａ上のＴＢＳ（つまり、第１ＴＢＳの一例であり、理解及び差別化を容易にするために以下でＴＢＳ＃Ａにより示される）を決定してよい。
【０３１６】
限定ではなく例として、例えば、本発明の本実施形態では、ネットワーク装置及び端末装置＃Ａは、ＴＢＳを決定するために使用されるマッピング関係エントリを格納してよい。エントリの中の各ＴＢＳ値は、２次元のインデックスに対応してよく、一方の次元のインデックスはＲＢ値であってよく、他方の次元のインデックスはＭＣＳであってよい。したがって、ネットワーク装置及び端末装置＃Ａは、決定した係数＃Ａに基づき、ＲＢ値（ＲＢ値＃Ａにより示される）を取得するために、時間周波数リソース＃Ａに対応する周波数ドメインリソース数（例えば、ＲＢの量）を量子化してよい。さらに、ネットワーク装置及び端末装置＃Ａは、時間周波数リソース＃Ａに対応するＭＣＳ（つまり、ＭＣＳ＃Ａ）を決定してよい。このように、ネットワーク装置及び端末装置＃Ａは、マッピング関係エントリから、ＲＢ値＃Ａに対応するＴＢＳ及びＭＣＳ＃ＡをＴＢＳ＃Ａとして決定してよい。
【０３１７】
限定ではなく例として、例えば、本発明の本実施形態では、ネットワーク装置及び端末装置＃Ａは、ＴＢＳを決定するために使用されるマッピング関係エントリを格納してよい。エントリの中の各ＴＢＳ値は、２次元のインデックスに対応してよく、一方の次元のインデックスはＲＢ値であってよく、他方の次元のインデックスはＭＣＳであってよい。したがって、ネットワーク装置及び端末装置＃Ａは、時間周波数リソース＃Ａに対応する周波数ドメインリソース数（例えば、ＲＢの量であって、ＲＢ値＃Ａにより示される）を決定してよい。さらに、ネットワーク装置及び端末装置＃Ａは、時間周波数リソース＃Ａに対応するＭＣＳ（つまり、ＭＣＳ＃Ａ）を決定してよい。このように、ネットワーク装置及び端末装置＃Ａは、マッピング関係エントリから、ＲＢ値＃Ａに対応するＴＢＳ及びＭＣＳ＃ＡをＴＢＳ＃Ａ１として決定してよい。最後に、ネットワーク装置及び端末装置＃Ａは、ＴＢＳを取得し及び該ＴＢＳをＴＢＳ＃Ａとして使用するために、決定した係数＃Ａに基づきＴＢＳ＃Ａ１を量子化してよい。
【０３１８】
限定ではなく例として、例えば、本発明の本実施形態では、ネットワーク装置及び端末装置＃Ａは、決定した係数＃Ａ及びプリセット固定量子化係数＃Ｂに基づき、係数＃Ｃを取得してよい。例えば、係数＃Ｃ＝（係数＃Ａ＊係数＃Ｂ）、又は係数＃Ｃ＝（係数＃Ａ＋係数＃Ｂ）である。ネットワーク装置及び端末装置＃Ａは、ＴＢＳを決定するために使用されるマッピング関係エントリを格納してよい。エントリの中の各ＴＢＳ値は、２次元のインデックスに対応してよく、一方の次元のインデックスはＲＢ値であってよく、他方の次元のインデックスはＭＣＳであってよい。したがって、ネットワーク装置及び端末装置＃Ａは、決定した係数＃Ｃに基づき、ＲＢ値（ＲＢ値＃Ａにより示される）を取得するために、時間周波数リソース＃Ａに対応する周波数ドメインリソース数（例えば、ＲＢの量）を量子化してよい。さらに、ネットワーク装置及び端末装置＃Ａは、時間周波数リソース＃Ａに対応するＭＣＳ（つまり、ＭＣＳ＃Ａ）を決定してよい。このように、ネットワーク装置及び端末装置＃Ａは、マッピング関係エントリから、ＲＢ値＃Ａに対応するＴＢＳ及びＭＣＳ＃ＡをＴＢＳ＃Ａとして決定してよい。
【０３１９】
限定ではなく例として、例えば、本発明の本実施形態では、ネットワーク装置及び端末装置＃Ａは、決定した係数＃Ａ及びプリセット固定量子化係数＃Ｂに基づき、係数＃Ｃを取得してよい。例えば、係数＃Ｃ＝（係数＃Ａ＊係数＃Ｂ）、又は係数＃Ｃ＝（係数＃Ａ＋係数＃Ｂ）である。ネットワーク装置及び端末装置＃Ａは、ＴＢＳを決定するために使用されるマッピング関係エントリを格納してよい。エントリの中の各ＴＢＳ値は、２次元のインデックスに対応してよく、一方の次元のインデックスはＲＢ値であってよく、他方の次元のインデックスはＭＣＳであってよい。したがって、ネットワーク装置及び端末装置＃Ａは、決定した係数＃Ａに基づき、時間周波数リソース＃Ａに対応する周波数ドメインリソース数（例えば、ＲＢの量であって、ＲＢ値＃Ａにより示される）を量子化してよい。さらに、ネットワーク装置及び端末装置＃Ａは、時間周波数リソース＃Ａに対応するＭＣＳ（つまり、ＭＣＳ＃Ａ）を決定してよい。このように、ネットワーク装置及び端末装置＃Ａは、マッピング関係エントリから、ＲＢ値＃Ａに対応するＴＢＳ及びＭＣＳ＃ＡをＴＢＳ＃Ａ１として決定してよい。最後に、ネットワーク装置及び端末装置＃Ａは、ＴＢＳを取得し及び該ＴＢＳをＴＢＳ＃Ａとして使用するために、決定した係数＃Ｃに基づきＴＢＳ＃Ａ１を量子化してよい。
【０３２０】
理解されるべきことに、係数＃Ａに基づきＴＢＳ＃Ａを決定する前述の列挙された方法及びプロセスは説明のための単なる例であり、本発明の本実施形態はこれに限定されない。方法及びプロセスは、代替として、従来技術における且つ量子化係数に基づきＴＢＳを決定するために使用可能な別の方法及びプロセスと同様であってよい。繰り返しを回避するために、詳細な説明はここでは省略される。
【０３２１】
Ｓ２３０で、ネットワーク装置及び端末装置＃Ａは、ＴＢＳ＃Ａに基づきデータ送信を実行してよい。プロセスは、従来技術のプロセスと同様であってよい。繰り返しを回避するために、詳細な説明はここでは省略される。
【０３２２】
本発明の本実施形態における無線通信方法によると、１つのＴＴＩについて、ＴＴＩに対応するアップリンク送信のためのＴＢＳ又はＴＴＩに対応するダウンリンク送信のためのＴＢＳを決定するために使用される２以上の係数が構成され、その結果、ＴＢＳを決定するために適正な係数がＴＴＩの現在の使用に基づき選択でき、決定されたＴＢＳは現在の通信状態に対応可能であり、それにより、無線通信の信頼性及び精度を向上する。
【０３２３】
（ＴＴＩ長が１ｍｓ未満の）短ＴＴＩに対応するデータ送信では、サポート可能な最大ＴＢＳは更に小さい。１ｍｓのＴＴＩに対応するソフトバッファ上限値がエンコーディングの前提として依然として使用される場合、この短ＴＴＩに対応する全てのＴＢＳに基づく送信では、１／３の符号レートにより冗長性に基づきソフトビットがバッファリングされてよい。しかしながら、高次ＭＣＳに対応する比較的大きいＴＢＳ、例えばピークＴＢＳでは、送信は、通常、高い信号対雑音比で実行され、正しくない復号の可能性が比較的低い。この場合、ソフトバッファ上限値は、２／３の符号レートに基づき、１ｍｓのＴＴＩについて設計され、短ＴＴＩでは、ソフトバッファ上限値が依然として１／３の符号レートにより冗長性に基づき設計される場合、ソフトバッファの浪費が引き起こされる。
【０３２４】
本発明の一実施形態における無線通信方法３００の特定処理は、図９を参照して以下に詳述される。図９は、本発明の本実施形態による無線通信方法３００の一例の概略相互作用図である。
【０３２５】
図９に示すように、Ｓ３１０で、ネットワーク装置及び端末装置＃Ｂ（つまり、端末装置の一例）は、ＴＴＩ＃Ｂに対応し且つソフトバッファ（Soft  buffer）上限値を決定するために使用される係数（理解及び差別化を容易にするために以下で係数＃Ｄにより示される）を決定してよい。
【０３２６】
限定ではなく例として、本発明の本実施形態では、ＴＴＩ＃Ｂは、７個以下のシンボルを含むＴＴＩであってよい。例えば、ＴＴＩ＃Ｂに含まれるシンボルの数は、｛１，２，３，４，５，６，７｝の中の任意の値であってよい。
【０３２７】
限定ではなく例として、本発明の本実施形態では、ＴＴＩ＃Ｂに対応する係数＃Ｄは、ＴＴＩ＃Ｂに含まれるシンボルの数に基づき決定されてよい。例えば、ＴＴＩ＃Ｂに対応する係数＃Ｄは、ＴＴＩ＃Ｂに含まれるシンボルの数の１ｍｓのＴＴＩに含まれる有効データシンボルの数に対する比に基づき決定されてよい。例えば、ＴＴＩ＃Ｂは２個のシンボルを含み、１ｍｓのＴＴＩは１２個の有効データシンボルを含み、係数＃Ｄは１／６であってよい。
【０３２８】
限定ではなく例として、本発明の本実施形態では、ＴＴＩ＃Ｂに対応する係数＃Ｄは、ＴＴＩ＃Ｂの属するサブフレーム（理解及び差別化を容易にするために以下でサブフレーム＃Ｂにより示される）のＴＴＩ構造に基づき決定されてよい。例えば、ＴＴＩ＃Ｂに対応する係数＃Ｄは、サブフレーム＃ＢのＴＴＩに含まれるシンボルの最大数の１ｍｓのＴＴＩに含まれる有効データシンボルの数に対する比に基づき決定されてよい。例えば、サブフレーム＃Ｂに対応するＴＴＩ構造は図２に示され、サブフレーム＃ＢのＴＴＩに含まれるシンボルの最大数は３であり、１ｍｓのＴＴＩは１２個の有効データシンボルを含み、係数＃Ｄは１／４であってよい。
【０３２９】
限定ではなく例として、本発明の本実施形態では、ＴＴＩ＃Ｂに対応する係数＃Ｄは、ＴＴＩ＃Ｂにおける送信のために使用可能な最大ＴＢＳに対応するソフトバッファに基づき決定されてよい。例えば、ＴＴＩ＃Ｂに対応する係数＃Ｄは、ＴＴＩ＃Ｂにおける送信のために使用可能な最大ＴＢＳに対応するソフトバッファの、１ｍｓのＴＴＩにおける送信のために使用可能な最大ＴＢＳに対応するソフトバッファに対する比に基づき決定されてよい。例えば、ＴＴＩ＃Ｂが２個のシンボルを含む場合、送信のために使用可能な最大ＴＢＳは１３５３６であり、対応するソフトバッファは２０５９２であり、１ｍｓのＴＴＩにおいて送信のために使用可能な最大ＴＢＳは７５３７６であり、対応するソフトバッファは１１４１９２であり、係数＃Ｄは（２０５９２／１１４１９２）であってよく、これは約１／５である。
【０３３０】
方法２００における記載を参照すると、限定ではなく例として、本発明の本実施形態では、ＴＴＩ＃Ｂに対応する係数＃Ｄは、ＴＴＩ＃Ｂに対応する係数セット（つまり、第１係数セットの別の例であり、理解及び差別化を容易にするために以下で係数セット＃Ｂにより示される）に基づき決定されてよい。例えば、ＴＴＩ＃Ｂに対応する係数セット＃Ｄは、係数セット＃Ｂに含まれる最大（又は最小）係数であってよい。
【０３３１】
Ｓ３２０で、ネットワーク装置及び端末装置＃Ｂは、係数＃Ｄに基づき、ＴＴＩ＃Ｂに対応するソフトバッファ（Soft  buffer）上限値（理解及び差別化を容易にするために以下でソフトバッファ上限値＃Ａにより示される）を決定してよい。
【０３３２】
限定ではなく例として、例えば、本発明の本実施形態では、ネットワーク装置及び端末装置＃Ｂは、１ｍｓのＴＴＩにおける送信に対応するソフトバッファ上限値（理解及び差別化を容易にするために以下でソフトバッファ上限値＃Ｂにより示される）を決定してよく、次にネットワーク装置及び端末装置＃Ｂは、ソフトバッファ上限値＃Ａを得るために、決定した係数＃Ｄに基づき、ソフトバッファ上限値＃Ｂ又はソフトバッファ上限値＃Ｂを決定するために使用されるパラメータを量子化してよい。
【０３３３】
例えば、限定ではなく例として、本発明の本実施形態では、ソフトバッファ上限値＃Ｂは、次式を用いて取得されてよい。
【数１】
2020500475.tif 000055
【０３３４】
Ｎｓｏｆｔは合計ソフトバッファ値である。ＫＣは、合計ソフトバッファ値及び最大サポートレイヤ数に関連する固定値である。ＭＤＬ＿ＨＡＲＱは、ダウンリンクＨＡＲＱプロセスの最大数である。Ｍｌｉｍｉｔは値が８の定数である。ＫＭＩＭＯは、送信モードに関連し、ＫＭＩＭＯの値は、送信モード３、４、８、９及び１０では２であり、別の送信モードでは１である。
【０３３５】
決定された係数＃Ｄがｋであり、ｋは１未満の正整数であると仮定すると、ソフトバッファ上限値＃Ａは次式を用いて取得されてよい。
【数２】
2020500475.tif 000056
【０３３６】
別の例では、限定ではなく例として、本発明の本実施形態では、ソフトバッファ上限値＃Ｂは、次式を用いて取得されてよい。
【数３】
2020500475.tif 000057
【０３３７】
Ｃは、トランスポートブロックがセグメント化される符号ブロックの数である。Ｎｓｏｆｔは合計ソフトバッファ値である。ＫＣは、合計ソフトバッファ値及び最大サポートレイヤ数に関連する固定値である。ＭＤＬ＿ＨＡＲＱは、ダウンリンクＨＡＲＱプロセスの最大数である。Ｍｌｉｍｉｔは値が８の定数である。ＫＭＩＭＯは、送信モードに関連し、ＫＭＩＭＯの値は、送信モード３、４、８、９及び１０では２であり、別の送信モードでは１である。
【０３３８】
決定された係数＃Ｄがｋであり、ｋは１未満の正整数であると仮定すると、ソフトバッファ上限値＃Ａは次式を用いて取得されてよい。
【数４】
2020500475.tif 000058
【０３３９】
別の例では、限定ではなく例として、本発明の本実施形態では、ソフトバッファ上限値＃Ｂは、次式を用いて取得されてよい。
【数５】
2020500475.tif 000059
【０３４０】
Ｎｓｏｆｔは合計ソフトバッファ値である。ＫＣは、合計ソフトバッファ値及び最大サポートレイヤ数に関連する固定値である。ＭＤＬ＿ＨＡＲＱは、ダウンリンクＨＡＲＱプロセスの最大数である。Ｍｌｉｍｉｔは値が８の定数である。ＫＭＩＭＯは、送信モードに関連し、ＫＭＩＭＯの値は、送信モード３、４、８、９及び１０では２であり、別の送信モードでは１である。
【０３４１】
決定された係数＃Ｄがｋであり、ｋは１未満の正整数であると仮定すると、ソフトバッファ上限値＃Ａは次式を用いて取得されてよい。
【数６】
2020500475.tif 000060
【０３４２】
Ｍｌｉｍｉｔ＿＃Ａは、プリセット定数であり、次の通りである：
【数７】
2020500475.tif 000061
【０３４３】
理解されるべきことに、係数＃Ｄに基づきソフトバッファ上限値＃Ａを決定する前述の列挙された方法及びプロセスは説明のための単なる例であり、本発明の本実施形態はこれに限定されない。方法及びプロセスは、代替として、従来技術における且つ量子化係数に基づきソフトバッファ上限値を決定するために使用可能な別の方法及びプロセスと同様であってよい。繰り返しを回避するために、詳細な説明はここでは省略される。
【０３４４】
Ｓ３３０で、ネットワーク装置及び端末装置＃Ｂは、ＴＴＩ＃Ｂにおけるソフトバッファ上限値＃Ａに基づき、ダウンリンクデータ通信を実行してよい。プロセスは、従来技術のプロセスと同様であってよい。繰り返しを回避するために、詳細な説明はここでは省略される。
【０３４５】
本発明の本実施形態における無線通信方法によると、送信時間長が１ｍｓ未満のＴＴＩでは、該ＴＴＩに一致するソフトバッファ上限値が設定され、その結果、データ送信が、高次ＭＣＳに対応する比較的大きいＴＢＳを用いて該ＴＴＩ内で実行されるとき、例えばピークＴＢＳソフトバッファオーバヘッドが削減できる。
【０３４６】
図１０は、本発明の一実施形態による無線通信機器４００の概略ブロック図である。無線通信機器４００は、方法２００に記載された端末装置（例えば、端末装置＃Ａ）に対応してよい（例えば、その中に構成されてよく又はそれであってよい）。さらに、無線通信機器４００内のモジュール又はユニットは、それぞれ、方法２００における端末装置（例えば、端末装置＃Ａ）により実行される動作又は処理プロセスを実行するよう構成される。繰り返しを回避するために、詳細な説明はここでは省略される。
【０３４７】
本発明の本実施形態では、機器４００は、プロセッサ及び通信機を含んでよく、プロセッサは通信機に接続される。任意で、機器は、メモリを更に含み、メモリはプロセッサに接続される。さらに、任意で、機器はバスシステムを含む。プロセッサ、メモリ、及び通信機は、バスシステムを用いて接続されてよい。メモリは、命令を格納するよう構成されてよい。プロセッサは、情報又は信号を送信するよう通信機を制御するために、メモリに格納された命令を実行するよう構成される。
【０３４８】
図１０に示される機器４００内の決定ユニットはプロセッサに対応してよく、図１０に示される機器４００内の通信ユニットは通信機に対応してよい。
【０３４９】
図１１は、本発明の一実施形態による無線通信機器５００の概略ブロック図である。無線通信機器５００は、方法２００に記載されたネットワーク装置に対応してよい（例えば、その中に構成されてよく又はそれであってよい）。さらに、無線通信機器５００内のモジュール又はユニットは、それぞれ、方法２００におけるネットワーク装置により実行される動作又は処理プロセスを実行するよう構成される。繰り返しを回避するために、詳細な説明はここでは省略される。
【０３５０】
本発明の本実施形態では、機器５００は、プロセッサ及び通信機を含んでよく、プロセッサは通信機に接続される。任意で、装置は、メモリを更に含み、メモリはプロセッサに接続される。さらに、任意で、装置はバスシステムを含む。プロセッサ、メモリ、及び通信機は、バスシステムを用いて接続されてよい。メモリは、命令を格納するよう構成されてよい。プロセッサは、情報又は信号を送信するよう通信機を制御するために、メモリに格納された命令を実行するよう構成される。
【０３５１】
図１１に示される機器５００内の決定ユニットはプロセッサに対応してよく、図１１に示される機器５００内の通信ユニットは通信機に対応してよい。
【０３５２】
図１２は、本発明の一実施形態による無線通信機器６００の概略ブロック図である。無線通信機器６００は、方法３００に記載された端末装置（例えば、端末装置＃Ｂ）に対応してよい（例えば、その中に構成されてよく又はそれであってよい）。さらに、無線通信機器６００内のモジュール又はユニットは、それぞれ、方法３００における端末装置（例えば、端末装置＃Ｂ）により実行される動作又は処理プロセスを実行するよう構成される。繰り返しを回避するために、詳細な説明はここでは省略される。
【０３５３】
本発明の本実施形態では、機器６００は、プロセッサ及び通信機を含んでよく、プロセッサは通信機に接続される。任意で、装置は、メモリを更に含み、メモリはプロセッサに接続される。さらに、任意で、装置はバスシステムを含む。プロセッサ、メモリ、及び通信機は、バスシステムを用いて接続されてよい。メモリは、命令を格納するよう構成されてよい。プロセッサは、情報又は信号を送信するよう通信機を制御するために、メモリに格納された命令を実行するよう構成される。
【０３５４】
図１２に示される機器６００内の決定ユニットはプロセッサに対応してよく、図１２に示される機器６００内の通信ユニットは通信機に対応してよい。
【０３５５】
図１３は、本発明の一実施形態による無線通信機器７００の概略ブロック図である。無線通信機器７００は、方法３００に記載されたネットワーク装置に対応してよい（例えば、その中に構成されてよく又はそれであってよい）。さらに、無線通信機器７００内のモジュール又はユニットは、それぞれ、方法３００におけるネットワーク装置により実行される動作又は処理プロセスを実行するよう構成される。繰り返しを回避するために、詳細な説明はここでは省略される。
【０３５６】
本発明の本実施形態では、機器７００は、プロセッサ及び通信機を含んでよく、プロセッサは通信機に接続される。任意で、装置は、メモリを更に含み、メモリはプロセッサに接続される。さらに、任意で、装置はバスシステムを含む。プロセッサ、メモリ、及び通信機は、バスシステムを用いて接続されてよい。メモリは、命令を格納するよう構成されてよい。プロセッサは、情報又は信号を送信するよう通信機を制御するために、メモリに格納された命令を実行するよう構成される。
【０３５７】
図１３に示される機器７００内の決定ユニットはプロセッサに対応してよく、図１３に示される機器７００内の通信ユニットは通信機に対応してよい。
【０３５８】
留意すべきことに、本発明の実施形態のうち前述の方法の実施形態は、プロセッサに適用され又はプロセッサにより実施されてよい。プロセッサは、集積回路チップであってよく、信号処理能力を有する。実装過程で、前述の方法の実施形態のステップは、プロセッサ内のハードウェア集積論理回路を用いて、又はソフトウェア形式の命令を用いて実施できる。プロセッサは、汎用プロセッサ、デジタル信号プロセッサ（Digital  Signal  Processor、ＤＳＰ）、特定用途向け集積回路（Application−specific  Integrated  Circuit、ＡＳＩＣ）、フィールドプログラマブルゲートアレイ（Field  Programmable  Gate  Array、ＦＰＧＡ）又は別のプログラマブル論理素子、個別ゲート又はトランジスタ論理装置、又は個別ハードウェアコンポーネントであってよい。プロセッサは、本発明の実施形態において開示された方法、ステップ、及び論理ブロック図を実装し又は実行してよい。汎用プロセッサはマイクロプロセッサであってよく、又はプロセッサは任意の従来のプロセッサ等であってよい、等である。本発明の実施形態を参照して開示された方法のステップは、ハードウェアデコーディングプロセッサにより直接実行され達成されてよく、又はデコーディングプロセッサ内のハードウェア及びソフトウェアモジュールの組合せを用いることにより実行され達成されてよい。ソフトウェアモジュールは、ランダムアクセスメモリ、フラッシュメモリ、読み出し専用メモリ、プログラマブル読み出し専用メモリ、電気的消去可能プログラマブルメモリ、レジスタ等のような、当分野で成熟した記憶媒体の中に配置されてよい。記憶媒体はメモリ内に配置され、プロセッサはメモリ内の情報を読み出し、プロセッサのハードウェアと組み合わせて、前述の方法のステップを実施する。
【０３５９】
本発明の実施形態におけるメモリは、揮発性メモリ又は不揮発性メモリであってよく、或いは揮発性メモリ及び不揮発性メモリを含んでよいことが理解され得る。不揮発性メモリは、読み出し専用メモリ（Read−Only  Memory、ＲＯＭ）、プログラマブル読み出し専用メモリ（Programmable  ROM、ＰＲＯＭ）、消去可能プログラマブル読み出し専用メモリ（Erasable  PROM、ＥＰＲＯＭ）、電気的消去可能プログラマブル読み出し専用メモリ（Electrically  EPROM、ＥＥＰＲＯＭ）、又はフラッシュメモリであってよい。揮発性メモリは、外部キャッシュとして使用されるランダムアクセスメモリ（Random  Access  Memory、ＲＡＭ）であってよい。例えば、限定的記載ではなく、多くの形式のＲＡＭ、例えば、静的ランダムアクセスメモリ（Static  RAM、ＳＲＡＭ）、動的ランダムアクセスメモリ（Dynamic  RAM、ＤＲＡＭ）、同期動的ランダムアクセスメモリ（Synchronous  DRAM、ＳＤＲＡＭ）、ダブルデータレート同期動的ランダムアクセスメモリ（Double  Data  Rate  SDRAM、ＤＤＲ  ＳＤＲＡＭ）、拡張同期動的ランダムアクセスメモリ（Enhanced  SDRAM、ＥＳＤＲＡＭ）、同期リンク動的ランダムアクセスメモリ（Synch  Link  DRAM、ＳＬＤＲＡＭ）、及び直接ランバス動的ランダムアクセスメモリ（Direct  Rambus  RAM、ＤＲ  ＲＡＭ）が使用されてよい。留意すべきことに、本願明細書に記載されたシステムのメモリ及び方法は、限定ではないが、上述の及び別の適正な種類の任意のメモリを含む。
【０３６０】
留意すべきことに、本発明の実施形態では、端末装置＃Ａ及び端末装置＃Ｂは、同じ端末装置であってよく、又は異なる端末装置であってよい。これは、本発明の実施形態において特に限定されない。
【０３６１】
本願明細書において用語「及び／又は」は、関連するオブジェクトを説明するための関連付け関係を記載するだけであり、３つの関係が存在し得ることを表すことが理解されるべきである。例えば、Ａ及び／又はＢは、以下の３つの場合を表すことがある。Ａのみが存在する、ＡとＢの両方が存在する、並びに、Ｂのみが存在する。さらに、本願明細書中の記号「／」は、概して、関連するオブジェクト間の「又は」の関係を示す。
【０３６２】
理解されるべきことに、本発明の実施形態では、前述の処理のシーケンス番号は、特定の実行順を意味しない。処理の実行順序は、機能及び処理の内部ロジックに基づき決定されるべきであり、本発明の実施形態の実装過程に対するいかなる制限として考えられるべきではない。
【０３６３】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。これらの機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の実施形態の範囲を超えると考えられるべきではない。
【０３６４】
便宜上及び簡潔な説明のために、前述のシステム、装置、及びユニットの詳細な動作処理については、前述の方法における対応する処理を参照し、詳細事項はここで再び記載されないことが、当業者により明らかに理解され得る。
【０３６５】
本願において提供される実施形態では、開示のシステム、機器、及び方法は他の方法で実装されてよいことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを用いて実装されてもよい。機器又はユニット間の間接結合又は通信接続は、電子的、機械的又は他の形式で実装されてよい。
【０３６６】
別個の部分として記載されたユニットは、物理的に別個であってよく又はそうでなくてよい。また、ユニットとして表示された部分は、物理的なユニットであってよく又はそうでなくてよく、１カ所に置かれてよく或いは複数のネットワークユニットに分散されてよい。一部又は全部のユニットは、実施形態のソリューションの目的を達成するために実際の要件に基づき選択されてよい。
【０３６７】
さらに、本発明の実施形態における機能ユニットは、１つの処理ユニットに統合されてよく、或いは各ユニットが物理的に単独で存在してよく、或いは２以上のユニットが１つのユニットに統合されてよい。
【０３６８】
機能がソフトウェア機能ユニットの形式で実装され、独立した製品として販売され又は使用されるとき、機能は、コンピュータ可読記憶媒体に格納されてよい。このような理解に基づき、本発明の実施形態の基本的技術的ソリューション、又は従来技術に貢献する部分、又は一部の技術的ソリューションは、ソフトウェア製品の形式で実施されてうｐい。コンピュータソフトウェアプロダクトは、記憶媒体に格納され、コンピュータ装置（パーソナルコンピュータ、サーバ、ネットワーク装置、等であってよい）に、本発明の実施形態で記載された方法のステップの全部又は一部を実行するよう指示する命令を含む。前述の種々の記憶媒体は、ＵＳＢフラッシュドライブ、取り外し可能ハードディスク、読み出し専用メモリ（Read−Only  Memory、ROM）、ランダムアクセスメモリ（Random  Access  Memory、RAM）、磁気ディスク又は光ディスクのような、プログラムコードを格納可能な任意の媒体を有する。
【０３６９】
上述の説明は、本発明の単なる特定の実装であり、本発明の保護範囲を制限するものではない。本発明で開示された技術範囲内にある、当業者により直ちに考案される変形又は置換は、本発明の保護範囲に含まれるべきである。
【国際調査報告】
2020500475.tif 000062
2020500475.tif 000063
2020500475.tif 000064
2020500475.tif 000065